(57)【要約】  【課題】電流出力型の半導体回路において出力電流が０の場合ではソース信号線浮遊容量の電荷の充放電が十分に行えず、黒表示することが難しい。階調０のときには、黒表示に対応した電圧（プリチャージ電圧）を印加することにしたが、画素内部の電圧電流変換素子の温度特性により高温の状態において、黒輝度が高くなり黒浮きが発生するという問題がある。  【解決手段】画素内部の電圧電流変換素子と同一特性を持つトランジスタを画素と同一アレー内に形成し、前記同一特性トランジスタに電流が流れない時のゲート電圧をプリチャージ電圧となるようソースドライバ内部に入力することで、温度に応じて電圧が変化する構成が実現できた。これによりＥＬに流れる電流は温度によらず一定となる。またこのトランジスタのチャネル幅を画素内部のトランジスタに比べ長くすることでより黒輝度の低い表示が可能となる。【選択図】図１３８
2006047693.tif 000002
【特許請求の範囲】
【請求項１】
電流制御用トランジスタを各画素に具備する有機発光素子を用いた表示装置であって、
トランジスタと、前記トランジスタのゲート電位を支える容量とを具備し、
前記トランジスタのドレイン電流が、ソースドライバ内のプリチャージ電圧発生部に入力され、
各画素の黒表示に対応した電圧が、前記電流制御用トランジスタのゲート電極に印加できる構成としたことを特徴とする有機発光素子を用いた表示装置。
【発明の詳細な説明】
【技術分野】
【０００１】
本発明は、有機電界発光素子など、電流量により階調表示を行う表示装置に関する。
【背景技術】
【０００２】
有機発光素子は、自発光素子であるため、液晶表示装置で必要とされるバックライトが不要であり、視野角が広いなどの利点から、次世代表示装置として期待されている。
【０００３】
一般的な有機発光素子の素子構造の断面図を図４に示す。有機層４２が陰極４１及び陽極４３により挟まれた構成となっている。これに直流電源４４を接続すると、陽極４３から正孔が、陰極４１から電子が有機層４２に注入される。注入された正孔及び電子は有機層４２内を電源４４により形成された電界により対極に移動する。移動途中において電子と正孔が有機層４２内で再結合し、励起子を生成する。励起子のエネルギーが失活する過程において発光が観測される。発光色は励起子の持つエネルギーにより異なり、およそ有機層４２の持つエネルギーバンドギャップの値に対応したエネルギーの波長を持つ光となる。
【０００４】
有機層内で発生した光を外部に取り出すため、電極のうち少なくとも一方は可視光領域で透明な材料が用いられる。陰極には、有機層への電子注入を容易にするため仕事関数の低い材料が用いられる。例えば、アルミニウム、マグネシウム、カルシウムなどである。耐久性、さらなる低仕事関数化のためにこれらの合金や、アルミリチウム合金といった材料が用いられることがある。
【０００５】
一方陽極は正孔注入の容易性からイオン化ポテンシャルの大きいものを用いる。また陰極が透明性を持たないため、こちらの電極に透明性材料を用いることが多い。そのため一般的には、ＩＴＯ（Indium Tin Oxide）、金、インジウム亜鉛酸化物（ＩＺＯ）などが用いられる。
【０００６】
近年では低分子材料を用いた有機発光素子において、発光効率を高めるため、有機層４２を複数の層で構成することがある。これにより、各層で、キャリア注入、発光領域へのキャリア移動、所望の波長を持つ光の発光の機能を分担することが可能となり、それぞれに効率のよい材料を用いることで、より効率の高い有機発光素子を作成することが可能となる。
【０００７】
このようにして形成された有機発光素子は、図５（ａ）に示すように輝度は電流に対して比例し、図５（ｂ）に示すように電圧に対しては非線形な関係となる。それゆえ階調制御を行うには、電流値により制御を行う方がよい。
【０００８】
アクティブマトリクス型の場合、電圧駆動方式と電流駆動方式の２通りがある。
【０００９】
電圧駆動方式は電圧出力型のソースドライバを用い、画素内部において電圧を電流に変換し、変換した電流を有機発光素子に供給する方法である。
【００１０】
この方法では画素毎に設けられたトランジスタにより電圧電流変換を行うことから、このトランジスタの特性ばらつきに応じて、出力電流にばらつきが発生し、輝度むらが生じる問題がある。
【００１１】
電流駆動方式は電流出力型のソースドライバを用い、画素内部では１水平走査期間出力された電流値を保持する機能のみを持たせ、ソースドライバと同じ電流値を有機発光素子に供給する方法である。
【００１２】
電流駆動方式の例を図６に示す。図６の方式は画素回路にカレントコピア方式を用いたものである。
【００１３】
図７に図６の画素６７の動作時の回路を示す。
【００１４】
画素が選択されたときには図７（ａ）に示すようにその行のゲート信号線６１ａはスイッチを導通状態とするように、６１ｂは非導通状態となるようにゲートドライバ３５から信号が出力される。このときの画素回路の様子を図７（ａ）に示す。このときソースドライバ３６に引き込まれる電流であるソース信号線６０に流れる電流は点線７１で示した経路を流れる。よってトランジスタ６２にはソース信号線６０に流れる電流と同一電流が流れる。すると節点７２の電位はトランジスタ６２の電流電圧特性に応じた電位となる。
【００１５】
次に非選択状態となるとゲート信号線６１により図７（ｂ）に示すような回路となる。ＥＬ電源線６４から有機発光素子６３に７３で示す点線の経路で電流が流れる。この電流は節点７２の電位とトランジスタ６２の電流電圧特性により決まる。
【００１６】
図７（ａ）と（ｂ）において節点７２の電位は変化しない。従って同一トランジスタ６２に流れるドレイン電流は図７（ａ）と（ｂ）において同一となる。これによりソース信号線６０に流れる電流値と同じ値の電流が有機発光素子６３に流れる。トランジスタ６２の電流電圧特性にばらつきがあっても原理上電流７１と７３の値には影響がなく、トランジスタの特性ばらつきの影響のない均一な表示を実現できる。
【００１７】
従って、均一な表示を得るためには電流駆動方式を用いる必要があり、そのためにはソースドライバ３６は電流出力型のドライバＩＣでなければならない。
【００１８】
階調に応じた電流値を出力する電流ドライバＩＣの出力段の例を図１０に示す。表示階調データ５４に対し、デジタルアナログ変換部１０６によりアナログの電流出力を１０４より行う。アナログデジタル変換部は、複数個（少なくとも階調データ５４のビット数）の階調表示用電流源１０３とスイッチ１０８及び、１つあたりの階調表示用電流源１０３が流す電流値を規定する共通ゲート線１０７から構成される。
【００１９】
図１０では３ビットの入力１０５に対しアナログ電流を出力する。ビットの重みに応じた数の電流源１０３を電流出力１０４に接続するかをスイッチ１０８により選択することで、例えばデータ１の場合は、電流源１０３が１つ分の電流、データ７の場合は７つ分の電流といったように階調に応じた電流が出力できる。この構成をドライバの出力数に応じた数だけ１０６を並べることで電流出力型ドライバが実現可能である。トランジスタ１０３の温度特性を補償するため共通ゲート線１０７の電圧は分配用ミラートランジスタ１０２により決められる。トランジスタ１０２と電流源群１０３はカレントミラー構成となり、基準電流８９の値に応じて１階調あたりの電流が決められる。この構成により、階調により出力電流が変化し、かつ１階調あたりの電流は基準電流により決まる。
【００２０】
有機発光素子を用いた表示装置の例を図２１から図２３にしめす。図２１はテレビ、図２２はデジタルカメラもしくはデジタルビデオカメラ、図２３は携帯情報端末を示している。有機発光素子は応答速度が速いため動画を表示する機会の多いこれらの表示装置にふさわしい表示パネルである。
【特許文献１】特開２００１−１４７６５９号公報
【発明の開示】
【発明が解決しようとする課題】
【００２１】
近年携帯情報端末においても多色化が進み、６万５千色もしくは２２万色表示が主流となってきている。ドライバＩＣの入力信号がＲＧＢデジタルインターフェースの場合１６ビットもしくは１８ビット必要となる。従って入力信号線数が１６から１８本データの転送のみで必要となる。他にもシフトレジスタの動作用信号や、各種レジスタの設定などのために信号線が必要となる。
【００２２】
そのため配線数が多くなり、例えば図３のように、表示パネル３３に対し、コントロールＩＣ３１からソースドライバＩＣ３６間の配線が多くなる。そのため、フレキシブル基板３２が大きくなったり、多層基板を用いるなどコストが高くなる問題がある。
【課題を解決するための手段】
【００２３】
本発明は上記の課題に鑑みてなされたものであり、第１の本発明は、
電流制御用トランジスタを各画素に具備する有機発光素子を用いた表示装置であって、
トランジスタと、前記トランジスタのゲート電位を支える容量とを具備し、
前記トランジスタのドレイン電流が、ソースドライバ内のプリチャージ電圧発生部に入力され、
各画素の黒表示に対応した電圧が、前記電流制御用トランジスタのゲート電極に印加できる構成としたことを特徴とする有機発光素子を用いた表示装置である。
【発明の効果】
【００２４】
以上のような発明を用いることで、低階調部と高階調部で異なるトランジスタのチャネルサイズを用いた電流源で構成されたドライバＩＣにおいて、チャネルサイズ比のずれなどによる階調反転、並びにトランジスタばらつきによる隣接階調間階調反転を、嵩上げ用電流源を用い最上位ビットに対応する電流値を増加させることで階調反転を防止した。また端子毎に嵩上げ用電流源を接続するしないをレーザー加工などにより選択できる構成にしたことで階調反転による不良を低減し、歩留まりをあげる効果が得られた。
【発明を実施するための最良の形態】
【００２５】
以下本発明の実施例について、図面を参照しながら説明を行う。
【００２６】
本発明における電流出力型ソースドライバＩＣ３６の構成を図２に示す。出力数は単に１出力あたりに必要なシフトレジスタ２１及びラッチ部２２、電流出力段２３、プリチャージ電圧印加判定部５６、電流出力／プリチャージ電圧選択部２５の数を出力数の増減に応じて、増減させることで実現可能であるため、任意の出力数に対応可能である（ただし、出力数が増加するとチップサイズが大きくなりすぎることと、汎用性がなくなるため６００程度くらいが実用上最大である）。
【００２７】
本発明のドライバＩＣ３６の映像信号は制御ＩＣ２８から信号線１２及び１３により入力される。これを分配部２７により映像信号及び各種設定信号を振り分け、映像信号のみをシフトレジスタ部２１に入力する。シフトレジスタ部２１及び２つのラッチ部２２により各出力端子に分配する。分配された映像信号は電流出力段２３に入力される。電流出力段２３では、映像信号と基準電流生成部２６により生成された基準電流から、階調に応じた電流値を出力する。ラッチ部のうちプリチャージ判定信号データは、プリチャージ電圧印加判定部５６に入力される。一方プリチャージ電圧印加判定部５６では、ラッチ部２２によりラッチされたプリチャージ判定信号と、プリチャージパルス５２により、プリチャージ電源２４から供給される電圧を出力５３に出力するかどうかのスイッチを制御する信号を生成する。これによりプリチャージ電圧印加判定部５６の出力信号に応じてドライバＩＣ３６の外部に階調に応じた電流を出すか、プリチャージ電源２４から供給される電圧を供給するか選択する電流出力／プリチャージ電圧選択部２５を介してドライバＩＣ３６外部に電流もしくは電圧が出力される。
【００２８】
プリチャージ電源２４から出力される電圧は、表示パネルに黒を表示するために必要な電圧値となる。このプリチャージ電圧を印加する方法はアクティブマトリクス型表示装置に電流出力に応じて階調表示を行うためのドライバＩＣ３６特有の構成である。
【００２９】
例えば図６に示す画素構成のアクティブマトリクス型表示装置において、ソース信号線からある画素に所定電流値を書き込む場合について考える。プリチャージを行わない場合、つまりプリチャージ回路がない場合、ソースドライバＩＣ３６の出力段から画素までの電流経路に関係する回路を抜き出した回路は図１２（ａ）のようになる。
【００３０】
階調に応じた電流ＩがドライバＩＣ３６内から、電流源１２２という形で引き込み電流として流れる。この電流はソース信号線６０を通じて、画素６７内部に取り込まれる。取り込まれた電流は駆動トランジスタ６２を流れる。つまり、選択された画素６７においてＥＬ電源線６４から駆動トランジスタ６２、ソース信号線６０を介して、ソースドライバＩＣ３６に電流Ｉが流れる。
【００３１】
映像信号が変化して電流源１２２の電流値が変化すると、駆動トランジスタ６２及びソース信号線６０に流れる電流も変化する。そのときソース信号線の電圧は駆動トランジスタ６２の電流−電圧特性に応じて変化する。駆動トランジスタ６２の電流電圧特性が図１２（ｂ）である場合、例えば電流源１２２が流す電流値がＩ２からＩ１に変化したとすると、ソース信号線の電圧はＶ２からＶ１に変化することになる。この電圧の変化は電流源１２２の電流によっておこる。
【００３２】
ソース信号線６０には浮遊容量１２１が存在する。Ｖ２からＶ１までソース信号線電圧を変化させるにはこの浮遊容量の電荷を引き抜く必要がある。この引き抜きにかかる時間ΔＴは、ΔＱ（浮遊容量の電荷）＝Ｉ（ソース信号線に流れる電流）×ΔＴ＝Ｃ（浮遊容量値）×ΔＶとなる。ここでΔＶ（白表示時から黒表示時間の信号線振幅）は５［Ｖ］、Ｃ＝１０ｐＦ、Ｉ＝１０ｎＡとすると、ΔＴ＝５０ミリ秒必要となる。これはＱＣＩＦ＋サイズ（画素数１７６×２２０）を６０Ｈｚのフレーム周波数で駆動させるときの、１水平走査期間（７５μ秒）よりもながくなるため、仮に、白表示画素の下の画素に黒表示を行おうとすると、ソース信号線電流が変化途中に画素に電流を書き込むためのスイッチトランジスタ６６ａ、６６ｂが閉じてしまうため、中間調が画素にメモリーされることにより白と黒の中間の輝度で画素が光ってしまうことを意味する。
【００３３】
階調が低くなるほどＩの値が小さくなるため、浮遊容量１２１の電荷を引き抜きにくくなるため、所定輝度に変化する前の信号が画素内部に書き込まれてしまうという問題は、低階調表示ほど顕著に現れる。極端にいうと黒表示時は電流源１２２の電流は０であり、電流を流さずに浮遊容量１２１の電荷を引き抜くことは不可能である。
【００３４】
そこで、電流源１２２にくらべてインピーダンスの低い電圧源を用意し、必要に応じてソース信号線６０に印加する構成をとることにした。この電圧源が図２のプリチャージ電源２４に相当し、印加できるための機構が２５である。
【００３５】
１つのソース信号線６０に対する概略回路を図１３に示す。電圧発生部２４から供給される電圧をソース信号線６０に印加することで、浮遊容量１２１の電荷を充放電できるようにした。電圧発生部２４から供給される電圧は、図１２（ｂ）の特性に応じて各階調電流に対応した電圧を供給できるようにしてもよいが、電圧発生回路にもデータ５４に応じたデジタルアナログ変換部が必要となるため回路規模が大きくなること、画素ごとに駆動トランジスタ６２は特性ばらつきをもっているため同一階調電流に対し、対応する電圧が異なる。そのためデジタルアナログ変換部を設けて階調に応じた電圧を出しても、所定電流がかきこまれる訳でなく、そのあと所定電流まで電流源１０６により補正する必要がある。このようなことから、実用上は電圧発生部２４で発生する電圧は最も電流値の書き込みが難しい黒階調に対応した電圧のみ発生することが費用（チップ面積）対効果の面で十分であるといえる。
【００３６】
従って、電圧発生部２４から発生する電圧は１つでよく、データによって、電圧を出力するかどうかの判定を行い、スイッチ１３１の制御さえすればよくなる。つまり、ある映像信号に対応する電流出力を行う前に、電圧源２４を印加するかどうかを判別する１ビットの信号線（プリチャージ判定信号）を用意する。
【００３７】
スイッチ２５１及び２５２の１水平走査期間内での動作タイミングを図１５に示す。水平走査期間のはじめに、浮遊容量１２１の電荷をリセットするため電圧発生部２４からのプリチャージ電圧を印加する。（期間１５１）電圧により電荷をリセットすることからこの期間は短くても目的を達するため最大２μ秒程度あればよい。次に期間１５２では、スイッチ１３２のみを導通状態とし、階調に応じた電流を画素６７に供給する。なお期間１５２により所定の電流値を書き込む動作は遅いのでなるべく期間１５２を長くとる必要があり、期間１５１は最大１水平走査期間の１０％程度にしておく必要がある。
【００３８】
このように電圧発生部２４の出力期間を制御する必要があることから、プリチャージ印加期間１５１を示すプリチャージパルス５２を入力し、プリチャージ判定信号と併せて、スイッチ１３１を制御する。このため、印加判定部５６が設けられている。
【００３９】
電圧発生部２４から出力される電圧値が、黒階調時の電流に対応した電圧（以降黒電圧という）のみとしたことから、例えば、階調データ５４が連続した複数の水平走査期間にわたって白の階調を表示するとした場合、ソース信号線は黒、白、黒、白状態を繰り返すことになる。もし、プリチャージを行わない場合、白状態が連続して発生することになる。つまりプリチャージを行うことによりかえって、信号線の変化を激しくすることになる上、白表示時の電流によっては、白になりきらず書き込み電流不足を生じるおそれがある。
【００４０】
そこで、プリチャージ判定信号を用いて、電流が比較的たくさん流れる階調ではプリチャージを行わず、黒階調付近の所定電流に変化しにくい階調のみプリチャージ電源２４のアシストを受けるようにすればよい。例えば階調０（黒）の時のみプリチャージ電圧を入れる期間があり、その他の階調表示時にはプリチャージ電圧を入れないようにすることが最も効果がある。最低階調時の輝度を低くすることでコントラストも上昇し、より美しい絵が表示可能となる。
【００４１】
例えば、図１７（ａ）に示すように、階調データ５４が０の時にのみプリチャージ判定信号５５をたてることで、階調０時のみプリチャージを行うことができる。
【００４２】
また、階調データ５４が０、１の時にプリチャージ判定信号５５をたてれば、階調０、１の時にプリチャージを行うことができる（図１７（ｂ））。
【００４３】
ところで、全画面が黒表示といったソース信号線の変化がないパターンにおいては、１フレームのはじめのみプリチャージ電圧を印加すれば、あとは黒電流のみでも十分所定の階調が流れる。
【００４４】
つまり同じ黒表示時においても、前の水平走査期間でソース信号線に流した電流値によって、電流のみで所定電流値まで変化する時間が異なり、変化量が大きくなるほど、変化に時間がかかる。例えば白表示後の黒表示をするには時間がかかるが、黒表示後に黒表示を行う場合では信号線は駆動トランジスタ６２のばらつき分のみの変化となるため変化に要する時間は短い。
【００４５】
そこで、階調データ５４に同期して、プリチャージ電圧を印加するかどうかを判定する信号（プリチャージ判定信号５５）を色ごとに導入することで、任意の階調で、もしくは同一階調でもプリチャージありなしを選択できるような構成を導入することも可能である。
【００４６】
階調データ５４に対し、プリチャージ判定信号５５を付加する。これに伴い、ラッチ部２２もプリチャージ判定信号をラッチする必要があるため、映像信号ビット数＋１ビットのラッチ部を持つようにする。
【００４７】
図１７（ｃ）では階調０のときでかつ、前期間での階調が０でないときにプリチャージを入れた場合（階調０の時にプリチャージするが、連続する場合には階調０でもプリチャージを行わない）を示している。
【００４８】
この方法では、前の方法と異なり同一階調でも、１水平走査期間前のソース信号線の状態に応じてプリチャージをしたりしなかったりを選択できる利点がある。
【００４９】
なお、このプリチャージ判定信号は制御ＩＣ２８から供給される。制御ＩＣ２８のコマンド操作により図１７（ａ）から（ｃ）に示したようにプリチャージ判定信号５５のパターンを変更させて出力することができる。
【００５０】
ソース信号線の容量や、１水平走査期間の長さに応じて、ソースドライバＩＣ３６外部から柔軟にプリチャージの設定を変更させることが可能であり、汎用性がますという利点がある。
【００５１】
表示素子として用いる有機発光素子においては、発光色ごとに素子構成が異なり、キャリア注入効率、キャリア移動度、蛍光体の量子効率などが異なってくるため、発光開始電流が、発光色ごとに異なる可能性がある。例を図１４の１４１から１４３に示す。緑色はＩ１以上、青色はＩ２以上、赤色はＩ３以上の電流を流すと発光する。すると画素６７の駆動トランジスタ６２のばらつきがないと仮定しても、図１２（ｂ）のように黒電圧が表示色ごとにＶ１からＶ３と異なってくる。低電流になるほど所定電流に変わるまでの時間がかかることから、１つの電源でプリチャージ電圧を設定しようとすると、Ｖ１の電圧をすべての素子に印加することになる。このようにすれば、黒表示時にぼやっと光る黒浮きはなくなるが、次に白を表示しようとしたときに、プリチャージが無いときに比べ、赤表示画素では（Ｖ３−Ｖ１）の電圧分これまでより余分に変化させる必要がある。そのため次に白表示を行う際に、電圧変化分が大きくなる分白まで変化しにくくなる問題が発生する。
【００５２】
そこで、プリチャージ電源２４を表示色ごとに別に設けることとした。ブロック図を図１６に示す。ここでＲは赤色、Ｇは緑色、Ｂは青色発光素子への出力として説明を行う（なお、赤緑青の３原色でなくてもシアン、イエロー、マゼンダの３色でも構わない）。
【００５３】
電圧発生部２４の出力を３つ設け、出力１６１はＲのソース信号線へ出力を行い、１６２はＧ、１６３はＢへ出力する。このとき１６１の出力電圧は画素６７の駆動トランジスタ６２がＩ３の電流を流すときのソース信号線６０の電圧とほぼ等しい電圧を出力するように設定する。１６２、１６３もそれぞれＩ１、Ｉ２の電流が画素トランジスタ６２に流れるときのソース信号線６０電圧とほぼ等しい値を出力すればよい。これによって、表示色ごとに適正な電圧値を画素に直接印加することができる。
【００５４】
従って、電流出力時に変化させるソース信号線電位は少なくてすむため、より短い時間で所定の電流値に変化させることが可能であり、書き込み不足がおきにくい構成となる。
【００５５】
図８は基準電流発生回路を示した図である。基準電流は図１０で示した出力段の構成において、１階調あたりの電流値を規定するものである。
【００５６】
図８において基準電流８９は節点８０の電位と、抵抗素子８１の抵抗値により決まる。
【００５７】
さらに節点８０の電位は電圧調節部８５により、制御データ８８により変化させることが可能である。
【００５８】
電流出力を行うための階調表示用電流源１０３のトランジスタサイズによっては端子ごとの出力電流ばらつきが発生する。トランジスタサイズ（チャネル面積）と出力電流ばらつきの関係を図１１に示す。基準電流のばらつきを考慮に入れ、チップ内、チップ間の隣接端子間のばらつきを１％以内にする必要があることから図１１における出力電流のばらつき（出力段での電流ばらつき）は０．５％以下にすることが望ましく、１０３のトランジスタサイズは３０平方ミクロン以上あることがよい。
【００５９】
なお、チップ間での、基準電流対ある階調出力電流の比のばらつきをおさえるためには、分配用ミラートランジスタ１０２と、階調表示用電流源１０３は同一サイズ、同一レイアウトで設計することが望ましい。トランジスタの数の増減により上記の面積比を実現することがよい。これにより、複数のドライバＩＣ３６を並べて使用する表示装置でも、基準電流に対する出力電流の比のチップ間ばらつきが小さくなるためブロックむらのない表示が実現できる。
【００６０】
以上の方法においては、基準電流を生成するための基準電流発生部のうち抵抗素子８１がドライバＩＣ３６外付けの部品で形成されることが多い。これは、抵抗素子８１の値がばらつくと基準電流８９がばらつくため、チップごとで異なる１階調あたりの電流を出力することになってしまう。そこで、極力ばらつきをおさえるためにばらつきが小さいチップ抵抗を用いることが多い。
【００６１】
しかし、実装部品点数の削減及びアレー上配線引き回しを簡略化するためには、抵抗素子の内蔵化が必要である。本発明ではこの抵抗素子８１を内蔵した場合においても、基準電流８９のばらつきが小さくなる構成を考案した。
【００６２】
図９は、抵抗８１をドライバＩＣ３６に内蔵したときの基準電流発生部の構成を示したもので、このドライバＩＣ３６を２つ用いた場合の外部配線の関係を示したものを図１９に示す。
【００６３】
抵抗素子８１については２パーツに分割（１１ａ、１１ｂ）する。
【００６４】
２つの抵抗素子間の接続を工夫することにより、異なるチップ間での基準電流８９のばらつきを小さくすることができる。
【００６５】
２つのドライバＩＣ３６が接する場合、電流源の構成は図１９に示した２つの電流源の構成のようになる。外部配線９２により２つ必要な抵抗素子８１のうち一方を異なるＩＣ３６から取り込むようにした。
【００６６】
抵抗素子８１は隣り合うＩＣ３６の両方から１つずつ持ってきている。３６ａのドライバＩＣの基準電流８９ａは、抵抗８１ｃと８１ｂの和から決められ、３６ｂのドライバＩＣの基準電流８９ｂは、抵抗８１ａと８１ｄの和から決められる。８０ａ及び８０ｂの電圧は、図８に示すように、抵抗８４により基準電圧８６が分圧された電圧が供給される。基準電圧８６はドライバＩＣ３６に共通に入力すればばらつきがないし、さらに分圧電圧は８４の抵抗分割比により決められるため、チップ間のばらつきは小さくできるため、節点８０のばらつきは小さい。
【００６７】
従って、基準電流８９ａと８９ｂの間のずれは、抵抗素子８１のずれにより発生する。抵抗素子８１ａから８１ｄの抵抗値をＲａ、Ｒｂ、Ｒｃ、Ｒｄとし、抵抗両端にかかる電圧をＶｄとする。
【００６８】
８９ａの電流はＶｄ／（Ｒｃ＋Ｒｂ）となり、８９ｂの電流はＶｄ／（Ｒａ＋Ｒｄ）となる。
【００６９】
ＩＣ３６内部で抵抗を作成するには、拡散抵抗とポリシリコン抵抗がある。よりばらつきの少ない抵抗を作成するには、ポリシリコン抵抗を用いるほうがよく、チップ間及びロット間を含めるとおよそ５％程度のばらつきである。しかし、同一チップ内に近接して２つの抵抗素子８１を作成した場合、抵抗値のばらつきは０．１％程度となる。よって図１９に示す抵抗素子８１ｃと８１ｄ間（ＲｃとＲｄ）、１１ａと１１ｂ間（ＲａとＲｂ）のばらつきは０．１％に抑えられる。従って、８９ａと８９ｂ間でのばらつきの要因となる（Ｒｃ＋Ｒｂ）と（Ｒａ＋Ｒｄ）間のばらつきは、０．１の２乗平均である０．１４％となる。
【００７０】
このように、電流値を決める抵抗を隣接する２つのチップから相互にとることで、チップ間及びロット間ばらつきとは無関係となり、５％程度ばらつきのあるポリシリコン抵抗でも実用可能となる。よって、内蔵抵抗、ブロックむらのできないドライバＩＣ３６が実現可能である。
【００７１】
このように図９に示した構成の定電流源を用いると、実装部品を削減することができるため、コストが削減可能である利点があり好ましい構成である。
【００７２】
さて、有機発光素子を用いた表示パネルでは、点灯画素にのみ電流がながれ、非点灯画素には電流が流れない。従って全画面白表示時に最大、全画面黒表示時に最小電流が流れる。
【００７３】
表示パネルに電流を供給する電源回路は、最大電流が流せるような容量を持たせる必要がでてくる。しかし、最大電流を流すような画面表示となることはきわめて少ない。このきわめて少ない機会しか発生しない最大電流のために、大きな容量の電源回路を設けることは無駄が大きい。また消費電力を下げるためにも最大電流をなるべく小さくする必要がある。
【００７４】
そこで、最大電流を下げる方法として、白表示画素が全体の６割以上ある場合、全画素の輝度を２〜３％程度低下させる。これによると、最大電流が２〜３％低下し、ピーク時の電力が下がる。
【００７５】
この方法を実現させるには、１階調あたりの電流を決める基準電流生成部２６から発生する基準電流８９の値を２〜３％程度変化させれば実現できる。
【００７６】
そのために、表示パターンに応じて制御データ８８の値を変え節点８０の電圧を変えることで、基準電流８９を変える。
【００７７】
このように、表示パターンに応じて制御データの値を変えるには表示パターンを判別し、判別結果により制御データを変えるという制御をする必要がある。そのためこの判別は通常制御ＩＣ２８により行われる。
【００７８】
このため、制御ＩＣ２８からソースドライバＩＣ３６へ入力される信号線の数は映像信号線の他、電子ボリュームの制御データ線数だけある。そのため両ＩＣの入出力端子が増加する。電子ボリュームの制御が６ビット、映像信号線が１８ビット（各色６ビット）の場合、２４本端子が必要となる。
【００７９】
さらにプリチャージ電源２４が内蔵されている場合、プリチャージ電源２４の出力電圧を設定するレジスタが存在する。プリチャージ電圧は表示パネルのＴＦＴ特性及び、有機発光素子のしきい値電圧により決まるため、異なるパネル毎に異なる電圧値を設定する必要があり、少なくとも１回外部から設定する必要がある。１回の設定のために外部入力端子を設けるのは非効率である。
【００８０】
入出力信号線数を減らすことはチップ面積縮小、外部の配線引き回しの簡略化に有効である。
【００８１】
そこで本発明では、データ線とアドレス線を制御ＩＣとソースドライバＩＣ間に接続し、映像信号と各種設定用信号を高速にシリアル転送させるようにして信号線数を減らすことにした。映像信号も、赤緑青の３源色をシリアル転送する。
【００８２】
図１にデータ線とアドレス線のタイミングチャートを示す。スタートパルス１６が入力された後、１行分の画素データがデータ線１２より転送される。その後制御用のデータが転送される。例えば電子ボリュームの設定値などである。データ線１２に流れているデータが何であるか判別するために、アドレス１３がデータ線１２のデータに同期して転送される。この例では、アドレス線１３のデータが０のとき赤色データ、１のとき緑色データ、２のとき青色データとなる。４以上の値はコマンドデータである。
【００８３】
シリアル転送されてきたデータを分配するため分配部２７のブロック図を図１８に示す。分配部は映像信号では２段の、その他のコマンドデータでは１段のレジスタもしくはラッチ回路で構成される。
【００８４】
１段目のレジスタもしくはラッチ回路１８２により、必要なデータのみを取り込み、映像信号１１に対しては、次のシフトレジスタ部２１のキャリーパルスが長くできるよう３色の信号のタイミングを調整している。これにより図１に示すような映像データ１１が取り出される。このデータがシフトレジスタ部２１により各出力に分配される。
【００８５】
これにより入力信号線数の少ないソースドライバＩＣ３６が実現できた。
【００８６】
ここまでは画素６７の用いられるトランジスタがｐ型のトランジスタの時の例を示したが、ｎ型トランジスタを用いても同様に実現可能である。
【００８７】
図２０はカレントミラー型の画素構成をｎ型トランジスタで形成したときの１画素分の回路である。電流が流れる向きが逆になり、それに伴って電源電圧が変わる。従ってソース信号線２０５を流れる電流はソースドライバＩＣ３６から画素６７に向かって流れる必要がある。出力段の構成はドライバＩＣ外部に電流を吐き出すようｐ型トランジスタのカレントミラー構成となる。基準電流の向きも同様に反転する必要がある。
【００８８】
このように画素に用いるトランジスタがｐ、ｎ両方において適用することが可能である。
【００８９】
図２４は８ビット入力に対し、２５６段階に出力電流を出力するための電流出力段２３を示したものである。下位２ビットの信号線に対しては、“Ｉ”の電流が流れる電流源がビットの重みに応じて用意され、上位６ビットの信号線に対しては、“４Ｉ”（“Ｉ”の４倍）の電流が流れる電流源をビットの重みに応じて用意する。これにより、階調０のとき最低電流である０の電流が流れ、階調２５５のとき最大電流である２５５Ｉの電流が流れる。１階調あたりＩだけ電流が異なる。
【００９０】
電流源をトランジスタで構成するとなると、“Ｉ”の電流源のみで構成する場合、トランジスタは２５５個必要となる。一方図２４の構成では“Ｉ”の電流源トランジスタが３個、“４Ｉ”の電流源トランジスタが６３個必要となる。“４Ｉ”用のトランジスタは“Ｉ”のトランジスタに比べチャネル幅がおよそ４倍である。従ってトランジスタのチャネル面積だけ見ると“Ｉ”のみでも“Ｉ”と“４Ｉ”のトランジスタを併用した場合でも同一面積が必要である。しかし、トランジスタを形成すると、チャネル領域の他、ゲート、ソース、ドレイン各電極のコンタクト部が必要となる。これらはトランジスタ１つに付き１つずつ必要である。従って、トランジスタチャネル総面積が等しくなる２つの方法において、トランジスタ数が少ない分、“４Ｉ”と“Ｉ”を混ぜて出力する図２４の方法の方が少ない面積で出力段を形成可能となる。
【００９１】
図２４の構成をトランジスタで実現したときの例を図２５に示す。入力映像信号データＤ［７：０］に対して、Ｄ［０］とＤ［１］間、Ｄ［２］からＤ［７］間では、ビット毎の重みを出力に接続されるトランジスタの個数を変化することで表現し、下位２ビットと上位４ビット間の重み付けはトランジスタのチャネル幅によりきめた。トランジスタ２５１と２５２では、２５２の方がチャネル幅がおよそ４倍となるように設計する。ただし、チャネル幅の比と出力電流の比がぴったり一致するわけではないため、３．３倍から４．７倍の間でシミュレーションや実装データを元に、トランジスタのチャネル幅の割合を決定することでより階調性の高い出力段を構成できる。
【００９２】
このように下位ビットと上位ビットで異なるサイズのトランジスタを電流源として用いることで、トランジスタ個数の削減によりコンタクト部の面積が少なくなることでより小さい出力段を構成することが可能である。
【００９３】
出力電流は各ビットに接続された電流源トランジスタの数により決まり、１つのトランジスタに流れる電流量を個数分積み重ねるような形で、出力電流を変化させる。図２４及び図２５の８ビット出力の場合、階調と出力電流特性は図２６のようになる。（なお紙面の関係上、下位６４階調のみを図示）上位６ビットのトランジスタにより２６２の領域で示される電流が出力され、下位２ビットのトランジスタにより２６１の領域で示される電流が出力される。２６２の電流はトランジスタの個数の違いにより電流値を変えているため、刻み幅のばらつきは１％以下にできる。出力電流の大部分は２６２の部分であるため、２６１の部分の電流に多少ばらつきが生じても階調のリニアリティに影響を与えない。また２６１の刻み幅が所定の値に比べ増減しても、４階調に１回のみ刻み幅が異なる部分がでるだけで、２６２と２６１の出力電流に対する割合を考慮すると実用上は問題ない。２６２の電流割合が小さくなる低階調領域では、人間の目の特性上輝度差を認識しにくく、刻み幅のばらつきは更に目立たなくなるため、問題ない。
【００９４】
もっとも近接間のばらつきが見えやすくなる中間調（８ビット表示の場合階調１２８付近）のときにばらつきが１％以下である必要がある。そのためには図１１の関係から出力に用いるトランジスタ１つが７０平方ミクロン以上であればよい。階調１２８のときはトランジスタ２５２のみを使用するため、２５２のみが７０平方ミクロン以上の面積を持てばよい。階調１２７のときは、トランジスタ２５２により階調１２４分の電流を、トランジスタ２５１により階調３分の電流を出力する。トランジスタ２５１による電流は全体の２％程度であるため、仮にトランジスタ２５１による電流が３％程度ばらついても、全体では１％以内に納めることが可能である。トランジスタ２５２のチャネル面積が７０平方ミクロンであるならば、２５１は２５２に対し４分の１の電流を流すことから、チャネル長を等しく設計すると、チャネル幅を４分の１とする。するとこの場合面積は１７平方ミクロンである。図１１の関係から、トランジスタ２５１のばらつきは２％程度（３σをとると）となるため、全体として階調１２７のときでも隣接間ばらつきを１％以内に納めることが可能である。
【００９５】
なお、１２８より階調数が増加すると出力されるトランジスタ２５２の数が増加するため、更にばらつきが小さくなるためばらつきによるたて筋は発生しない。
【００９６】
電流出力段２３を図２４のように、各ビットに対応した電流源を用意し、入力データに応じて、各電流源の値を積み重ねることで電流出力を得る方式では、上位ビットに用いられる電流源にくらべ、下位ビットに用いられる電流源の出力ばらつきが大きくても表示可能であるという利点がある。
【００９７】
下位ビットのみで出力を行う低階調領域においては人間の視覚特性から、ばらつきが大きくても表示むらを観測しにくく、最もばらつきが見えやすい中間調領域では、上位ビット側電流源からの出力が出力電流の大部分を占めるため、下位ビット側電流源が全出力電流にしめる割合が数％となり、仮に下位ビット側の電流源が３％ばらついても全体で１％以内を実現できるという利点がある。
【００９８】
高階調領域では図２５の構成をとると、出力に用いられるトランジスタ数が増加するため、更にばらつきが小さくなるため、表示に問題がでない。
【００９９】
以上のことから、各ビットに対応して電流源を構成する方式において、上位Ｎビットと下位Ｍビットで異なるサイズのトランジスタを用いて電流出力を行う場合、最もばらつきに対して厳しい条件となる、（中間調−１階調）表示時のばらつきが１％以下となるように設計すればよい。
【０１００】
このときのばらつきは、上位Ｎビットの電流源出力ばらつきをｐ［％］とし、図１１に示すように、ばらつきがトランジスタのチャネル面積の平方根に反比例することを用いると、下位Ｍビットの電流出力ばらつきは２（Ｍ／２）×ｐ［％］となり、Ｎ＋Ｍビット表示電流出力型半導体回路の（中間調−１階調）表示時のばらつきは、｛（２Ｎ−１）×２Ｍ×ｐ＋（２Ｍ−１）×２（Ｍ／２）×ｐ｝／（２（Ｍ＋Ｎ）−１）となる。
【０１０１】
この式をまとめると、ばらつきの式は（１＋２（Ｍ／２−Ｎ））×ｐで表わされる。従って、（Ｎ＋Ｍ）ビット出力を持つ電流出力型半導体回路において、（１＋２（Ｍ／２−Ｎ））×ｐが１％以内となるようなＭの値をとれば、表示むらのない電流出力型半導体回路が作成可能である。このときとりうる最大のＭの値がＭの最大値で、最小値は１である。
【０１０２】
よって、８ビット出力において、図２４のように、Ｎ＝６、Ｍ＝２のドライバ以外にも、図２７のようにＮ＝７、Ｍ＝１のドライバ構成もとりうることが可能である。
【０１０３】
以上の説明においてはモノクロ出力のドライバとして説明を行ったが、マルチカラー出力のドライバにも適用可能である。表示色数倍同一回路を用意すればよい。例えば、赤、緑、青の３色出力の場合、３つの同一回路を同一ＩＣ内にいれ、それぞれを赤用、緑用、青用として使用すればよい。
【０１０４】
以上の発明においてトランジスタはＭＯＳトランジスタとして説明を行ったがＭＩＳトランジスタやバイポーラトランジスタでも同様に適用可能である。
【０１０５】
またトランジスタは結晶シリコン、低温ポリシリコン、高温ポリシリコン、アモルファスシリコン、ガリウム砒素化合物などどの材質でも本発明を適用可能である。
【０１０６】
図２８は、表示領域のうち上半分（領域２８１）を白表示、下半分（領域２８３）を低階調表示（例えば階調１）とした場合の図面である。このとき走査方向は図面の上から下方向とする。
【０１０７】
領域２８１から２８３の境目において、図１２で説明したとおりソース信号線の電位が浮遊容量１２１により素早く変化できないことから図２及び図１３において、階調に基づいた電流出力を行う電流出力段５４の他にプリチャージ電源２４を設け、変化に時間がかかる黒表示時にプリチャージ電圧によりソース信号線電位を黒にすばやく変化させる方法を用いたことを利用して、境目の（ア）で示した行（２８２）で、プリチャージ電圧２４を出力するようにしたところ、図２８に示すように、階調１表示を行う領域２８３の中で一番上の行のみが階調１よりも低い輝度で表示される問題がでた。
【０１０８】
これは、階調１では電流値が小さいため、変化量の小さい階調０相当の電圧から階調１までの電圧変化でも時間がかかることを示す。この現象は特に、ソース信号線容量が大きくなる大型パネルにおいて、顕著に現れる。
【０１０９】
そこで、図２９に示すように、プリチャージ電圧印加判定部５６の代わりにプリチャージパターン制御部２９２を設けた。
【０１１０】
プリチャージパターン制御部２９２は、階調データ５４及び、同期信号により出力を変化させ、例えば、階調０が入力された場合でも、フレームによってプリチャージ電源２４を電流出力１０４に出力させたりさせなかったりするようなことを可能とした。
【０１１１】
例えば３フレーム中２フレームではプリチャージを行い、１フレームではプリチャージをしないといったことが可能となり、図２８の表示例ではプリチャージを行ったフレームでは、階調０と１の間の表示が、行わないフレームでは白と黒の中間レベルが表示されるようになる。この場合フレームレートコントロールと同じように２８２の行ではプリチャージを行った時の輝度２フレーム分と行わなかった時の輝度の１フレーム分を足して３フレームで割った値が１フレームあたりの輝度として表示されることとなる。
【０１１２】
プリチャージありのときとなしのときでの輝度差によるフリッカを防ぐために
フレーム毎、同一フレーム内でプリチャージありの黒表示画素３０２とプリチャージなしの黒表示画素３０３を分散して配置した。このときのパターンを図３０に示す。
【０１１３】
さらに３フレーム以外でも２フレーム間でも任意のフレーム間でもよい。図３１には２フレームでプリチャージありなしを制御した場合の例を示す。この場合黒表示画素の輝度はプリチャージを行った時の輝度と行わなかった時の輝度の平均となる。
【０１１４】
これにより、同じ黒表示画素でも図３０と図３１では輝度が異なる。このことを利用して、表示階調毎にプリチャージを行うフレームの割合を変化させることで所定の輝度に近い表示を行えるようにした。
【０１１５】
図３２にその一例を示す。一般にプリチャージを行う割合を多くすればするほど黒になることから、低階調ほどプリチャージを挿入する割合を増加させる。例えば階調０では、全てのフレームにおいてプリチャージを行い、階調１では３フレームの内２回行い、階調２では２フレームの内１回行う。このようにすることで、プリチャージの回数により階調特性に近い輝度の関係を出すことが可能である。
【０１１６】
更に階調性をよくするためには、図３３に示すように、プリチャージ用電源２４を複数個用意する方法がある。２４ａの出力電圧をＶ１、２４ｂの出力電圧をＶ３とする。（ここでＶ１＞Ｖ３）２種類の電源を用意すると、Ｖ１のみを印加する場合、Ｖ１とＶ３を交互に印加する場合、Ｖ３のみを印加する場合の３通りあるため、２種類の電源により数フレームで平均すると３通りのプリチャージ電圧を発生させることが可能となる。
【０１１７】
図３４に階調に応じてプリチャージ電圧の印加パターンを変えた一例を示す。
【０１１８】
図１０で示したような、電流出力部が引き込み型の電流源で構成された場合、画素の構成は図６もしくは図４４のようにｐ型のトランジスタで構成される。画素回路にソースドライバからの電流を供給するときの等価回路を図１２に示す。（必要な回路構成のみを示している。そのため、図６でも図４４でも等価的には図１２の回路構成となる）駆動トランジスタ６２のドレイン−ゲート間電圧とドレイン電流特性を図１２（ｂ）に示す。これをゲート電位対ドレイン電流特性に書き直したものが図３５となる。階調０の時には電流Ｉ１が流れるように設定され、階調１の時にはＶ１とＶ３の平均であるＶ２の電圧がかかっているように見えるため、Ｉ２の電流が流れるのと等価となる。また階調２ではＶ３に対応したＩ３の電流が流れる。このようにすることで、プリチャージ電源２４のみでもＩ１からＩ３のように、階調に応じた電流値を流すことが可能である。また、プリチャージを印加後には階調に応じた電流を流す期間があるため、所定の電流値に対してずれがあっても所定の電流に変化させることが可能である（プリチャージ電圧は図３５の関係を用いて、所定電流に対応した電圧を印加するようにするため、実際にずれがあるとすると、駆動トランジスタ６２のプロセスばらつきによるものである。これは低階調領域では数ｎＡ〜十数ｎＡ程度であるため、十分電流変化させることは可能である。）。
【０１１９】
このように複数の電圧源を用意し、フレーム毎に印加する電圧値を変化させる方法を組み合わせると、少ない電圧数で所定の電流値に対応した電圧値を数多く出せることから、小さい回路規模でより階調性のよい表示を実現させることが可能となる利点がある。
【０１２０】
また、図３３では更に、高電流領域（＝高階調領域）で、十分電流が書き込めなくなる場合を想定して、嵩上げ用電流源３３１を用意し、所定電流＋嵩上げ電流により、浮遊容量の電荷の充放電を早くする方法も併用することが可能である。
【０１２１】
プリチャージパターン制御部２９２の入力を階調データではなく、プリチャージ判定信号を入力することにより、最も所定の輝度になりにくい、白表示の下の行のみフレーム毎に印加する電圧を変えてソース信号線に出力し、低階調表示の下の行では、電圧をソース信号線に出力しないといったことも可能となる。
【０１２２】
図３６は、プリチャージ電圧を３種類用意した例である。フレーム毎で印加する電圧値を変化させない場合は、３種類の電圧しか出力できないが、フレーム毎に異なる電圧を出力するようにすると、平均値として３種類よりも多い電圧値を出力することが可能となる。
【０１２３】
例えば偶数フレームと奇数フレームで同一もしくは異なる電圧を出力するようにすると、図３７に示すように６種類の電圧印加パターンが実現できる。このようにフレーム毎に異なる電圧も印加できるようにすることで少ない電源で多くの電圧値を出力できる利点がある。この例では２フレーム間の平均で電圧を異ならせているが、３フレーム以上でも適応可能である。フレームレートコントロールによる階調表示と同様フレーム数を多くするとフリッカが発生しやすくなるため多くても３フレーム程度が望ましい。
【０１２４】
更に電圧値を多くするにはプリチャージ用電源２４を多くする方法もあるが、電圧数だけスイッチ１３１も必要となる。特にスイッチは各ソースラインに電源数だけ必要となるため、大きな面積をしめることになる。
【０１２５】
これは、各ソースラインにおいてデジタルデータ（階調データ）をアナログ値（プリチャージ電圧）に変換するため、ソースライン毎にデジタルアナログ変換部が必要になるために、出力電圧数が増えるほど回路規模が大きくなる。
【０１２６】
そこで図３８に示すようにデジタルアナログ変換部３８１は、半導体回路で１つのみ用意し、シリアル転送されてきたデータをアナログ電圧に変換し、その後、各ソース信号線に分配するようにする。そのためにデジタルアナログ変換部の出力３８２を分配部及びホールド部３８３に入力し各ソース信号線に、階調データに基づいたアナログ電圧を分配し供給する。
【０１２７】
一方階調に応じた電流を出力する方法は図２と同様に、階調データ３８６をシフトレジスタ及びラッチ部３８４で各ソース線に分配し、各ソース線にある電流出力段２３により階調に応じた電流を出力するようにしている。
【０１２８】
電流もしくは電圧のいずれかを出力するかを決める部分として電流電圧選択部３８５をソース信号線への出力の直前に配置した。プリチャージ判定信号３８３によりプリチャージ電圧印加判定部５６により、電流電圧選択部３８５を切り替え、電流を出力するか、電圧を出力するか、電圧出力後電流を出力するかのいずれかを決める。
【０１２９】
これにより、デジタルアナログ変換部３８１が階調数に応じたアナログ出力段階数を持てば、階調に応じた電圧を出力することが可能となり、ある行が選択されている期間（水平走査期間に相当する）において、まず電圧によりほぼ所定の値までソース信号線電流を変化させ、その後、各画素のトランジスタのばらつきによる電流値のずれを電流出力により補正するということが可能となる。
【０１３０】
電流により所定電流値にまで変化させるには、特に低階調部において水平走査期間以上の時間がかかることが多いが、電圧により変化させる方法はほぼ１μ秒で変化を完了させることが可能な上、電流による補正はわずかであるため、電圧印加後電流を流す方法では水平走査期間内に所定電流まで電流を変化させることが容易となる利点がある。
【０１３１】
特に白表示時に比べ黒表示時では、ｔ＝Ｃ×Ｖ／Ｉの式からソース信号線に流れる電流値が少ないため、ソース信号線の浮遊容量に蓄積された電荷を所定階調に対応した電荷量まで充放電するのに時間がかかる（ｔは変化に要する時間、Ｃはソース信号線の容量、Ｖはソース信号線電圧、Ｉはソース信号線に流れる電流）。
【０１３２】
一方で、電流Ｉが多く流れる白表示時では、１水平走査期間内に所定の電流まで変化させることが可能である。（例えばＩ＝２μＡ、Ｖ＝５Ｖ、Ｃ＝１０ｐＦの時ｔ＝２５μ秒。ＱＶＧＡのパネルをフレーム周波数６０Ｈｚで動作させたとき水平走査期間は約６５μ秒であり、十分変化可能である）
この場合、デジタルアナログ変換部３８１のダイナミックレンジ及び分解能を低下させることが可能となる。
【０１３３】
例えば２５６階調表示が可能な駆動用半導体回路において、上位１２８階調では電流のみで十分所定の電流値に変化できるなら、電圧を出力するのは下位１２８階調分でよい。従ってデジタルアナログ変換部３８１は７ビットの分解能であればよく、１２８種の電圧が出力できればよい。階調データ３８６が上位１２８階調のうちの１つであるときには、電圧出力を行わないように、プリチャージ判定信号３８３を入力する。これにより電流電圧選択部３８５は必ず電流のみを出力するようになる。デジタルアナログ変換部３８１の出力信号は駆動用半導体回路の外部に出力されないため、どのような値であっても良い。最も簡単な方法としては入力階調データ３８６の上位１ビットを無視して、下位７ビットの値に対応した電圧を出力しておいてよい。
【０１３４】
階調データ３８６が０から１２７階調の間である場合には、プリチャージ判定信号３８３により、電流電圧選択部３８５を制御して、デジタルアナログ変換部３８１からのアナログ電圧を駆動用半導体回路外部に出力する期間を設ける。
【０１３５】
これによりデジタルアナログ変換部の分解能を小さくした回路が形成できる。またソース信号線の電圧は一般に図６のようなｐ型トランジスタを用いたカレントコピアや図４４のようなカレントミラーの画素構成の場合、黒表示時が最も電圧が高く、白表示になるに従って電圧が低下していく。黒から白の範囲での電圧変化幅に比べ、黒から中間調の範囲での電圧変化幅の方が小さくなる。従って、０から１２７階調の時のみ電圧を出力するような構成とした場合は、出力電圧のダイナミックレンジを小さくすることが可能となる。
【０１３６】
電圧と電流を一水平走査期間内に順に出力する場合は図４５のような構成とする。ここでプリチャージパルス４５１は、一水平走査期間のうちどの期間まで電圧を出力するかを決める信号である。またプリチャージ印加判定部５６の回路構成の一例を図４６に示す。また、電流のみを出力する場合、電圧のみを出力する場合、電圧出力後電流を出力する場合における入力信号波形を図４７に示す。ここでプリチャージ判定信号３８３は２ビットの信号線とした。これは、プリチャージを行うかどうか（電圧を印加するかどうか）の判定と、プリチャージを行う場合、水平走査期間のはじめのみ行いその後電流を出力する場合と、全てプリチャージ電圧出力を行う場合の判定を行う必要があるため、区別に必要な最低ビット数として２ビット用意している。ここでは説明上、プリチャージを行うかどうかの判定を最上位ビット（３８３ａ）、電圧を印加する期間を判定する信号を最下位ビット（３８３ｂ）とする。
【０１３７】
入力階調データが、高階調データであるときに、プリチャージを行わなくとも所定電流値まで信号線が変化できるときは、１水平走査期間内で電流のみを出力するようにする。図４７の４７１の期間がこれに相当する。このとき、プリチャージ判定信号３８３ａをローレベルとすれば、図４６の構成から、電流電圧選択部３８６は常に電流出力を選択する。これにより、電流のみが出力される。
【０１３８】
一方、低階調データで、電流出力では、所定電流値までソース信号線が充分に変化できない場合、プリチャージ電圧を出力する必要がある。このときは、プリチャージ判定信号３８３ａをハイレベルとする。図４６の構成から、プリチャージパルス４６１とプリチャージ判定信号３８３ｂにより、電流電圧選択部３８６の動作が変化する。
【０１３９】
電流により所定電流値までソース信号線の状態がほとんど変化できないような低階調部（特に電流が０となる階調０）においては、プリチャージ電圧により階調を表示する。そのため、電流出力期間が必要ないため、４７２の期間で示すように、常に電圧が出力されるようにする。このためには図４６の回路構成の場合、プリチャージ判定信号の最下位ビットをハイレベルとして、プリチャージパルス４５１の状態に関わらず電圧を出力するようにする。
【０１４０】
一方、中間調付近の表示のように、電圧により所定電流値に近い状態までソース信号線の状態を変化させれば、電流により所定電流値まで変化できる場合、まず水平走査期間のはじめに電圧出力を行うことで所定電流値近傍までソース信号線の状態を変化させる。その後所定電流値までの変化を電流により行う。このときの電圧印加期間と電流出力期間の割合を決める信号がプリチャージパルス４５１で、プリチャージ判定信号３８３ｂをローレベルにすることによりプリチャージパルス４５１の状態によって、電圧出力するか電流出力するか判定を行うようにした。
【０１４１】
図４５、４６の構成例、及び図４７のような波形入力により、電流により階調表示を行うことも、電圧により階調表示を行うことも、電圧でまず所定階調近傍まで信号線状態を変化させてから電流による階調表示を行うことも可能なソースドライバＩＣを実現できた。
【０１４２】
一般にソースドライバＩＣを使うパネルのサイズの違い（ソース線の浮遊容量が異なる）や、走査方向の画素数の違い（水平走査期間が異なる）により、電流変化のしやすさが異なる。
【０１４３】
本構成のドライバＩＣを用いるとプリチャージパルス４５１をソースドライバＩＣ外部から入力するようにすれば、プリチャージ判定信号３８３及び階調データ３８６は図２に示すように、外部信号入力となることからパネルにあわせて、電流、電圧、両方を利用して階調表示の３通りを行う階調範囲を任意に設定できるという利点がある。階調範囲の設定は図２のように外部に形成されたコントロールＩＣで制御することができる。またコントロールＩＣの動作をコマンド入力により変化させられる場合は、コマンド入力により調整可能となる。なお、コントロールＩＣは図２のようにソースドライバＩＣの外部に構成される場合の他、液晶用ソースドライバの一部に見られるように、ソースドライバＩＣとコントロールＩＣを同一チップに一体化して形成しても構わない。このときは一体化されたＩＣのコマンド入力により階調範囲を調整できるようにしておけばよい。
【０１４４】
以上の発明により、低階調部において、ソース信号線に流れる電流が小さいことから所定時間（水平走査期間）内に電流が所定値に変化できないために、白表示を行った次の行の画素の輝度が所定値よりも高くなるという問題をプリチャージ電圧入力により解決した。
【０１４５】
例えば図３９に示すような黒表示画面内に１行の白表示領域がある画像において、プリチャージを行わない場合、図３９（Ａ）の３９２ａに示す白表示領域３９１ａの下の行では黒表示とならず、ぼやっと点灯した状態となってしまっていたが、３９２の行でプリチャージを行うことにより、図３９（Ｂ）に示すように、３９２ｂの行においても黒表示が実現できた。
【０１４６】
一方で、プリチャージ電圧の種類を少なくし高階調表示に対応した電圧値をなくし高階調部では電流のみにより階調表示を行うようにした場合ときには次のような問題が発生する。
【０１４７】
図４０に示すような、白画面の中に１行の黒表示領域（４０１）を表示したパターンにおいて、図４０（Ｂ）に示すように４０１の行でプリチャージを行って黒表示を実現した場合、プリチャージを行った次の行（４０２）の白表示の輝度が他の白表示の輝度よりも低下する（４０２ｂ）という問題がパネルの垂直解像度、サイズ、白表示時の電流値によって発生する。
【０１４８】
これは、電流値が変化するのに必要な時間ｔがｔ＝Ｃ×Ｖ／Ｉで表され、パネルの垂直解像度が増加すると、水平走査期間が短くなるため、必要な時間ｔに対し許容される時間Ｔの範囲が小さくなることで、ｔ＞Ｔとなることで所定輝度まで変化せずに、画素に電流が書き込まれてしまうこと、パネルサイズが増加すると、ソース信号線の容量が大きくなるため、ｔが長くなること、白表示時に必要な電流値が低下すると、ｔが長くなることによって、所定電流まで変化しきれなくなることから、白表示時でも所定輝度にならないという問題が発生する。
【０１４９】
とくに図４０の場合、４０２の行と４０２の下の領域である４０３の領域で本来同じ輝度であることから、この２つの領域で輝度が異なると、輝度ムラとして観測されてしまう。一方で黒表示行４０１の輝度が黒表示に比べ高かったとしても１行のみの表示であるため、ムラとはならず表示品位への影響は小さい。
【０１５０】
一方、図３９の場合では、黒表示部において３９２の行と３９３の領域で輝度が異なると輝度ムラとして観測されるが、白表示行３９１の輝度がプリチャージありなしで異なったとしても、白表示部はこの行しかないため、ムラとして観測されない。
【０１５１】
この２つの画像において、図３９の表示パターンの場合プリチャージを行った方が良いが、図４０の表示パターンにおいてはプリチャージを行わない方がよいという結果が得られる。
【０１５２】
つまり白表示部が多く黒表示部が少ない画面においてはプリチャージにより発生しやすくなる輝度ムラを防ぐために、黒表示画素においてもプリチャージを行わず、黒表示部が多い画面においては、所定の電流にならないことによる黒輝度の上昇（黒浮き現象と呼ぶ）による表示品位の低下の方が、白輝度が所定輝度とならない問題に比べ目立つため、プリチャージを行った方がよい。
【０１５３】
なおこの問題は、図３８や図４５に示すような構成によって、各階調に対応したプリチャージ電圧が用意され、全階調に対し所定電流値までの変化が早くなる構成においては発生しない。しかし、回路規模を小さくするためプリチャージ電圧の種類を少なくした構成おいて問題となる。プリチャージ電圧が少ない場合における対策を次に示す。
【０１５４】
パネルの点灯率によってプリチャージを行うかどうか、プリチャージを行う階調数を変える。
【０１５５】
パネルの点灯率は１フレーム間全ての輝度データを加算することにより算出可能である。この方法で得た点灯率の値により、点灯率が高い場合プリチャージを行わないもしくは、プリチャージを行う階調の種類を削減する（例えば階調０のみ）ようにし、点灯率が低い場合にはプリチャージを行うようにすることで、低階調表示の画素の輝度を忠実に表示できるようにできる。
【０１５６】
なおこの方法では実際にプリチャージを行う画面と、点灯率を表示した画面では１フレーム異なる。計算した画面は１フレーム前の画面となる。静止画を表示した場合にはこの２フレーム間でも点灯率は変化しないため、表示に支障はない。一方で動画を表示した場合は１フレーム間では極端に点灯率が変化することは少なくプリチャージによる図３９、４０のような弊害は起きにくい。急激に変化するフレームが連続した場合には、表示パターンが１／６０秒ごとに変化しており、各表示パターンで図４０（Ｂ）のような現象が起きたとしても、人間の目では視認できない。
【０１５７】
それゆえ、１フレーム前の画像を元にした点灯率データを用いて、点灯率によりプリチャージを行う階調及びプリチャージを行うフレームの割合を変化させることは図３９及び図４０の双方のパターンでの表示ムラを防ぐために有効である。なお、表示モジュールの中でフレームメモリを用いて１フレーム間データを蓄積するようなブロックがあれば、蓄積時に点灯率を計算し、読み出されたときにこの点灯率データを付与することで、当該フレームの点灯率を用いてプリチャージを印加するパターンを変化させることができるようになるため、１フレーム前のデータである必要はない。フレームメモリなどの蓄積手段がないときに、１フレーム前のデータを用いる構成とし、点灯率計算のための記憶手段を省ける構成としている。
【０１５８】
点灯率に応じてプリチャージを行うパターンを変える例としては、点灯率が１０％以下の場合には全階調の下から２分の１の階調でプリチャージ電圧を印加し、（ここで印加するとは図４７に示す、電圧のみ出力の他、電圧出力後電流出力を行う。両方を含める）１０％を超えて４０％以下の場合には全階調のうち下から８分の１の階調でプリチャージ電圧を印加するようにし、点灯率が４０％を超え６０％以下の場合には階調０（黒表示）の場合にのみプリチャージ電圧を印加し、６０％を超える場合にはプリチャージを行わないとする。これにより少ないプリチャージ電圧数であっても所定電流が書き込みにくい問題から発生する表示ムラを低減することが可能である。
【０１５９】
図３９の表示パターンにおいて黒表示部にプリチャージ電圧を印加することで、図３９（Ａ）の３９２ａに示す行で、黒浮きが発生するという問題を解決することができた。
【０１６０】
（図３９（Ｂ））しかし黒表示部３９３全体にプリチャージ電圧を印加した場合、３９３の領域での画素の駆動トランジスタ６２のしきい値電圧ばらつきにより、表示輝度にばらつきが発生するおそれがある。これは例えば画素の回路構成が図６に示すような構成である場合、選択行の画素では図７（ａ）に示す等価回路となる。プリチャージ電圧を出力した場合、プリチャージ電圧と同一電圧が駆動トランジスタ６２のゲート電極つまり節点７２に印加される。行によって駆動トランジスタ６２のゲート電圧対ドレイン電流特性にばらつきがあると、同一プリチャージ電圧が印加された行間で輝度にばらつきが発生する。ばらつきを補償するためにその後電流を流すことでゲート電位をばらつきに応じて変化させる方法をとることが多い。
【０１６１】
低階調部では電流変化に要する時間が長くなるためなるべく電流を流す期間を長くしたい。また、数行にわたり同一階調を表示する場合、同一階調を表示する行に対応する期間でソース信号線の変化は、ばらつきを補償する分のみであるため変化量が小さい。例えばソース信号線の状態が、白、黒、黒となる場合には白から黒になるときには変化量が大きく時間がかかるが、黒から黒へは変化量が小さいため、プリチャージを行わなくても変化させることが可能である。
【０１６２】
このことを利用して、１行前のデータを参照し１行前のデータと当該データの階調差が大きい場合にのみプリチャージ電圧から電圧出力を行うようにする。前の例では、白から黒に変化する場合にプリチャージを行い、黒から黒への変化時にはプリチャージを行わないようにする。黒から黒へのばらつき補正に必要な変化の時間がプリチャージを行わない分長くすることが可能であり、より補正の精度を高めることが可能となった。
【０１６３】
一般に電流値の変化は、黒から白状態の変化に比べ、白から黒状態に変化する方が難しい。１行前の画素の階調が中間調以上であるときに、当該画素の輝度が中間調以下となる場合にプリチャージを行うようにすることが効果的である。
【０１６４】
１行前が中間調以下であれば、当該画素の輝度が中間調以下の場合でも変化量が少ない分、所定階調を表示できる。
【０１６５】
一方で当該画素が中間調以上の場合は電流量が多いため、所定電流まで変化することが容易となるため、１行前の画素によらずプリチャージは不要となる。ただし、解像度が高い場合や、中間調でも電流量が少ない場合、パネルサイズが大きいなど変化しにくい場合は、１行前の画素が中間調以下の場合にプリチャージを行っても良い。また、図３３の嵩上げ用電流源３３１を出力して、電流値を増加させることで変化に要する時間を短縮し、所定電流にしやすくする方法でもよい。
【０１６６】
１フレーム間の中にどの行も選択されない垂直ブランキング期間が一般的に存在する。このときソース信号線はスイッチングトランジスタによりどの画素からも切り離され、電流の流れる経路がなくなる。ソースドライバＩＣの電流出力段が図１０のように構成された場合、垂直ブランキング期間では電流出力１０４の先にはソース信号線しか接続されておらず、階調表示用電流源１０３が電流をソース信号線から引き込もうとしても、電流経路がないため引き込めない。
【０１６７】
階調表示用電流源１０３はそのため無理にでも電流を引き込もうとして電流源１０３を構成するトランジスタのドレイン電圧を低下させる。ソース信号線の電位も同時に低下する。
【０１６８】
垂直ブランキング期間が終了し、１行目の画素に電流を供給しようとするときにはソース信号線電位の低下が大きくなり、通常の白表示時に比べてもソース信号線電位が低下する。（ここでソース信号線の電位は白表示時が最低で、黒表示時が最高電位となる。図６もしくは図４４の画素構成としたとき）そのため、階調に対応した電流値になるまでソース信号線の電位を変化させることが他の行に比べて難しくなる。（必要な変化幅が大きい）
ソース信号線電位の低下が大きい場合、白表示時に比べて更に電位が低下し、１行目に白表示を行う場合でも変化に時間がかかる場合、所定輝度に比べて高い輝度で表示が行われてしまう。垂直ブランキング期間終了後すぐに走査を行う行に関しては表示階調によらず、プリチャージ電圧を出力することが望ましい。
【０１６９】
そこで本発明では垂直同期信号を利用して、垂直ブランキング期間の次の行に相当するデータに対応したプリチャージ判定信号では強制的にプリチャージを行うような信号として、１行目の輝度が他行の輝度と異なる問題を解決した。
【０１７０】
なお、ソース信号線の電位低下を少しでも和らげる方法として、垂直ブランキング期間においては階調データ５４に黒表示データを入力し、スイッチ１０８を非導通状態とすることでソース信号線電位の低下を抑えてもよい。また、電流出力１０４とソース信号線の間にスイッチを設け、垂直ブランキング期間ではそのスイッチを非導通状態とするようにしてもよい。このスイッチは電流電圧選択部３８５と兼用にしてもよく、スイッチの状態が３値とれるようにして、電流出力、電圧出力、ソース信号線と切り離すというようにすれば、スイッチの構成数を減らすことが可能である。
【０１７１】
以上に示したプリチャージの方法を行うためのフローチャートを図４１に示す。
【０１７２】
映像信号と強制プリチャージ信号から強制プリチャージ信号が有効の場合、映像信号によらずプリチャージ電圧を出力する。出力される電圧値は電圧数が複数ある場合には映像信号に応じて変化させてもよい。ここで１行目に対応する映像信号が入力されているときのみ強制プリチャージ信号を有効にすると、１行目のデータは映像信号によらずプリチャージを行い、垂直ブランキング期間にソース信号線電圧が低下することによる電流が所定値まで変化しにくくなる現象を回避することが可能となる。
【０１７３】
強制プリチャージ信号が無効の場合、次に入力映像信号の階調を判定する（４１２）。小型パネルや解像度の低いパネルでは電流量が低階調部に比べて多い高階調領域では、所定期間（１水平走査期間）内で電流のみで所定電流値まで変化させることが可能である。そこで４１２において所定電流を書き込むことが可能な階調においてはプリチャージを行わず、電流だけでは所定電流とならない階調ではプリチャージを行うような判定を行う。
【０１７４】
次にプリチャージが必要な特定階調以下の場合は４１３に進む。（ここで特定階調については表示パネルにより異なるため外部コマンドにより特定階調を設定できることが好ましい）１行前の映像信号の状態によりプリチャージするしないを判定する。これは、黒表示後と白表示後に黒を表示する場合、黒表示後では電流のみで黒を表示可能であるが、白表示後では黒までソース信号線が十分に変化できないことに対応するもので、ソース信号線の変化量が多くなる場合にプリチャージを印加するようにする。４１２の過程で特定階調以下の映像信号が入ってきたときに４１３が実行されるため、４１３においてプリチャージをするのは１行前のデータがある階調以上（ここで４１２と４１３で特定階調はそれぞれ別の値を設定できる）の時で、ある階調以下の場合にはプリチャージをしない。
【０１７５】
つぎに図３９、４０で示したように画面の点灯率によってプリチャージを行うかどうかを判定する（４１４）。図４０に示したような点灯率が高い表示の場合、黒が所定階調とならないよりも、白が所定階調とならない方が問題となることから点灯率が高い画面では入力映像信号の階調によらずプリチャージをしないようにする。ここでプリチャージを行うかどうかの境界となる点灯率の設定は外部コマンドにより変更できるようにして汎用性の高い半導体回路とすることもよい。点灯率が低い場合にはプリチャージを行い４１５に進む。ここで、点灯率が中程度の場合には複数のフレーム間で間欠的にプリチャージを行い、低いときには必ずプリチャージを行うといったことを行う場合には４１４から４１５への信号線ビット数を複数として、点灯率毎に４１５の動作を異ならせるといったことを行っても良い。点灯率が徐々に変化する画面においてあるフレームに来たときに４１４でプリチャージするしないの判定が変わり画面の輝度が点灯率に対して急激に変化してしまったときに発生するフリッカを防ぐことに有効である。
【０１７６】
つぎに４１５においてＦＲＣフラグによってプリチャージをするかしないか判定する。これは図３２に示したプリチャージ印加パターンを実現するためのものである。ＦＲＣフラグは同一画素に対応するデータに対し、図３２の場合では第１のＦＲＣフラグとして、３フレーム中２フレームでプリチャージを行うという信号を出力し、残りの１フレームではプリチャージをしないという信号を出力する。第２のＦＲＣフラグとして２フレーム中１フレームでプリチャージし、のこり１フレームではプリチャージしないという信号を出力する。入力映像信号に対し、どのＦＲＣフラグを用いるかの関係を決めることで、フレーム間で間欠的にプリチャージを行うことが可能となる。なお全てのフレームでプリチャージをするという場合（図３２で階調０の場合）は常にＦＲＣを行うという信号を出すＦＲＣフラグを参照するということにすれば、毎フレームプリチャージを行うことも可能である。
【０１７７】
なお本説明では４１１から４１５のすべての過程を順に通してプリチャージをするかどうかを判定したが、必ずしも全ての過程がなくてもよい。
【０１７８】
プリチャージを行うかどうかの判定を行うほかに図３４に示すような階調に応じてプリチャージ電圧が異なるといった場合もある。ＦＲＣフラグを用いて行う場合、プリチャージするのを電圧Ｖ２印加、プリチャージしないを電圧Ｖ１印加というように読み替えて行えば実現可能である。３値以上の場合にはＦＲＣフラグのビット数を増やすことで実現できる。
【０１７９】
本発明によるプリチャージの方法を実現する回路ブロックを図４２に示す。映像信号４１０に対し各ブロックによる判定の結果としてプリチャージするかどうかの判定信号が４１７に出力される。映像信号４１０とほぼ同一タイミングで出力される判定信号４１７により、ソースドライバ側でプリチャージを行うかどうかが決まる。シリアルパラレル変換部４２７は必ず必要というわけではなく、図２の３６で構成されたソースドライバＩＣと組み合わせて実現する際に、ソースドライバ３６の入力インターフェースにあわせるために必要なものである。
【０１８０】
映像信号４１０はプリチャージ判定部１（４２１）及びプリチャージ判定部２（４２３）、ＦＲＣ挿入手段（４２４）に入力される。
【０１８１】
プリチャージ判定部１（４２１）は、図４１の１行前データにより判定（４１３）を行うためのブロックである。映像信号４１０と１行前階調設定信号４２８により、映像信号４１０の値が１行前階調設定信号４２８より大きければプリチャージをせよという信号を記憶手段４２２に出力し、小さければプリチャージしないという信号を記憶手段４２２に出力する。記憶手段４２２において１垂直走査期間値を保持することにより、１行前のデータとなる。１垂直走査期間値を保持する必要があるため、記憶手段４２２は水平方向の画素数分だけのビット数が必要である。このとき記憶手段４２２に蓄積されているデータはプリチャージするもしくはしないのどちらかが記憶されている。
【０１８２】
なお、記憶手段４２２とプリチャージ判定部１（４２１）は順序が逆となっても良い。つまり映像信号４１０を記憶手段４２２に１垂直走査期間保持することで、１行前のデータとし、このデータからプリチャージ判定部１によりプリチャージを行うかどうかを決めることも可能である。この方法では映像信号４１０を保持する必要があるため（映像信号４１０のビット数）×（水平方向の画素数）分のビット数が必要となるため、回路規模削減の点からは図４２の構成が望ましい。ただし、プリチャージ以外の機能ブロック部で１行分の映像信号を蓄積することがある場合には、この機能ブロック中の記憶手段４２２を用いて行うことも可能であるため、４２１と４２２の順序が逆の場合でもよい。
【０１８３】
映像信号４１０は同時にプリチャージ判定部２（４２３）にも入力される。プリチャージ判定部２（４２３）では、４２１のブロックと同様に、映像信号４１０とプリチャージ印加階調設定信号４２９により入力映像信号の階調によってプリチャージを行うか行わないかを判定する（図４１の４１２の処理に相当する）。
【０１８４】
プリチャージ判定部２（４２３）の出力に対し、１行前データ選択部４００で階調によりプリチャージをするか判断後に１行前データの判定結果である記憶手段４２２の出力を参照し、階調によってプリチャージをするときにさらに１行前データによってするかどうかを判定する。
【０１８５】
この動作のために１行前データ選択部４００は４２３出力と４２２出力の論理積をとるようにする。階調データとして白データが入力された場合で、プリチャージ印加階調設定信号４２９で中間調以下でのみプリチャージをするとすれば、４２３の出力は“Ｌ”レベルとなる（“Ｌ”レベルはプリチャージなしとする）。このとき１行前のデータがどうであれ、４００の出力は“Ｌ”レベルとなり図４１の条件を満たす。
【０１８６】
一方黒データが入力され信号４２９が同じであるとすると４２３の出力は“Ｈ”レベルとなり、４００の出力は１行前データの判定結果である４２２の出力次第で変化する。１行前階調設定信号４２８が中間調とした場合で、１行前のデータが白であれば４２１の出力は“Ｈ”レベルで、記憶手段４２２から出力される信号も“Ｈ”レベルとなり、４００の出力も“Ｈ”となる。１行前のデータが黒であれば、４２１の出力は“Ｌ”レベルとなり同様に考えると４００の出力は“Ｌ”レベルとなる。
【０１８７】
つまり１行前データ参照部４００の出力は、映像信号４１０がプリチャージ印加階調設定信号４２９で示す階調以下で、１行前の映像信号４１０が１行前階調設定信号４２８で示す階調以上の場合にのみプリチャージを行うことを示す“Ｈ”レベル信号を出力し、その他の場合にはプリチャージを行わないとなる。これにより図４１の４１２及び４１３の処理が実現した。
【０１８８】
なお、１行前のデータによらず入力映像信号によってプリチャージをするかどうかを判定する場合（４１３のステップをなくす場合）には記憶手段４２２の出力を常に“Ｈ”レベルとすればよく、例えば１行前階調設定信号４２８を０（黒）と設定するか、１行前データ参照部４００において、１行前データ有効無効信号を入力し、この信号と４２２の出力の論理和の出力を４２３の出力と論理積をとるという方法をとってもよい。
【０１８９】
これにより例えば全面黒表示の場合に、はじめの１行のみプリチャージを行うこと、全画素でプリチャージを行うことのいずれのプリチャージの方法も実現可能となる。
【０１９０】
ＦＲＣレジスタ選択部４２４は映像信号４１０の階調によってＦＲＣを行うかもしくはプリチャージを行うフレームの割合を選択するためのブロックである。（図３２の表を実現するためのブロック）
ＦＲＣ生成部４２５には、ＦＲＣレジスタ４３３からなる。クロック、水平走査信号、垂直走査信号ごとにＦＲＣレジスタ４３３をシフト処理することにより、フレーム毎にプリチャージするかしないかを判定できるようになっている。
【０１９１】
ＦＲＣレジスタ４３３の動作を図４３に示す。このＦＲＣレジスタは３ビットからなり、１が２個、０が１個からなっている。１の時にプリチャージあり０の時はプリチャージなしの状態とする。またＦＲＣレジスタ選択部４２４へは太線で囲んだビット（４３３ｃ）の値を出力する。
【０１９２】
初期状態では４３３ａから４３３ｃの状態でレジスタ値が保管されている。これを映像信号１データごとに１ビットシフト処理を行う。これを最終列のデータまで順に行うことで３回に２回プリチャージありの信号が出力されるため、図４９（Ａ）の１行目のようなプリチャージありなしパターンが形成される。
【０１９３】
２行目のはじめのデータは、１行目の１列目の状態のレジスタからシフト処理を行ったものを用いる。このときのシフト処理をラインシフト４３２と呼ぶ。この場合のラインシフトの量は左に１である。なおこのシフト量は１でも２でも構わないがこの場合は１の例で説明を行う。また便宜上左シフトの量で説明を行う。２行目のデータに対しても順に１ビットシフト処理を行う。また３行目、４行目と順に行が変わる際には同様にラインシフトを行う。このラインシフトの値は１フレーム内では全て同一値である。
【０１９４】
このようにして図４９（Ａ）に示す１フレームでのプリチャージオンオフパターンが形成される。
【０１９５】
フレームが変わる際には、前フレームの１行１列目のＦＲＣレジスタの値からシフト処理を行った値を１行１列目に用いる。このときのシフト量をフレームシフト４３１と定義する。
【０１９６】
フレームシフトさせたレジスタを１行１列目のデータとし、１フレーム目と同様のシフト処理を行うことで、図４９（Ｂ）のプリチャージパターンが形成される。さらに次のフレームでも同様にフレームシフト４３１を行うと図４９（Ｃ）のパターンとなる。さらに次のフレームでフレームシフト処理を行うと、図４３の第１行第１列目のＦＲＣレジスタ値となる。この走査を順に行う。
【０１９７】
図４９に示した３フレーム間で各画素とも３フレームに２回プリチャージがかかるようになる。またプリチャージがかかる画素のパターンを均一にすることでプリチャージのありなしによる輝度差が原因となるフリッカを低減することが可能となる。
【０１９８】
このことからＦＲＣレジスタ４３３はプリチャージを行うフレームの割合を示しており一般にＮビットのＦＲＣレジスタに対しＭ個の１がある場合、Ｎフレームの内Ｍフレームでプリチャージを行うことを示している。
【０１９９】
また図４９では単色の表示装置におけるオンオフパターンを示した。カラーの表示装置では一般に赤、緑、青の３原色の画素をあわせて１画素として表示を行っている。
【０２００】
映像信号４１０は一般的には赤、緑、青の３原色が同一タイミングで送られてくることが多く、色ごとに図４２の処理が並列に行われる。
【０２０１】
全ての色に対し、同一ＦＲＣレジスタ出力を参照しても良いが、フリッカの低減のためには色ごとにＦＲＣを行うパターンを変えることが好ましい。色ごとにＦＲＣレジスタ４３３を用意することも可能であるが、回路規模が大きくなる。そこで、ＦＲＣレジスタ４３３のどのビットを出力するかを色ごとに変えることで、プリチャージパターンが変化する。図４３の例では赤が４３３ｃを参照するならば、緑は例えば４３３ｂ、青は４３３ｃを参照するようにする。このときの緑、青の参照位置が赤とどれだけ異なるかをＧシフト、Ｂシフトとして表現し、１つ異なっていた緑ではＧシフトが１、２つ異なっていた青ではＢシフトが２ということになる。よって図４２でＦＲＣレジスタ４３３からＦＲＣレジスタ選択部４２４への信号線４２６は表示色数のビットで構成される。
【０２０２】
図４２のＦＲＣレジスタ１は図４３のようなレジスタからなり、ＦＲＣレジスタ２は、２ビット中１ビットが１で１ビットが０のレジスタからなる。この２つのレジスタを用いれば、３フレームに２回プリチャージをかける、２フレームに１回プリチャージをかけることが可能となる。
【０２０３】
次にＦＲＣレジスタ選択部４２４について説明する。ＦＲＣプリチャージ設定信号４１９は映像信号４１０の階調に対し、どの割合でプリチャージを行うのかを決める信号で、例えば図３２のような関係にするといった設定を行う信号である。４１９の信号によっては例えば、階調１０以下では３フレーム中２回プリチャージを印加、１０以上ではプリチャージしない、などの設定が可能となる。
【０２０４】
また図４２には記載されていないが、全フレームでプリチャージをするや全フレームでプリチャージしないといった場合もある。このときは、ＦＲＣレジスタ４３３の出力のうちの１つを選択するのではなく、１（全フレームでプリチャージする時）や０（全フレームでプリチャージしない時）を選択することで実現可能である。
【０２０５】
点灯率設定信号４１８と、点灯率データ４２０が入力されているが、これは点灯率によってＦＲＣパターンを変える場合があるために入力される。
【０２０６】
例えば点灯率が高い場合は図４１からプリチャージをしないため、ＦＲＣ選択部の出力は常に“Ｌ”レベル（プリチャージしない）となる。点灯率が低い場合には図５０のような映像信号４１０の階調とプリチャージパターンの関係、点灯率が中程度の場合には図３２の関係となるようにするといったことを行うためである。点灯率設定信号４１８は、この点灯率の高中低のしきい値の設定を行うための信号である。点灯率高、中、低それぞれで、プリチャージパターンと階調の関係（例えば図３２）を定めるのがＦＲＣプリチャージ設定信号４１９である。
【０２０７】
点灯率によってプリチャージのパターンを変化する必要がなければ、各点灯率でのＦＲＣプリチャージ設定信号４１９の値を同一にしておけばよい。
【０２０８】
また、ＦＲＣプリチャージを行わない場合（全フレームでプリチャージありまたはなしの場合）にはＦＲＣプリチャージ設定信号４１９により、映像信号４１０によらずＦＲＣレジスタ４２６の値を出力しないようにすればよい。
【０２０９】
図５１にＦＲＣプリチャージ設定信号４１９と点灯率設定信号４１８による設定例を示す。点灯率により図５１（ａ）、（ｂ）、（ｃ）のどの図を選ぶかを点灯率設定信号４１８により決める。例えば図５１（ａ）は点灯率５％以下。さらに各図において階調とプリチャージするフレームの割合の関係を示す線５１１を決めるのがＦＲＣプリチャージ設定信号４１９である。
【０２１０】
このようにして作成したＦＲＣレジスタ選択部４２４の出力をＦＲＣ挿入手段４０９に入力する。ＦＲＣ挿入手段４０９には１行前データ参照部４００の出力も入力される。つまり入力階調及び１行前のデータからプリチャージするかどうかの信号と、点灯率及び入力階調からプリチャージするフレームの割合を決めた信号が入力される。両方の信号ともプリチャージを行うとなった場合にのみプリチャージを行うようにすれば、図４１のフローチャートの４１２から４１５の部分が実現できる。
【０２１１】
次にＦＲＣ挿入手段４０９の出力を強制プリチャージ入力手段４０８に入力し、強制プリチャージ信号４１６との演算を行う。図４１の４１１にもあるように強制プリチャージ信号が有効な場合には階調によらずプリチャージを行う。従って、４０８のブロックでは強制プリチャージ信号４１６が有効状態（プリチャージせよ状態）の時には４０９の出力によらず出力４１７はプリチャージをするという信号を出力する。
【０２１２】
映像信号４１０が１行目のデータに対応したときのみ強制プリチャージ信号４１６が有効状態となるようにすれば、垂直ブランキング期間による所定電流値への変化が遅くなる１行目にプリチャージを行うということが実現可能である。
【０２１３】
映像信号４１０に対する出力４１７の値を同時にソースドライバへ転送することで、図４１のようなプリチャージ電圧印加パターンをソース信号線へ印加することが可能となる。
【０２１４】
シリアルパラレル変換部４２７は図３のソースドライバ３６の入力インターフェースにあわせるために必要なのであり、各色の映像信号及びプリチャージ出力４１７（色ごとにある）がパラレル転送される場合には不要である。（そのままソースドライバへ出力する）
なお図２の構成では制御ＩＣ２８とソースドライバ３６が別のチップで構成された例を示しているが、同一チップで構成した一体型のチップでも構わない。この場合、図４１や図４２の構成はソースドライバ３６に内蔵される。
【０２１５】
プリチャージ電源２４の出力電圧値は電子ボリュームなどで制御できることが好ましい。所定電流を流すためのプリチャージの電圧はＥＬ電源線６４の電圧を基準に決められるためである。図１２においてソース信号線６０に電流Ｉ２を流そうとするとトランジスタ６２のドレイン電流−ドレインゲート間電圧の関係（図１２（ｂ））からソース信号線６０の電位は（ＥＬ電源線６４の電圧）−Ｖ２となる。
【０２１６】
一方でＥＬ電源線６４は図４８に示す表示パネルにおいて４８３、４８４の配線で各画素に供給されている。全ての画素が白表示の時には最大電流が４８３に流れ、黒表示の時には最小電流が４８３に流れる。このとき４８３の配線抵抗により白表示時には４８５と４８６の点で電位が異なる。一方で黒表示時には４８５と４８６ではほぼ等しい電位となる。つまり白表示時と黒表示時でＥＬ電源線６４の電位が配線４８３の電圧降下により異なる。つまり同じＩ２の電流を流すにしても、配線４８３の電圧降下量の違いによってソース信号線６０の電圧が異なる。そのため４８３の電圧降下量によってプリチャージ電源２４の電圧値を変化させなければ、ソース信号線の電流が変化しその結果輝度が変化するという問題が発生する。
【０２１７】
ＥＬ電源線６４の電圧が異なればソース信号線６０に印加する電圧も異ならせる必要がある。１フレーム内での点灯率データを用いて電圧を変更するようにすればよい。点灯率が高いときはＥＬ電源線４８３に流れる電流が多くなるため、電圧降下が大きくプリチャージ電源２４の電圧値を低くするように電子ボリュームを制御する。一方で点灯率が低いときはＥＬ電源線４８３の電圧降下が小さいため電子ボリュームによりプリチャージ電源２４の電圧値を高くするようにすることでＥＬ電源線４８３の配線抵抗が原因となる輝度ムラをなくすことが可能となる。
【０２１８】
ソースドライバＩＣ３６において、図２５のような８ビットデジタル信号をアナログ電流出力に変換するブロックをトランジスタで形成した場合、出力電流ばらつきは、１トランジスタあたりのチャネル面積と、出力に用いるトランジスタの個数により変化する（チャネル面積またはトランジスタ個数の平方根に反比例する）。
【０２１９】
同一サイズのトランジスタを（表示階調数−１）だけならべ、トランジスタの個数により階調を表示する場合、高階調部ほどばらつきが小さくなる。つまりある階調Ａでばらつきが１％以下となる場合、階調Ａよりも高階調側では必ずばらつきが１％以下となる（図５２の５２３の点線で示すような関係となる）。
【０２２０】
ばらつきの許容値は１％であり、図５２の５２３の点線では階調１０以上でばらつきが１％以下となる。このときのトランジスタの構成を図５３に示す。また、各ビットのトランジスタサイズを図５４（ｂ）に示す。
【０２２１】
階調数が増えると出力に用いるトランジスタ群５３１及び５３２の数が増加するためばらつきが小さくなる。
【０２２２】
ここで階調３０以上に注目するとばらつきは０．６％以下であり１％に対し４０％以上の余裕がある。つまり階調３０以上ではトランジスタの面積を１／２としてもばらつきが１％以内となる（面積１／２の場合、ばらつきは４０％増しとなる。図１１参照）。
【０２２３】
そこで本発明では、ソースドライバＩＣのチップ面積を小さくするために、高階調側のトランジスタ５３４のみチャネル面積を小さくすることを考えた。
【０２２４】
階調３０以上のときに小さいサイズのトランジスタを用いるようにするため、８ビット信号の内下位５ビットのデータに対する電流出力を行うトランジスタのサイズは変更せず、階調３２以上の時に出力される上位３ビットのデータに対応するトランジスタのチャネルサイズをゲート電圧に対するドレイン電流値が変わらないように小さくした。方法としては、チャネル長を短くした割合と同一割合でチャネル幅も短くすることで実現した。このときの各ビットに対するトランジスタのサイズの関係を図５４（ａ）に示す。階調に対する出力電流ばらつきの関係を図５２の実線５２２に示した。
【０２２５】
図５４（ａ）に示すように、下位５ビット分と上位３ビット分で異なるサイズのトランジスタが用いられている。
【０２２６】
図５４（ｂ）でもサイズが異なっているが、これは５３１ｅのトランジスタ群は１６個のトランジスタで構成され、５３２ａのトランジスタ群は８個のトランジスタで構成され、トランジスタ数が少ないことからその分トランジスタ１つあたりの電流量を増加させる必要があるからである。この場合、そもそも５３２ａの方が５３１ｅに比べ２倍の電流を出力できなければならない上にトランジスタ数が半分であることから、５３２ａのトランジスタ群を構成するトランジスタ５３４はチャネル長をおよそ４倍する必要がある。これによりサイズが異なっている。
【０２２７】
これに対し本発明では図５４（ｂ）から更に高階調部のトランジスタのチャネル面積を小さくした（図５４（ａ））。同一ゲート電圧に対する電流値を維持するため、チャネル長、チャネル幅の削減率をそろえた。チャネル面積が小さくなる分ばらつきは大きくなる。この例ではチャネル幅、チャネル長とも（１／２）１／２としたので、面積は１／２となり、ばらつきは図５２に示すように階調３２以上において約１．４倍となり５２２で示すようなばらつきの関係となる。階調３２以上でばらつきが増加しているが許容範囲内である１％以下となるため表示に影響しない。
【０２２８】
図２にソースドライバＩＣ３６の概要を示した。図５３のトランジスタ群５３１及び５３１の並びは電流出力段２３の中に含まれる。トランジスタ群はドライバＩＣ３６の全面積の内の３０％を占めている。本発明の形態による図５４（ａ）の構成では図５４（ｂ）の構成に対し、チャネル総面積が４４％削減された。これはチップ全体の１３％に相当し、チップサイズが１３％削減できる。これによりチップのコストが１３％削減できる可能性ができ、ドライバＩＣの単価が安くなる効果がある。
【０２２９】
なお、トランジスタ１個に流れる電流はチャネル幅に理論的には比例するが、実際にはずれが生じる。図５４（ｂ）の構成でもこの表の通りであれば、５３１のトランジスタ群の電流がやや小さくなる傾向がある。階調に対する電流値の増加が比例関係とならずランプ画像を表示するとところどころで段差が発生する。（この場合３２階調おきに発生）そこで、実際には出力電流のシミュレーションを行い、階調に対する電流の増加が一様になるようにする。例えば５３１のトランジスタ群に用いたトランジスタのチャネル幅を１．５から１．７にすることで増加の割合が一定になるようにした。なおこのような調整は仕様プロセスにより異なるため、本発明においては理論値でチャネルサイズを記載した。図５４（ｂ）でも同様にチャネルサイズの調整が必要である。また調整の際にはトランジスタが大きくなるように調整することが好ましい。低階調部の電流が少ない場合には、低階調部トランジスタ５３３のチャネル幅を長くするか、高階調部のトランジスタ５３４のチャネル長を長くする。低階調部電流が多い場合には、高階調部トランジスタ５３４のチャネル幅を長くするか、低階調部トランジスタ５３３のチャネル長を長くする。これは、調整によりトランジスタのチャネル面積が小さくなることによるばらつきの増加を防ぐためである。理論上ばらつきが１％以内に納まっていても、このトランジスタサイズの調整で１％を超えてはならないためである。
【０２３０】
さらにチップサイズを小さくするには、５３２ｂ、５３２ｃのトランジスタ群のチャネルサイズを小さくすることで実現できる。この場合もチャネルサイズを小さくする方法として、チャネル長及びチャネル幅の縮小率を同一にして小さくする。小さくする限度は、当該トランジスタ群を構成するトランジスタ全てから電流を供給した場合における出力電流のばらつきが１％以上にならない値である。５３２ｂ及び５３２ｃのトランジスタサイズをそれぞれ小さくした場合の階調に対する出力電流ばらつきの関係を図５５に示す。
【０２３１】
このように、入力信号の各ビットに対応するトランジスタ群の出力電流は変えずに、さらに当該トランジスタ群のみ出力した場合の出力電流ばらつきが１％以内となる範囲でトランジスタ群を構成するトランジスタのチャネル面積を小さくすることで、出力電流のずれによる輝度ムラがない極力小さなソースドライバＩＣを実現することができた。
【０２３２】
なお、図５５では階調１０以下で出力電流ばらつきが１％を超えているが低輝度領域であるため、視認性が低く１％以上であっても表示ムラが発生しない。また階調が１つ変化するのに必要な電流のずれは階調１０以下では１０％以下であれば所定階調から上下１階調ずつの階調まで変化することはないため、輝度ムラが見えないため、このような低階調部で１％を超えてもよい。
【０２３３】
この例では下位５ビットと上位３ビットでトランジスタサイズを変えた例で説明を行ったが、これによらず、例えば下位４ビットと上位４ビットなどでもかまわない。任意のビットごとにトランジスタ群のサイズを変えることができる。
【０２３４】
以上のようにビットに応じてトランジスタのチャネルサイズを変更してビット毎の重み付けに応じた電流源を形成した場合に、トランジスタのチャネル幅と出力電流値が正確に比例しないことからシミュレーションによりチャネルサイズを調整しチャネル幅の設計を行う。この時シミュレーションと実測が一致しない場合に設計値に比べ電流が増減し、下位ビット側のトランジスタの電流が設計値より大きくなると、図５６に示すように中間調表示時に電流の大小関係が逆となる階調反転が発生する。（なおこの説明ではＩ１２７＞Ｉ１２８となっているが、Ｉ１２７＝Ｉ１２８となっても実質１階調減ることから問題である。従って階調反転というのは１２８階調目の電流が１２７階調目の電流以下となることとする。）
階調反転は中間調表示時に最も発生しやすい。
【０２３５】
中間調表示時の最も発生しやすいことを８ビット表示時の場合において説明をする。図５８に示すように階調１２７と階調１２８の間では電流の差は階調１２８を基準とすると０．７９％しか違いがない。従ってこの２つの階調を出力する電流源のばらつきが０．７９％以上あると階調反転が発生する。例えば階調１２８の電流出力がばらつきにより０．９％小さくなった場合（５９１が減った部分）、図５９に示すように電流の大小関係が反転する。更に下位２ビットのトランジスタの電流が所定値より大きくなると更に輝度差が小さくなり例えば下位２ビットの出力が２０％大きいときには６３２の電流出力となり輝度差は０．３１％となる。
【０２３６】
一方低階調表示時、図６６に示すように例えば階調３と４の間では３３％の輝度差となる。出力ばらつきは２．９％（この時中間調表示時のばらつきが０．９％であることとばらつきの面積依存性から）であり、（輝度差）＞（ばらつき）となり階調反転が発生しない。下位２ビットのトランジスタの出力が２０％増加したとしても輝度差は１０％となりばらつき２．９％に対し大きくなるので階調反転しない。
【０２３７】
中間調以上では輝度差は小さくなるもののどの階調でも常に階調１２８に対応した電流出力を持つため、１２８を超えた階調分の出力ばらつきのみに気をつければよい。階調１２８の電流は出力電流全体の少なくとも６６％を占めるため、１２８を超えた階調分の出力ばらつきは、全出力電流に対しては０．３４倍以下となる。これにより輝度差が小さくてもばらつきが小さくなるため階調反転が起こりにくくなる。階調１３１と階調１３２の場合を図６７に示す。
【０２３８】
階調１３１と１３２では差が０．７５％となる。従って１３１の電流に対し１３２の電流が０．７５％ばらつくと階調反転が発生することになる。全出力のうち階調１２８分の出力は両階調ともに存在する（６７２）ことからこの出力分に関してはばらつきを無視できる。６７１の部分においてばらつきが発生し、階調４の出力はトランジスタのサイズ比から２．９％のばらつきを持っている。しかし、６７１の部分は全出力に対し３％であるため、全出力に対する出力ばらつきは０．０９％となる。階調差０．７５％に比べて小さいため階調反転は起こらない。下位２ビットに対応する出力が２０％大きくなった場合でも輝度差が０．３０％となり、ばらつき０．０９％に比べ大きいため階調反転しない。
【０２３９】
１２８階調以上では、出力ばらつきは（２階調間で共通しないトランジスタの出力ばらつき）×（全出力に対する非共通出力トランジスタの割合）から求められ、（全出力に対する非共通出力トランジスタの割合）が最大０．３３であることから輝度差に比べばらつきが小さくなる要因である。
【０２４０】
図６５にいくつかの階調間での輝度差と出力ばらつきの関係を示した。１２７階調目と１２８階調目の間が最も厳しい条件である。
【０２４１】
低階調側では輝度差が大きいため反転しにくく、高階調側では隣接間で同一トランジスタを用いて出力する割合が大きくばらつきが全体から見ると小さくなるため輝度差が小さいにも関わらず反転しにくい。
【０２４２】
出力するトランジスタが全て異なる（最上位ビットのみが出力）と（最上位ビット以外が全て出力）の間が一番問題である。
【０２４３】
そこで本発明では階調反転をなくすため、図５７に示すように最上位ビットに対応する電流源２４１ｈに加え、嵩上げ用電流源５７２を切り替え部５７１を介して接続し、階調反転が発生したときには切り替え部５７１により嵩上げ用電流源５７２と電流源２４１ｈを併せて出力することで１２８階調目の電流を増加させ階調反転を防ぐ。階調反転していない場合には切り替え部５７１はグランド電位と接続され電流源２４１ｈの出力のみが出力されるようにした。
【０２４４】
嵩上げ用電流源５７２のトランジスタは、階調１の電流源２５１ａの１０分の１以上２分の１以下の電流出力能力を持つようにサイズを設計する。これにより階調１２８の電流は嵩上げ用電流源５７２により０．１％〜０．５％の電流嵩上げを実現することが可能である。０．５％以上の嵩上げを行う場合は全ての出力で嵩上げを行われない場合に、隣接輝度差が１％以上となるため表示に不具合が発生する。このため図５７の構成では０．５％以下とすることが好ましい。一方嵩上げ電流の最低値は次のようなことから決まる。隣接輝度差０．７９％及びばらつき実力０．９％の関係から階調１２７に比べ階調１２８の電流は最大０．１％分小さくなる。この時でも階調反転をしないようにする必要があることから０．１％分の嵩上げが必要である。このことから最低でも０．１％の嵩上げを行える必要があり電流源の最小値は０．１％必要となる。
【０２４５】
一般にＮビット表示の場合においては、嵩上げトランジスタの最小値は中間調電流値の（中間調表示時の隣接輝度ばらつき［％］）−（中間調隣接輝度差［％］）［％］以上０．５％以下の電流を出力できるように設計する。
【０２４６】
切り替え部５７１の接続は、半導体回路各出力の電流出力を検査後、検査結果に応じて階調反転した端子では５７２の出力を２４１ｈの出力と接続し、階調反転していない端子ではそのままグランドに接続することで実現する。
【０２４７】
このようにすることで図５６のような階調反転をなくし図６０のような階調輝度特性を実現した。また図６３の６３３に示すように嵩上げ電流源を用いることで下位２ビットの電流が２０％増加したとしても階調１２７と１２８で差が０．３１％から０．７７％まで拡大でき、トランジスタの電流出力ばらつきによる階調反転を防止することが可能となった。
【０２４８】
下位ビットの電流源の電流値が規定より大きくなった場合、図６３の６３２で示したように１２７階調目と１２８階調目の電流（輝度）差が小さくなり階調反転が起こりやすくなる。輝度差０．３１％に比べばらつきが０．９％であると半数程度の端子で階調反転が発生する可能性がある。この場合端子毎に切り替え部５７１の接続作業を行うと手間がかかり生産性が低下する。
【０２４９】
そこで、図６１に示すように嵩上げ用電流源５７２と電流源２４１ｈの接続を切り替え手段６１１を介して行い、嵩上げ信号６１２により切り替え部５７１を制御することで外部コマンド入力により嵩上げ信号６１２を用いて１２８階調目の電流を容易に嵩上げできる構成を考えた。
【０２５０】
嵩上げ信号６１２は出力ごとに設定できればよいが、この場合図６９に示すように信号線ごとの嵩上げ信号６１２の値を保持するラッチ６９１が必要である。各ラッチへの信号の分配は映像信号を分配するために用いるシフトレジスタを共用すれば１ビットの信号入力６９２により可能である。しかしラッチを信号線分設けるため回路規模が大きくなる問題がある。回路規模が大きくなっても良い場合もしくは微細プロセスを用いて、全体に占めるラッチ部６９１の面積が小さい場合には出力毎に嵩上げ信号を制御して嵩上げするしないを決めてもよい。なおこの信号は通常検査後には嵩上げ必要、不要の端子がわかる上、常に同じ状態にする必要があることから、出荷時にラッチ部６９１のラッチデータを決める必要がある。そのため嵩上げ信号を入力するコマンドは通常ユーザには隠しておく。更に電源投入毎に信号を入れなくてもよいよう、ラッチ部は不揮発性のメモリで構成されることが望ましい。
【０２５１】
そこで下位ビットに対応する電流源の電流値が大きくなってしまったことよる階調反転を救済する目的として、嵩上げ信号線６１２は全出力共通とし全出力を嵩上げすることにより階調反転を簡便に防止する。
【０２５２】
このときのブロック図を図６２に示す。入力信号１２、１３によりドライバＩＣに嵩上げするかどうかのコマンドを入力する。これを分配部２７により分配し、嵩上げ信号線６１２に嵩上げするかどうかの信号を印加する。この嵩上げ信号線６１２は各出力段に分岐してつながっているため全ての出力で嵩上げをするもしくは、しないの選択が可能である。なおこのコマンドは通常ＩＣ検査後にＩＣの階調反転による不良を回避するために入力するためのものであるため通常は隠しコマンドとして持っておく。この場合嵩上げ用電流源５７２も図５７と同様のサイズで作成する。
【０２５３】
更に細かな調整を行うには、嵩上げ用電流源５７２を複数個設け出力する電流源の数を変更することで更に細かく電流の嵩上げ率が調整できる。図６４に２個の嵩上げ電流源を用いた場合を示す。６４２に比べ６４１の電流出力量を半分とするようなトランジスタを設計しておけば、例えば下位ビットの電流が２０％大きくなったときには６４２のみを嵩上げ出力し、１０％大きいときには６４１のみを嵩上げ出力するなど下位ビットのトランジスタの電流能力に応じた嵩上げをすることができ階調反転がなく、かつ階調飛びの少ない電流出力段を実現することができる。
【０２５４】
更に図５７の配線修正による切り替え部５７１による嵩上げと、図６１の切り替え手段による一括嵩上げを併用する方法もある。この時の出力段の構成を図６８に示す。
【０２５５】
下位ビットのトランジスタの電流が大きめにでてきた場合には、大部分の出力端子で階調反転がおきやすくなるため全ての出力で階調１２８の電流を嵩上げし階調反転を防ぐ。そのため嵩上げ信号６１２により切り替え手段６１１を導通状態とする。
【０２５６】
一方、各電流源２４１のばらつきにより階調反転する場合には（中間調ばらつきが０．９％で隣接階調間の輝度差が０．７８％である場合には起こりうる）、端子毎に調整を行う。反転する端子数は少ないため検査後該当する端子のみ配線修正をレーザーなどにより行う。この修正は切り替え部５７１で行い嵩上げ電流源５７２ａを接続するかどうか修正により決める。これにより端子毎に細かい階調電流の設定をすることが可能である。
【０２５７】
トランジスタの電流能力が大きくなった場合（全端子に影響）とトランジスタのばらつきの場合（端子毎に異なる）で嵩上げの仕方が異なるため、図６８のように端子毎に調整できる機能と、全端子に対して調整できる機能を設けることにより検査後のリペアを短い時間ででき、作業効率を高めることでコスト低減することが可能である。またより多くのＩＣがリペアにより合格となることで歩留まりが上昇しコストが下がる利点がある。
【０２５８】
図７０は電流出力段を図７３の７３６に示すようなカレントコピア構成により形成した場合のドライバＩＣの概略構成を示したものである。
【０２５９】
カレントコピア回路では、入力電流をスイッチ７３４及び７３５を介して駆動トランジスタ７３１に流し、流れた電流量に応じて節点７４２の電圧が決まる。この電圧を保持するために蓄積容量７３２を設け電荷を蓄積することにより電圧を保持する。入力電流を記憶した後スイッチ７３４及び７３５を非導通状態とする事で、入力電流をためておく。電流を出力する際には７３３のトランジスタを導通状態とすることにより、７３２の蓄積容量に蓄えられた電荷量に応じた電流が７３１に流れ出力される。同一駆動トランジスタ７３１のドレイン電流−ゲート電圧特性を用いて入力電流を記憶し、出力するためトランジスタの特性ばらつきのよらず入力電流と同じ電流を出力できる利点がある。
【０２６０】
更にカレントコピア回路では入力電流を一度蓄積容量７３２に記憶してから出力を行うため、メモリ機能を有する。そのため入力データをかく出力端子に分配した後、データの出力タイミングをそろえるラッチ部の機能をカレントコピア回路に持たせることが可能である。これにより図７０の構成においてシリアルに転送されてくる映像信号はラッチ部を使わずに各出力に分配可能となる。
【０２６１】
カレントコピア回路ではアナログ電流を保持することが可能であるため、映像信号をあらかじめデジタル−アナログ変換部７０６で階調に応じたアナログ電流である階調電流信号７３０に変換し、シフトレジスタ２１の出力信号に応じて各出力に分配するようにしている。分配された電流を保持するための電流保持手段７０２に、カレントコピア回路を形成している。
【０２６２】
カレントコピア回路では先に述べたように入力電流を一度保持した後に入力電流に応じた電流を出力するという動作を行うことから、入力電流を記憶している期間では電流出力ができず、また電流出力を行う際には階調電流信号７３０を取り込むことができない。
【０２６３】
表示部への電流出力は画素回路において所定電流への変化に時間がかかるという問題があることから水平走査期間内においてはなるべく長い期間電流を出力し続けることが望ましい。そのためソースドライバＩＣから電流は常に出力されることが好ましい。
【０２６４】
そこでカレントコピア回路構成の出力段でも常に電流を出力し続けるために、同一出力端子にカレントコピア回路を２つ設け、一方が階調電流信号７３０を記憶している際には、他方が電流をドライバＩＣ外部に電流を出力する構成とした。
【０２６５】
出力段の回路を図７３に示す。７３６ａと７３６ｂの２つの保持回路がカレントコピア構成となっている。２つの保持回路のうちどちらを出力にし、どちらが階調電流信号７３０を記憶するかを決めるための信号がセレクト信号７３８である。セレクト信号７３８は１水平走査期間毎に変化し、１水平走査期間ごとに保持回路７３６を変えることにより映像信号に応じた電流出力が可能となる。セレクト信号７３８に応じて保持回路７３６の電流出力用トランジスタ７３３の状態を変えるようにすることで、出力に用いる保持回路を決めることが可能となる。
【０２６６】
両保持回路７３６とも出力を行わないようにする場合には、セレクト信号７３８及びセレクト信号の反転出力７３９ともローレベルとすることで実現する。７３８及び７３９は必ずしも逆相に入る必要はないが、両信号ともハイレベルにしてはならない。他の方法として７３８と７３９は常に逆相とし、別途イネーブル信号を設け、７３８及び７３９との論理積の結果をスイッチ７３３を制御する信号に入力することにより同様な動作を行うことが可能である。
【０２６７】
シフトレジスタ２１及び電流保持手段７０２により階調電流信号７３０が各出力に分配できた。次に階調電流信号７３０を生成する回路について説明を行う。ロジック信号である映像信号をアナログ信号である階調電流信号７３０に変換するためにデジタル−アナログ変換部７０６を設け、映像信号に応じた電流を出力するようにした。デジタル−アナログ変換部７０６の回路例を図７１に示す。
【０２６８】
映像信号の各ビットに対応した電流を外部から入力し、対応した電流（階調基準電流１〜階調基準電流８）に対し、電流値に対応して階調信号７１１によりスイッチ７１２を制御することにより、階調信号７１１に応じた階調電流信号７３０を出力するような構成とした。階調信号１（７１１ａ）から順に階調信号８（７１１ｈ）まで最下位ビットから最上位ビットに対応させた場合、階調基準電流１（７００ｃ）の２倍が階調基準電流２（７００ｄ）、一般に階調基準電流ｎの２倍が階調基準電流（ｎ＋１）となるように、電流値を設定し入力する。（ここでｎは１以上ビット数未満の整数）
これによりスイッチ７１２が導通状態となっている階調基準電流７００の和を階調電流信号７３０として出力する。
【０２６９】
次に階調基準電流７００を作成し、デジタル−アナログ変換部７０６に入力する方法について説明する。
【０２７０】
図７８に示すように階調基準電流７００は階調基準電流生成部７０４により生成する。１階調あたりの電流をどのくらいにするかを設定する基準電流７８１を元にカレントミラー構成などにより、映像信号のビットに応じた階調基準電流７００を出力する。ここでは８ビット出力の場合で、階調基準電流７００は８出力存在する。（階調基準電流ｎの電流値）×２＝（階調基準電流（ｎ＋１）の電流値）となるような電流を正確に出力する必要があることから、ミラーを行うトランジスタ７８２の数を変えることで出力電流を変化させることが好ましい。この方法の場合、階調性は高いが回路面積が大きくなる欠点がある。一方で各階調基準電流７００を生成するトランジスタ７８２は、各期順電流に対し１つずつとし、チャネル幅を変えることにより階調基準電流１から８を変化させることも可能であるが、電流がチャネル幅に正確に一致するわけでないためシミュレーションによりチャネル幅をプロセスに応じて変更する必要がある。このため、個数分だけ並べる方法に比べ階調性が低下するおそれがある。そこで、図７８に示すように低階調部と高階調部に階調基準電流をグループ分けし、低階調部と高階調部の間ではチャネル幅を変更することで電流値を変え、低階調部間及び高階調部間ではトランジスタの個数を変更することで電流を変えるようにする。
【０２７１】
図７８では、低階調部を下位２ビット、高階調部を上位６ビットとし、７８３で示す点線に囲まれたトランジスタは７８４で示す点線に囲まれたトランジスタに比べておよそ１／４のチャネル幅（プロセスにより上下する−１０％以上＋５０％未満）で形成することにより、階調性を維持し回路規模の小さい階調基準電流生成部７０４を実現することができる。
【０２７２】
ドライバＩＣに対し１回路であるため、階調性を高めたいときは図８０に示すようにトランジスタ数により電流を変化させてもよい。（全体に対する回路面積が１０％以下であるため）
基準電流７８１は図８１に示すように抵抗、演算増幅器などにより定電流源を構成することで実現可能である。８８の制御データにより基準電流７８１の電流値を変えることも可能である。この基準電流７８１の制御は、電力抑制、焼き付き防止、コントラストの向上に役立つ。
【０２７３】
以上のようにして形成された階調基準電流７００をデジタル−アナログ変換部７０６に入力すればよいが、直接接続すると複数のソースドライバＩＣ３６を接続したときに、全てのチップで１％以下の誤差で階調基準電流７００を供給することが難しくなる。
【０２７４】
チップ毎に、基準電流生成部７０３と階調基準電流生成部７０４を設けると、図８１の基準電流生成部７０３でのばらつきと、図７８もしくは図８０でのカレントミラーでのばらつきの２乗平均のばらつきが階調基準電流７００で発生するため、チップによってある階調の電流値が異なるおそれがあり、チップ毎に輝度ムラが発生する。カレントミラーのミラー比ずれによるばらつきを小さくするには７８２、８０１のトランジスタサイズを大きくすることにより実現できるが、ばらつきを１％以下にしようとするには１０，０００平方ミクロン以上のチャネルサイズが必要となる。
【０２７５】
小さいサイズでばらつきなく各チップに階調基準電流７００を供給するには１つの表示部に対し、１ヶ所の基準電流生成部７０３から１ヶ所の階調基準電流生成７０４を用いて階調基準電流７００を発生させ、各チップに分配する方法である。この概念を図７２に示す。
【０２７６】
ソースドライバ３６ａにより発生した階調基準電流７０４を、３６ａを含めた全てのチップに供給することにより、各チップでばらつきのない電流が供給される。ここで、階調基準電流７００は２つ以上のソースドライバＩＣ３６に同時に供給されないようにする必要がある。電圧と異なり電流の場合複数のドライバに接続すると分流され、１つのドライバＩＣに流れる階調基準電流値が異なってしまう。そこで、複数のドライバＩＣ３６が同時に階調基準電流７００を取り込まないようにデジタルアナログ変換部７０６が持つスイッチ７１２を利用して、ある１つのＩＣが映像信号に応じた階調電流信号７３０を生成しているときには他のＩＣではスイッチ７１２全てが非導通状態となるような構成にすることを考えた。
【０２７７】
階調電流信号７３０が必要なのは、電流保持手段７０２に電流を供給するときでシフトレジスタ２１の出力のうちの１つに対し取り込むように信号を出している時である。つまりスタートパルス１６が入力され、カスケード接続された次段ＩＣ３６に対しキャリー出力７０１からパルスを出力するまでの期間が、階調電流信号７３０を必要とする期間である。
【０２７８】
そこで、シフトレジスタ２１が出力を行っている期間以外ではデジタル−アナログ変換部７０６のスイッチ７１２は階調信号７１１によらず常に非導通状態とする。これを実現するためにチップイネーブル信号生成部７０７を設け、シフトレジスタ動作時以外ではスイッチ７１２は常に非導通状態とするようにする。チップイネーブル信号生成部７０７は、スタートパルス１６が入力されて、キャリー出力７０１が行われるまでの間のみパルスを出力し映像信号をアナログ電流に変換することを許可するようにする。正確にはシフトレジスタ出力７１９が同一チップ内で出力されている期間である。スタートパルス１６とシフトレジスタ出力７１９、キャリー出力７０１とシフトレジスタ出力７１９の関係は入力データとスタートパルス１６の関係やシフトレジスタの構成２１によって変わる可能性があるため、スタートパルス１６とキャリー出力７０１から期間を調整してイネーブル信号８２１を出力するようにする。イネーブル信号に対応したデジタル−アナログ変換部７０６の回路図を図８２に示す。チップイネーブル信号８２１はスタートパルス１６が入力されてからキャリー出力７１０を行うまでの間、ハイレベル状態となり、階調信号７１１に応じて階調基準電流７００が階調電流信号７３０に出力される。それ以外の期間ではチップイネーブル信号８２１がローレベル信号となるため、常にスイッチ７１２が非導通状態となり電流は供給されない。
【０２７９】
１水平走査期間でのあるドライバＩＣ（チップ１）のチップイネーブル信号８２１、セレクト信号７３８、階調電流信号７３８、階調信号７１１のタイミングチャートを図８３に示す。
【０２８０】
セレクト信号７３８はタイミングパルス２９により１水平走査期間毎に変化し、１出力に対し２つある保持回路７３６のどちらに階調電流信号７３８を記憶させ、他方が記憶された電流を出力するかを決める。期間８３１ａでは保持回路Ａ（７３６ａ）から電流を出力し、保持回路Ｂ（７３６ｂ）に階調電流信号７３０を記憶させている。
【０２８１】
階調電流信号７３０への記憶は１出力ずつ順に行い、シフトレジスタ出力７１９によりどの出力へ記憶させるかを決めている。更に複数のドライバＩＣに基準電流を分配できる配線としていることから、分流されることを防ぐためシフトレジスタが動作している期間のみチップイネーブル信号８２１により、デジタルアナログ変換部７０６が動作し、階調電流信号７３８が流れる。チップ１のチップイネーブル信号８２１はシフトレジスタがチップ１で動作している期間である８３２ａの期間でのみハイレベルの信号となり、階調電流信号７３８が流れている。８３２ｂの期間（チップ１以外のシフトレジスタが動作中）のときは、チップイネーブル信号８２１がローレベルとなり階調電流信号７３８は流れない。そのため階調基準電流信号７００は常に１つのドライバＩＣにしか入力されないため、図７２のように複数のドライバＩＣに分岐して配線することが可能となる。カレントミラーなどによる分配に比べ、時間で区切って分配するため正確に同一電流を供給できる。
【０２８２】
カレントコピアを各出力に設け階調電流を各出力に分配する方法では、駆動トランジスタ７３１の特性ばらつきによらず、記憶した電流と同じ電流を出力することが可能であるため、出力ばらつきが起こりにくい。しかし、「突き抜け」と呼ばれる現象により出力電流がばらつくおそれがある。
【０２８３】
図７３の保持回路においてゲート信号線７４１の信号をハイレベルにすると、階調電流を記憶する。例えば白階調の電流を記憶するとすると、図７４に示すように、駆動トランジスタ７３１にドレイン電流は白階調電流（ここでＩｗとする）となる。そのとき駆動トランジスタ７３１の電流−電圧特性（図７５）から節点７４２の電圧はＶｗとなる（期間７４７）。
【０２８４】
期間７４７が終了し、保持回路７３６に電流を記憶するのを終えるためゲート信号線７４１はローレベルに変化する。この時ゲート信号線７４１電圧の低下がトランジスタ７３５ａのゲート容量を介して容量結合により節点７４２の電圧もＶＧだけ低下する。これにより駆動トランジスタ７３１のドレイン電流もＩｗからＩＧ分だけ低下する。
【０２８５】
この「突き抜け」により、出力電流が端子により変化するおそれがある。例えば図７６の７６５、７６６に示すような電流―電圧特性を持つ駆動トランジスタ７３１があるとする。節点７４２の電圧つまり駆動トランジスタ７３１のゲート電圧が突抜によりＶＧ変化すると、７６５の駆動トランジスタではドレイン電流がＩｗ１となり、７６６の駆動トランジスタではドレイン電流がＩｗ２となり、この電流が出力信号線７３７を介して外部に流れ、出力電流にばらつきが発生する。Ｉｗ２とＩｗ１の差が２つの平均電流に対し１％以上になると輝度ムラとして表示品位に影響を与える。
【０２８６】
節点７４２の電圧変化量ＶＧはトランジスタ７３５のゲート容量をＣｇｓ、蓄積容量７３２の容量をＣｓ、ゲート信号線７４１の振幅をＶｇａとすると、ＶＧ＝Ｖｇａ×Ｃｇｓ／（Ｃｇｓ＋Ｃｓ）で表される。
【０２８７】
ＶＧを小さくするには、ＣｇｓもしくはＶｇａを小さくするか、Ｃｓを大きくする。Ｃｓを大きくする方法はチップサイズが大きくなることから現実的には難しい。またＶｇａは基本的にアナログ電源電圧分の振幅を持つ。この電圧を下げると、出力端子の電圧振幅が低下するため、出力可能な電流のダイナミックレンジが低下する。またゲート信号線７４１のみハイレベル電圧を低下させると、このゲート信号線７４１のための電源が必要となるため電源数が増加する。電源数の増加は電源回路の増加につながるためこの方法も実現することが難しい。
【０２８８】
そこで本発明ではトランジスタ７３５のゲート容量Ｃｇｓを小さくすることを考えた。単にトランジスタ７３５のサイズを小さくした場合では、オフ時のリーク電流が増大し蓄積容量７３２に保持された電荷がトランジスタ７３５を介して移動することにより、節点７４２の電位が変化し所定電流を流せなくなる問題が発生する。
【０２８９】
トランジスタ７３５を少なくとも２つ以上に分割し、そのうちの蓄積容量７３２に最も近いトランジスタを小さくすることを考えた。図７７に２つに分割したときの電流保持手段７０２の回路を示す。
【０２９０】
トランジスタ７３５を２つに分割し、７７５と７７２の２つの構成とした。トランジスタ７７５に比べ７７２はチャネルサイズが小さくなっている。またそれぞれのゲート電極につながる信号線は別になっており、ゲートイネーブル信号７７１の制御により、トランジスタ７７２の方が７７５に比べて早く非導通状態となるようにしている。タイミングチャートを図７９に示す。
【０２９１】
複数個のトランジスタにすることの利点は、２つのトランジスタのゲート信号線の波形を異ならせ、蓄積容量７３２に近いトランジスタ７７２をまず非導通状態とし、その後７７５を非導通状態とすることで、「突き抜け」はトランジスタ７７２のゲート容量Ｃｇ１と蓄積容量Ｃｓ、ゲート振幅Ｖｇａｔｅによることとなり、Ｃｇｓ＞Ｃｇ１となることからＶＧ自体を小さくすることができる。さらに、蓄積容量７３２の電荷を保持するために７７２が完全に非導通状態となった後、７７５が非導通状態となるとなるようにゲート信号線７４１をローレベルに変化させる。７７５はリーク電流を小さくするためトランジスタのチャネル幅／チャネル長の値が大きくなるように設計される。２つのトランジスタを直列に接続することでリーク電流が少なくなる利点がある。更にトランジスタ７７５と蓄積容量７３２に間にトランジスタ７７２が非導通状態となって挿入されているため、７７５ａのゲート信号による、節点７４２への「突き抜け」が発生しないという利点がある。
【０２９２】
このように、駆動トランジスタ７３１のゲート及びドレイン電極間に接続されるトランジスタを複数個に分割し、最も蓄積容量７３２に近いトランジスタはチャネルサイズを小さく作成した上に他のトランジスタに比べ早く非導通状態とすることで、電荷のリークなどの問題がなく突き抜け量を減らすことを実現できる。
【０２９３】
更に駆動トランジスタ７３１の（チャネル幅）／（チャネル長）（以降Ｗ／Ｌとする）に関してもＷ／Ｌの値が小さくなることが好ましい。
【０２９４】
図８４に電流−電圧特性を示す。Ｗ／Ｌの値が小さくなればなるほど傾きが小さくなり、階調電流信号７３０を記憶させた後「突き抜け」によりＶＧだけ駆動トランジスタ７３１のゲート電圧が低下したときの電流量の低下は８４１の曲線の方が８４２の曲線に比べて大きい。そのため「突き抜け」によるドレイン電流の低下を抑えるため、駆動トランジスタのＷ／Ｌを０．５以下とすることが好ましい。この場合、低下量は設定電流（Ｉｗ）に対し１％以下となる。下限値はチャネル幅の最小作成寸法、チャネル長を延ばすことによるチップ面積の増大の影響から０．００２以上である必要がある。
【０２９５】
以上のようにカレントコピア回路を用いた出力段を形成することにより出力ばらつきの小さいドライバＩＣを実現させた。
【０２９６】
大画面パネル向けのソースドライバにおいては、映像信号が高速に転送される必要があるため信号線周波数が高くなり、その結果電磁波ノイズが放出される問題がある。また、テレビ向けなどでは入力される信号線ビット数も増加するため、信号線が多数になるという問題もある。
【０２９７】
そこで映像信号を小振幅信号伝送することとした。図８５にその時のソースドライバ８５２、ゲートドライバ８５１、コントローラ８５４と電源モジュール８５３の接続を示す。このうち小振幅信号伝送を行うのは信号線周波数の高いクロック８５８、同期信号８５７、映像信号線８５６である。
【０２９８】
映像信号線８５６の伝送形式を図８６に示す。１水平走査期間８６４内に画素に出力されるデータが転送される期間（データ転送期間８６５）とブランキング期間（８６６）を形成する。なおブランキング期間は必ずしも存在する必要はない。
【０２９９】
データ転送期間８６５は、パネルのソース信号線数（カラーパネルの場合は信号線数／色数（一般には３色））に分割される。分割された期間を期間８６２とする。この期間８６２内で赤緑青の各色データ（８６１）及び階調に応じた電圧印加を水平期間のはじめに挿入するかどうかを決める１ビットのプリチャージフラグ（８６２）が映像信号線８５６を介して転送される。映像信号データ８６１及びプリチャージフラグ８６２は、転送信号レートや、信号線数の制約により全ビットを一斉にパラレル転送する場合から１ビットずつシリアルに転送する場合まで任意の方法で転送することが可能である。
【０３００】
また大型用電流ドライバにおいては、パネルサイズが大きいことによるソース信号線浮遊容量の増加や、画素数の増加による水平走査期間の短縮ということにより１水平走査期間内で電流が所定の値まで変化できない問題が顕著となる。そのため電流により所定階調を表示する前に一度電圧により所定階調付近までソース信号線の状態を変化させてから、電流により所定電流にまで変化させることが必須となる。
【０３０１】
ソースドライバの構成例を図８９に示す。ここでのソースドライバは図８５のソースドライバ８５２を示している。映像信号はクロック及び同期信号と共に小振幅信号伝送されるため、ソースドライバ側でレベル変換するための差動入力レシーバ８９３に入力される。映像信号をＣＭＯＳもしくはＴＴＬレベルの階調データ３８６に変換する。階調データ３８６はシフトレジスタ及びラッチ部３８４とプリチャージ電圧変換部８８４に入力される。階調データ３８６はシフトレジスタ及びラッチ部３８４により各出力に分配され、分配された階調データは電流出力段２３により階調に応じた電流量に変換される。これにより階調に応じた電流出力を行うことが可能となる。一方、階調データは同時にプリチャージ電圧変換部８８４に入力される。プリチャージ電圧変換部８８４では図８８に示すような回路構成により、階調データに応じた電圧が信号８８５により出力される。プリチャージ値変換部８８２の変換マトリクスと抵抗素子８８３の値により出力される電圧を変化させることが可能となる。
【０３０２】
電流書き込みを行う期間における画素とソースドライバ間の等価回路は図１２（ａ）に示す回路であった。このとき白表示時の電流をＩ３、黒表示時の電流をＩ１とすると、プリチャージ電圧出力の変動範囲は図１２（ｂ）からＶ３からＶ１までの範囲となる。Ｖ３及びＶ１の値は画素の駆動トランジスタ６２のチャネルサイズにより変化し、例えばチャネル幅が狭くなるほどＶ３とＶ１の差が大きくなる。パネル（画素トランジスタの構成）によって異なる電圧値が出力できるように本発明では図８８の８８３に示す抵抗素子を２つ外付けで配置し、抵抗値を任意に設定できるようにすることで、様々なパネルに対する電圧出力を可能とした。一般に赤、緑、青で有機発光素子の電流−輝度特性が異なることから、Ｉ１、Ｉ３の値が色ごとに異なり、その結果としてＶ１、Ｖ３も色ごとに異なる。従って図８８に示すプリチャージ電圧変換部８８４は３回路分ソースドライバに必要である。外付けの抵抗値が色ごとに異なる。図８５及び図８９では１回路の記載であるが、実際には赤緑青の３回路分が存在する。
【０３０３】
以上のように階調に応じて出力される電圧はつぎに分配部及びホールド部３８３により各出力に分配される。これにより各出力には階調に応じた電流と階調に応じた電流が分配された。電流と電圧のいずれを出力するかを電流電圧選択部３８５により選択する。
【０３０４】
電流電圧のいずれを選択するかはプリチャージ電圧印加判定部５６により決められる。プリチャージ電圧印加判定部５６はプリチャージパルス４５１とプリチャージイネーブル８９５により判定を行い、プリチャージパルス４５１が入力され、プリチャージイネーブル８９５がプリチャージを行う信号を出力した場合にのみ電圧を印加するようにする。
【０３０５】
これにより、図９０の出力９０１に示すように、階調データＤｎ（ｎは自然数）に対応する電圧をＶＤｎ、対応する電流をＩＤｎとすると、プリチャージ判定信号３８３がハイレベルとなりプリチャージをするというときには、１水平走査期間内でＶＤｎが出力された後、ＩＤｎが出力される。（ＶＤｎ印加期間はプリチャージパルス４５１のパルス幅による）一方でローレベルの時には、ＶＤｎは出力されず、ＩＤｎのみが１水平走査期間の間出力される。（電流出力か電圧出力かの大まかなタイムチャートを図４７に示す）プリチャージ判定信号３８３を利用することで、所定階調値に対応する電流まで変化しにくい低階調部では、電圧によりまず大まかにソース信号線の状態を変化させた後に、電流により所定電流値までソース信号線を変化させる。一方で、高階調部や、複数行同じ階調が連続して表示される場合の２行目以降の行においては、高階調部ではソース信号線が所定電流値にまで容易に変化できること、複数行連続の場合にはソース信号線の状態が変化する必要がないため、電圧により所定階調値まで変化させる必要がないため、プリチャージ判定信号３８３によりプリチャージを行わないようにするという制御が可能となる。（この状態で電圧により変化させると、画素回路の駆動トランジスタ６２の特性ばらつきによる輝度ムラが発生するおそれがあるため電圧を印加しない方がよい）プリチャージ判定信号３８３はこのようにソース信号線の状況に応じてプリチャージを行うかどうかを決められる利点がある。そのため映像信号線８５６で送るデータ量が各色で１ビットずつ多くなっても転送する必要がある。
【０３０６】
プリチャージパルス４５１はプリチャージ期間をコマンド線８４７によりソースドライバに入力し、プリチャージ期間設定値に応じてプリチャージパルス４５１のパルス幅を変更できるようにしている。これにより、画面サイズに応じてプリチャージに必要最低限の時間で電圧出力を行い、所定輝度にする電流出力期間をなるべく長くすることで、電圧による設定で発生する駆動トランジスタ６２による特性ばらつきの輝度ムラ補正をしやすくする。コマンド線８４７の信号線数を少なくするため図８７に示すように、１ビットのデータをシリアル転送によりソースドライバに送る構成とした。ソースドライバに必要なコマンドは、プリチャージ期間設定８７２の他、基準電流値を変更するための基準電流設定８７１とドライバ出力イネーブル信号のみである。これらの信号は頻繁に書き換えれられることはなく、頻繁に行っても１水平走査期間内で１回の書き換えでよい。図８７の例では全部で１５ビットであり、ソースドライバのシフトレジスタ用のクロック８７１が１水平走査期間内に変化する時間に比べてもゆっくりでよいため、電磁波ノイズの影響もなく信号伝送が可能である。そのため信号線数は１本でよい。また、コマンド線８４７に流れるデータの判別も、例えばタイミングパルス８４９の次のクロックから８ビット分上位から下位ビットの順で基準電流設定８７１、次にプリチャージ期間設定８７２、最後に出力イネーブル信号とすることでコマンドの判別線（アドレス設定）も不要である。これにより少ない信号線数で、ソースドライバの設定が可能である。なお基準電流設定信号が入力される基準電流生成部８９１は電子ボリュームにより基準電流が変更できるような構成となっており、設定信号により、電子ボリューム値が変化することで基準電流が変化する（図８に構成例を示す）。
【０３０７】
映像信号が各色偶数ビットで構成される場合（例えば各色１０ビットの計３０ビット）には、各色にプリチャージフラグ８６２が１ビットずつ足されるため全ビット数の合計は必ず奇数ビットとなる。（例の場合３３ビット）低振幅信号伝送を行う場合にはたいがい配線はツイストペア線で送られる。３３ビットの信号線を送る場合、転送速度がドライバと同じであるときには６６本の線が必要となる。これでは配線数が多いため、通常転送速度を、ドライバのクロックに対し一定倍で転送し、その分配線数を削減している。例えば２倍速で送る場合、１回の転送で１７ビットずつ転送すると３４ビットを転送できる。このうち３３ビットにデータを入れることでデータを２倍速転送でいる。しかしながら実際の転送能力３４ビットに比べ１ビット分ブランクのデータを送っていることになる。同様に偶数倍速で転送する場合には奇数ビットのデータでは必ず１ビット分ブランクのデータが送られることとなり、信号線の利用効率が低いことがわかる。つまり１ビット分データが増加しても、転送レート（クロックの倍速）、信号線数に影響を及ぼすことはない。
【０３０８】
そこで、本発明では、赤緑青の各映像信号とプリチャージフラグにデータ／コマンドフラグ９１１を足すことにし、このデータ／コマンドフラグ９１１の値が、例えば１のときには映像信号とプリチャージフラグが転送され、０のときにはソースドライバの各種レジスタ設定を行うというようなことをすることが可能である。図９１（ａ）にデータ転送、図９１（ｂ）各種レジスタ設定時の各ビットの構成を、図９２に、データ転送及び各種レジスタ設定の転送タイミングを示す。１水平走査期間ないで、各色の映像信号及びプリチャージフラグを全て転送した後のブランキング期間を利用して、データ／コマンドフラグ９１１によりソースドライバの各種レジスタ設定を行うようにした。ここでは、図９１（ｂ）に示すように、基準電流の設定とプリチャージ電圧を印加する期間を設定することとしている。
【０３０９】
このようにすることで、図８５のコマンド線８４７は不要となり信号線数を削減することが可能となる。
【０３１０】
ソースドライバのブロック図を図９３に示す。映像信号線８５６からコマンドデータと映像信号を分離するため、低振幅信号をＣＭＯＳレベルに変換するための回路である映像信号・コマンド分離部９３１が入ることが図８９の構成と異なる点である。
【０３１１】
以上のようにすることで映像信号線と同期してプリチャージフラグを転送し、かつ各種レジスタ設定を行う必要があるソースドライバＩＣにおいて、映像信号線とプリチャージフラグもしくは映像信号線、プリチャージフラグと各種レジスタ設定を同一信号線を用いて低振幅信号により高速転送を可能とした。これにより、プリチャージフラグに必要な配線、各種レジスタ設定用の配線数を削減することが可能となるうえ、高速転送時の電磁波ノイズ低減することが可能となった。
【０３１２】
小型用途の表示パネルにおいては、モジュール配置の空間的な制約が発生し、パネル外部へ引き出す信号線数を極力少なくする必要がある。大型パネルにくらべ表示ドット数が少ないことから映像信号線の転送レートは低い。そこで図９４及び図９５に示すように映像信号線８５６に階調表示用のデータ（赤緑青の各色データ、ここではＲデータ、Ｇデータ、Ｂデータとする）とその階調表示データに対し、プリチャージを行うかどうかを判定するプリチャージフラグ８６２を多重するのに加えて、さらにゲートドライバ制御用データ９５１を送信する。ゲートドライバＡ（８５１ａ）とゲートドライバＢ（８５１ｂ）両方の制御に必要な信号線を送信する。送信する信号は、シフトレジスタ動作用のクロック、スタートパルス、出力イネーブル信号、及びシフト方向を決める信号である。出力イネーブル信号は数μ秒単位で信号線状態を変化させることがあるため、図９６においてデータ転送期間９６２ばかりでなく、ブランキング期間９６３でもゲートドライバ制御用データ９５１を送信する。そのため図９５（ｂ）に示すようにソースドライバの設定信号に加えて、ゲートドライバ制御データ９５１を転送するようにした。これによりパネルから引き出される信号線は、電源線の他、最小で２ペアのツイスト線と、３本の信号線にて構成することが可能となる。
【０３１３】
信号線数を減らすと、転送レートが上がるため、送信側コントローラ８５４につけられるクロック発生部の消費電力が増大する。一般に小振幅伝送を行う場合の電力はほとんどが、クロック発生部で消費される電力である。そこで、低電力化が要求される機器では、映像信号線８５６に用いられるツイスト線の本数を多くして、転送レートを下げることで消費電力を低下させる。（信号線で消費される電力はクロック発生部で消費される電力の１０分の１から２０分の１程度である）図９６の９６４で示される期間に送る図９５（ａ）のデータ列を、シリアルで順に送るか、映像信号線８５６の本数に応じて一部もしくは全てをパラレルで転送するようにすればよい。
【０３１４】
このようにして、小振幅伝送された映像信号線８５６のデータをソースドライバ８５２にて分離する。ソースドライバ８５２の内部ブロックを図９８に示す。クロック８５８と映像信号線８５６、スタートパルス８４８からクロック８５８から作成したソースドライバクロック８７１に同期した階調データ３８６、プリチャージ判定信号３８３及びゲートドライバ制御線９４１を出力するための映像信号・コマンド分離部９３１を持つことが特徴となる。ゲートドライバ制御信号は図９５に示すように映像信号及びコマンドに対応して必ず送信されているため図９７の用にソースドライバクロック８７１に同期した信号に復調することが可能である。このようにすることで、ゲート信号線をパネル外部に引き出す必要がなくなり、信号線数が少ない表示パネルが実現可能である。またソースドライバクロック８７１に同期して出力することで、ソースドライバとゲートドライバのタイミングがあわせやすくなる利点がある。またコントローラ８５４からゲートドライバ８５１への制御線が不要となることからコントローラ８５４の出力端子数が少なくなり、より小さなパッケージでコントローラ８５１を作成できるようになる。
【０３１５】
図９８の構成は図９３の構成に比べ、プリチャージ電圧を発生出力するブロックが異なる。図９３では映像信号に応じた電圧を生成しアナログラッチを用いて各出力に分配したが、図９８では、電圧設定線９８６により決められるプリチャージ電圧発生部９８１の複数の電圧出力を各出力段に分配し、プリチャージ電圧選択及び印加判定部９８２により複数の電圧のうちどれを出力するか、もしくは電流のみの出力を行うかを判定するようにする。これにより分配部及びホールド部３８３は不要となる。大型パネルにくらべ、小型パネルにおいては１水平走査期間が長いこと、ソース信号線の浮遊容量が小さいことから、所定電流値が書き込みやすい。そこで、本ソースドライバでは電流のみでも書き込みが可能な高階調部では電圧を印加しないことを前提に発生電圧値の数を少なくし回路規模の低減をはかった。この例では３値の電圧出力とした。必要に応じて電圧値の数は１から７程度まで変えてもよい。
【０３１６】
映像信号のデータに応じたプリチャージ電圧出力の方法を説明する。映像信号線８５６から図９５（ａ）の方法により映像信号とプリチャージフラグが対になって送信される。カラーパネルの場合には赤緑青それぞれ１対ずつ送信される。それぞれ同一の方法によりプリチャージを行うためここでは赤の信号で説明を行う。対になって送信されるＲプリチャージフラグ８６２ａとＲデータ８６１ａは映像信号・コマンド分離部９３１に入力される。ここでＣＭＯＳレベルに変換され、それぞれプリチャージ判定信号３８３及び階調データ３８６となる。１画素ずつ順に送られてきた信号を各出力に分配するためシフトレジスタ及びラッチ部３８４に入力される。分配後、階調データ３８６は階調データ線９８５を介し電流出力段２３に入力され、階調に応じた電流を１０４から出力する。一方、プリチャージ判定信号３８３はプリチャージ判定線９８４に出力される。プリチャージ電圧選択及び印加判定部９８２では図１００に示すようにプリチャージ判定線９８４及びプリチャージパルス４５１によりデコード部１００１及び選択部１００４を制御し、階調電流１０４を出力するか、プリチャージ電圧９８３のいずれか１つを出力するか判定する。ここでは４つの入力のうちから１つの信号を選ぶことから、プリチャージ判定線９８４は２ビット幅が必要である。一般にプリチャージ判定線９８４のビット数をＮ（Ｎ：自然数）とすると、２Ｎの値が（プリチャージ電圧数＋１）以上となるようなビット数が必要となる。
【０３１７】
プリチャージパルス４５１は図４７の４７３に示すように、１水平走査期間内で電圧出力期間を決めるための信号である。従って、プリチャージ判定線９８４によりいずれかのプリチャージ電圧９８３を出力する際でもプリチャージパルス４５１入力期間のみ電圧が出力される。
【０３１８】
図１０１にプリチャージパルス４５１及びプリチャージ判定線９８４と出力１００５の関係を示す。これによりプリチャージ判定線９８４に入力する信号をコントローラから制御することにより、映像信号に対応したプリチャージ電圧を出力する期間を設けることが可能となる。
【０３１９】
プリチャージ電圧は、プリチャージ電圧発生部９８１により生成される。内部回路の構成例を図９９に示す。各電圧は抵抗分割により生成される。（９８３出力には一般的にはオペアンプが接続される）Ｖｐ１は抵抗素子９９２ａ及び９９２ｂにより決められる。一方Ｖｐ３は発光色により必要な電流値が異なることから色ごとに電圧が変化できる構成とした。抵抗素子９９７及び電圧選択部９９４を用いて、Ｖｓ１からＶｓ４のいずれかの電圧が選択できるようにしている。これは図６のような画素回路を持つ表示装置において、ソース信号線電流（＝ＥＬ素子６３に流れる電流）とソース信号線６０の電圧の関係は、図１０２の駆動トランジスタ６２の電流−電圧特性上に一致するため、緑と青でＥＬ素子の発光効率が異なることによる１階調あたりの電流ずれは、ソース信号線電圧のずれとしてあらわれる。プリチャージ電圧を必要とする０から２階調で考えると、青は緑に比べ発光効率が低いことからたくさんの電流が必要となり、同じ２階調目でも青は１０２１の点、緑は１０２２の点となる。これにより電圧値も異なる。電圧設定線９８６により電圧選択部９９４を制御し、例えば９９４ｃはＶｓ４（９９５ｃ）を選択し、９９４ｂはＶｓ１（９９５ａ）を選択することで、図１０２のような色によってプリチャージ電圧値を変更させることが可能である。駆動トランジスタ６２の特性に合うような９９７、９９８の抵抗値を決めることで所定の電圧を発生させることが可能である。電圧設定線９８６は外部から値を設定でき、図９５（ｂ）に示すようにコマンド期間でプリチャージ電圧設定９５３を入力し、映像信号・コマンド分離部９３１により映像信号と分離して電圧設定線９８６を取り出せるようにした。これにより色ごとに異なる電圧設定を行うのに際し、新たに外部信号線の数を増やさなくても実現できるようにした。図９８ではプリチャージ電圧９８３は３本のみ記載されているが、これは単色での例を示したものでマルチカラーの場合にはプリチャージ電圧９８３は色ごとに３本、計９本必要となる。プリチャージ電圧選択及び印加判定部９８２の電圧入力は３本である。出力毎に表示色はきまっているため、出力する色に対応した電圧３本を入力すればよいためである。
【０３２０】
なお８つ以上の電圧値が必要な場合では、図１００のデコード部１００１と選択部１００４の回路規模が大きくなることから、図８９の回路構成の方がよい。
【０３２１】
図９５、図９８もしくは図９１、図９３の構成にするかはパネルサイズ及び画素数からどちらを選択するか決めればよい。
【０３２２】
これにより、電流及び電圧出力が可能なソースドライバＩＣを少ない信号線数で実現可能である。
【０３２３】
電流ドライバＩＣでは特に低階調部で出力電流値が少ないことによるソース信号線浮遊容量の充放電不足から画素に書き込まれる電流の変化が遅いことが問題である。電流が変化するのに必要な時間ΔｔはΔｔ＝Ｃ×ΔＶ／Ｉ（ここでＣはソース線容量、ΔＶはソース線電圧変化量、Ｉはソース信号線に流れる電流である）で表されるため特に低階調ほど変化に時間がかかることがわかる。また白から黒、黒から白への変化では黒から白への変化の方が時間がかかることがわかった。
【０３２４】
例えば白表示時１０ｎＡのソース信号線電流を流し、黒表示時には０ｎＡのソース信号線電流とすると、白から黒へのソース信号線電流の変化の様子は図１０４に示される波形となり、黒から白へのソース信号線電流の変化は図１０５に示される波形となった。
【０３２５】
ＱＣＩＦ＋（１７６×２２０画素）のパネルで１フレームを６０Ｈｚで走査する場合には、１水平走査期間はおよそ７０μ秒である。初期状態から７０μ秒での変化は、白から黒では図１０４に示すように目標に対し９４％まで変化しているのに対し、黒から白では図１０５に示すように目標に対し５％しか変化できていない。
【０３２６】
１０ｎＡと０ｎＡ間での変化にこれほどまでの差がでるのは、ソース信号線電流に対するソース信号線電圧の値の変化が非線形変化となるためである。ソース信号線電流と電圧の関係を図１０６に示す。電流電圧の関係は駆動トランジスタ６２の電流電圧特性（１０６３）により決まり、ソース信号線の電流に応じて、１０６３の曲線に対応する電圧がソース信号線電圧値となる。電流変化に要する時間の式Δｔ＝Ｃ×ΔＶ／Ｉにおいて、黒から白への変化時にはＩ＝１０ｎＡ、白から黒への変化時にはソースドライバの電流は０であるが、駆動トランジスタが１０ｎＡの電流を供給しようとするため初期状態では同様にＩ＝１０ｎＡとなる。するとΔｔが７０μ秒と同じであるときには必然的にΔＶがほぼ等しくなることがわかる。１０ｎＡの状態からΔＶだけソース電位が上昇する場合と、０ｎＡの状態からΔＶだけソース電位がさがる場合では、曲線１０６３の特性から電流変化量が全く異なる。電位が上昇する方向では１０６１に示すように１０ｎＡから０．６ｎＡまで低下するのに対し、電位がさがる方向では０ｎＡから０．５ｎＡまでしか変化しない。その結果として、図１０４及び図１０５に示すような電流変化となる。
【０３２７】
ここでは１０ｎＡと０ｎＡの間の変化を例として説明を行ったが、任意の階調の組み合わせにおいても、同様に高階調から低階調への変化の方が、低階調から高階調への変化よりも早い。
【０３２８】
そこで本発明では、変化速度が遅い低階調から高階調への変化を早くするための方法を考案した。
【０３２９】
変化を早くするためには、ソース信号線容量を小さくするか、電圧変化量を小さくするか、電流を大きくする必要がある。ソース信号線容量はパネルサイズにより決まるため変化できない。また電圧変化量を小さくするには駆動トランジスタの電流電圧特性を変更するしかなく、具体的にはトランジスタのチャネル幅を長くするかチャネル長を短くするしかない。チャネル幅を長くすると、トランジスタサイズが増大し、１画素分の面積が小さい小型高精細パネルでは対策できない。一方、チャネル長を短くするとアーリー効果がより大きく発生し、書き込み時とＥＬ発光時（図７（ａ）と図７（ｂ）の期間）で駆動トランジスタ６２のドレイン電圧が異なると、アーリー効果によりそれぞれの場合においてドレイン電流値が変化するという問題が発生するため、チャネル長を短くすることができない。そこで、ソース信号線電流を大きくすることを考えた。
【０３３０】
図１０８に、ある１画素に電流Ｉを書き込むときの本発明によるソースドライバ電流出力波形を示した。水平走査期間のはじめ１０μ秒にわたって所定電流の１０倍の電流を流す期間を設けたことが特徴である。１０倍の電流を流すことで例えば図１０７に示すように電流の変化は従来の１０７２から１０７１の用に変化するようになり、７０μ秒での所定電流書き込みが可能となった。このようにソース信号線に流す電流を増加させる期間を１水平走査期間のはじめに設けることで電流値の変化が早くなり所定電流を書けるようになった。
【０３３１】
電流を所定値の１０倍して出力するとなると、所定電流の１０倍の値を計算する必要がある上、ソースドライバ側でも１０倍の電流が流せるような機能を設ける必要がある。これには演算回路が必要になったり、ソースドライバの電流出力段の電流源を１０倍分増加させなければならず回路規模が大きくなるという問題が発生する。また、表示色によって１階調あたりの電流値が異なる場合には階調毎に倍率を変化させるということも必要となってくる。そのため処理が複雑となる。
【０３３２】
そこで本発明では、低階調から高階調への変化時が変化しにくく、さらに低階調でも階調０が最も変化がゆっくりとなることから、階調０から次の階調へ変化させるのにどれだけの電流があれば１水平走査期間内に変化可能であるかを調査し、その電流値（ここでＩｐ１とする）を１水平走査期間のはじめに印加した後所定電流を印加することにより１水平走査期間内で所定電流値に変化できるような構成とした。所定階調値がＩｐ１よりも大きい場合には、Ｉｐ１の電流を流す期間でも所定階調電流を流すようにすることで、全階調領域にわたって、階調０から所定階調までの電流を１水平走査期間内に書き込むことが可能となった。この場合には、映像信号がある階調未満の場合にのみＩｐ１を挿入する期間を設けるとすればよいため、乗算器は不要である。また出力段においてもＩｐ１を出力する電流源を１つ各出力に設けるだけでよい。概念を図１０３に示す。階調表示用電流源に加え電流出力１０４にプリチャージ用の電流源Ｉｐ１（１０３３）を設ければ実現できる。この電流Ｉｐ１は所定階調まで変化する速度を速めるだけの目的で使われるため隣接端子間でばらつきがあってもよく、そのため階調表示に用いられる電流源を構成するトランジスタに比べて同じ電流を出力するにもトランジスタ総面積を小さく実現することが可能である。
【０３３３】
また、この電流Ｉｐ１はソース線容量、画素トランジスタの電流電圧特性により最適値が決まり、ＥＬ素子６３の発光効率には依存しない。そのため各色とも共通の電流値が入ればよく、色ごとに個別調整する必要がなく、小さな回路で構成可能となる。
【０３３４】
図１０９に水平走査期間のはじめにＩｐ１を出力する機能を設ける場合におけるソースドライバＩＣの構成を示す。ここで水平走査期間のはじめに出力するＩｐ１の電流をプリチャージ電流と呼ぶこととする。プリチャージ電流を発生するためのプリチャージ基準電流発生部１０９２及びソース信号線に出力するかどうかを判定するプリチャージ電流出力段１０９４、プリチャージ電流の期間を設定するパルス発生部１０９７を設けたことが特徴である。
【０３３５】
プリチャージ電流を出力するかどうかはプリチャージ判定信号３８３により決められる。プリチャージ判定信号３８３は階調データ３８６に同期して送信されるため、１画素毎にプリチャージ電流を出力する期間を設けるかどうか、複数個のプリチャージ電流を設けた場合には、そのうちのどれを選択するかを設定することが可能である。各出力に分配されるように、階調データ３８６と共にシフトレジスタ及びラッチ部３８４により各出力に分配される。階調データは階調データ線９８５として、各出力に設けられた電流出力段２３に入力される。電流出力段２３では階調データ線９８５、基準電流生成部８９１で作成された基準電流値に応じた電流量を１０９３に出力する。図１１０にはマルチカラー対応のドライバの時の基準電流生成部８９１及び電流出力段２３の構成を階調データ線９８５が３ビットの例で示している。基準電流設定線９３４により１１０１の信号線電位が変化し、オペアンプ１１０３、抵抗１１０２とトランジスタからなる定電流回路の電流値が変化する。これにより基準電流設定線９３４の値に応じて電流が変わることがわかる。階調データ線９８５により出力１０９３の電流が変わるのは、階調データ線９８５の値により、出力に接続される電流源トランジスタ１０３の個数が変わることにより変化させている。一般に有機ＥＬ素子は発光色ごとに発光効率が異なるため、発光色ごとに１階調あたりの電流を異ならせる必要がある。本発明では抵抗１１０２をＩＣ外部の素子として構成することで、抵抗１１０２の調整を容易とし、抵抗値で１階調あたりの電流値を変化させ、ホワイトバランスを取れるようにしている。一方各出力に分配されたプリチャージ判定線９８４はプリチャージ電流出力段に入力される。更にプリチャージ電流出力段１０９４はプリチャージ基準電流発生部１０９２及びプリチャージパルス１０９８からも信号入力がある。
【０３３６】
プリチャージパルス１０９８のパルス幅はパルス発生部１０９７により決められる。パルス発生部１０９７では電流プリチャージ期間設定線１０９６の値及びタイミングパルス、クロックによりカウンタ回路などを用いて、タイミングパルス出力からプリチャージ期間設定線１０９６の値に基づいてプリチャージパルス１０９８を出力するようにしている。
【０３３７】
プリチャージ電流の値を決めるプリチャージ基準電流発生部１０９２はプリチャージ電流設定線１０９１入力によりプリチャージ電流を変化させる。
【０３３８】
これら２つの外部設定値（電流プリチャージ期間設定線１０９６及びプリチャージ電流設定線１０９１）は、ソースドライバの入力信号線削減のため映像信号線８５６に、映像信号のブランキング期間を利用してブランキング期間中に設定信号を送るようにした。そのため、映像信号線８５６から映像信号・コマンド分離部９３１を介して、電流プリチャージ期間設定線１０９６及びプリチャージ電流設定線１０９１を取り出すようにしている。
【０３３９】
図１１１にプリチャージ電流出力段１０９４及びプリチャージ基準電流発生部１０９２の回路構成を示す（マルチカラー３色の組が２つの例）。
【０３４０】
プリチャージ電流出力段１０９４では、プリチャージ判定線９８４及びプリチャージパルス１０９８が入力される判定信号デコード部１１１１によりプリチャージ電流源トランジスタ１１１２から１１１４もしくは階調電流１０９３のうちの１つを出力１０４に接続するようにすることで、プリチャージ電流を出力するかどうかを選択する。
【０３４１】
これによりプリチャージパルス１０９８がハイレベルのときに、プリチャージ判定線９８４の値によって、プリチャージ電流源のうちのどれを出力するか、もしくは、プリチャージ電流なしで、階調電流を出力するかを決めることができる。
【０３４２】
なおプリチャージ電流は１値でもよいが、パネルサイズつまり容量値の違いによって必要な電流値が異なることから、ＩＣドライバを任意サイズで汎用的に使う際に、大型向け、小型向けに電流を調整して複数個出せるようにすることで汎用性を高めることが可能である。
【０３４３】
プリチャージパルス１０９８のパルス幅は、パネルサイズ及び水平走査期間の長さにもよるが、５μ秒以上水平走査期間の５０％以下が好ましい。この範囲で所定階調を書き込めない場合にはプリチャージ電流を増加させることで対応する。プリチャージ電流を挿入する期間を設ける階調データ３８６の値は階調データ３８６により電流出力段２３から出力される電流がプリチャージ電流未満の場合に印加するようにプリチャージ判定信号３８３を制御すればよい。プリチャージ判定信号３８３は入力信号線数の削減及び電磁波対策のため図９５に示すような形式で小振幅差動入力しても良い。
【０３４４】
このようにすることで、１行前のデータに比べて、次の行のデータが高階調となる場合にでもプリチャージ電流を入力することで所望の電流が書き込めるようになった。
【０３４５】
高階調から低階調に変化するときには図１０４に示すようにほぼ目標の電流値を書き込めるため、このままでも構わないが、階調０（黒）に関してはきっちりと黒を表示できるようにした方が、コントラストの向上、自発光素子の特徴である黒が表示できるという利点を強調することが可能である。
【０３４６】
そのため、０以外の階調から０階調に変化する際には、水平走査期間のはじめに電圧により黒を表示する電圧を印加するようにすることで、きちっとした黒を実現するようにした。ソース信号線に黒電流に対応する電圧を印加した場合、印加電圧によっては、駆動トランジスタ６２の電流電圧特性のばらつきにより画素によって、黒が浮く（微発光する）現象が観測される。これを防ぐために、印加電圧は、電流電圧特性のばらつきを考慮し、最もよく電流が流れる駆動トランジスタ６２でも電流が流れない電圧（プリチャージ電圧）を印加するようにすることで、駆動トランジスタのばらつきによる輝度ばらつきを防止できる。
【０３４７】
プリチャージ電流もしくはプリチャージ電圧を水平走査期間内に印加できるようにしたソースドライバの構成を図１１２に示す。プリチャージ電圧が供給できるように、プリチャージ電圧発生部９８１、電圧プリチャージを行う期間を指定する電圧プリチャージパルス４５１が入ることが特徴である。
【０３４８】
電圧でプリチャージを行う場合には、電圧印加期間が０．８μ秒以上３μ秒以下で十分にソース信号線をプリチャージすることが可能である。そのため電流プリチャージに比べ短い期間のみの印加となるため、電流プリチャージパルス１０９８とは別の信号線電圧プリチャージパルス４５１を入力している。電流プリチャージと期間を共有してもよいが、この場合、階調に応じた電流を流す期間が短くなるため、電流による駆動トランジスタのばらつき補正が十分行われず黒表示の電圧値が変化した場合に輝度ムラが発生する可能性がある。そのため、電圧印加期間は極力短くし、階調電流出力の期間を長くするようにしている（個々のパネルではプリチャージ電圧を駆動トランジスタ６２のばらつきに応じて調整することが可能であるが、実際にはパネル間、ロット間で駆動トランジスタ６２の特性が大きくずれる可能性がある。これに対し、プリチャージ電圧を調整すれば、共用することも可能であるが、調整工程が必要となるため実用的ではない。この調整機能を電流により行わせるため、階調電流出力期間が長い方が良い。なお小型パネルにおいてはソース線容量が比較的小さいこと、水平走査期間が長いことから共用としても十分に補正可能であるため、チップサイズ優先で２つのプリチャージパルスを共用する。）。
【０３４９】
１０９８及び４５１の２つのプリチャージパルスは開始位置が同じ（水平走査期間のはじめ）でパルス幅が異なるのみであるため、ソースドライバクロック８７１及びタイミングパルス８４９から作成されるカウンタにより作成することが可能である。パルス幅はそれぞれ電流プリチャージ期間設定線１０９６、電圧プリチャージ期間設定線９３３により定められる。図１０９の構成と同様にソースドライバの入出力信号線数の削減のため、映像信号線８５６のブランキング期間を利用して送信される。２つのパルスは１水平走査期間で１回の出力であることから、設定の書き換えは最もよく書き換えても１水平走査期間で１回であるためこのようにブランキング期間に設定する信号を挿入すればよい。
【０３５０】
印加するプリチャージ電圧値であるが、プリチャージ電圧発生部９８１により発生する。プリチャージ電流電圧出力段１１２へ出力する電圧が各色複数個ある場合には図９９と同様な構成を用いればよいが、階調０に対応する電圧各色１値のみである場合には、３つの電圧をそれぞれ電子ボリュームとオペアンプで構成し、電子ボリュームにより電圧値を調整するような構成でもよい。どちらの構成でも、電圧値の調整はプリチャージ電圧設定線９８６により行う。プリチャージパルスと同様、設定線は映像信号８５６のブランキング期間により行う。
【０３５１】
プリチャージ電圧、プリチャージ電流、階調電流のいずれを出力するかをプリチャージ電流電圧出力段１１２１で選択する。図１１３にプリチャージ電流電圧出力段１１２１の回路構成を示す。この例では電流プリチャージ電流源が１１１２及び１１１３の２つ、プリチャージ電圧線９８３が１つの合計３つと、階調電流１０９３との選択を行うことから、プリチャージ判定線９８４は２ビットとなっている。判定線９８４及びプリチャージパルス１０９８及び４５１から判定信号デコード部１１３１により、４つのうちのどれを出力するかをデコードする。切り替え部１１３２、１１３３、１１３４、１１３５の状態と入力信号の関係を図１１４に示す。プリチャージ判定線９８４によりプリチャージを行うか、行う場合には電流でするか電圧でするかを決める。さらにプリチャージを行う場合には電流もしくは電圧プリチャージパルスの期間のみプリチャージを行い、そのほかの期間では階調電流を出力するように設計する。これにより、電流もしくは電圧プリチャージ機能を有するソースドライバＩＣを実現した。なお図１１２から図１１４では、電圧プリチャージの電圧数が各色１種類、電流プリチャージの電流数が各色２種類で説明を行ったが、任意の種類でも実現可能である。
【０３５２】
プリチャージ判定線の元となるプリチャージフラグ生成のフローチャートを図１１５に示す。
【０３５３】
ここでプリチャージを行う条件を考える。電圧プリチャージは階調０となるときにのみ行う。更に１行前も階調０であるときには、信号線がこの２水平走査期間では変化しないため、電圧プリチャージを行う必要がないため、プリチャージをしないようにする。次に電流プリチャージであるが、ある一定階調以上である場合には、１行前のデータがどういうデータであろうと階調電流により十分に書き込むことが可能となるため、電流プリチャージは不要である。一般的には電流プリチャージ用電流源の電流値Ｉｐよりも大きな階調電流を出力する階調では電流プリチャージは不要である。図１１５の例では、３．５型ＱＶＧＡパネルにおけるフローチャートを記載している。この場合には３２階調以上では、所定階調に変化できるため電流プリチャージは不要である。電流プリチャージが必要となるのは１から３１階調表示行で、かつ１行前のデータが表示階調よりも大きい場合に電流プリチャージを行う。１行前データよりも当該行データのほうが小さい場合もしくは同一階調の場合には電流プリチャージは不要である。なお１行前データが階調０の場合、プリチャージ電圧が印加されていることが多く、電圧による輝度ばらつきを防ぐため、所定階調より高い電圧が印加される。そのためソース信号線の電位変化量がおおくなり、所定階調が書き込みにくくなる。そこで１行前データが０のときには、電流プリチャージの電流値がＩｐよりも大きなＩｐ０を用意し、階調０の後にはこの電流を出力するようにするということも可能である。
【０３５４】
このようなプリチャージを実現するため図１１５に示すように、まず１１５１に示すフローで映像信号データを調べ、プリチャージが不要な階調３２以上と、電圧プリチャージとなる階調０、その他の階調に分岐させる。階調３２以上ではプリチャージ不要となるため１１５７の判定により、プリチャージフラグ値を０とする（図１１４の判定信号デコード部１１３１真理値表を用いた場合）。
【０３５５】
階調０の場合には、１１５２のフローにより１行前のデータを参照する。階調０のときには不要であるため階調０とそれ以外に分け、階調０では１１５７のプリチャージなしとなり、フラグは０とし、階調０以外では電圧プリチャージするという１１５４の判定となり、プリチャージフラグは１とする。
【０３５６】
残る階調１以上３１以下では、１行前の映像信号データの方が大きい場合には、プリチャージ不要のため１１５７のプリチャージなしとなりフラグは０となる。階調０のときはＩｐ０の電流をプリチャージ電流として必要とするため１１５５の電流プリチャージ（電流源１１１３）となる。よってフラグ値は３となる。それ以外の場合には通常の電流プリチャージ（電流値Ｉｐ）を用いるため１１５６の電流プリチャージ（電流源１１１２）となりプリチャージフラグは２を出力する（ここで電流源１１１２はＩｐの電流源、電流源１１１３はＩｐ０の電流源と仮定する）。
【０３５７】
なおパネルによってはＩｐの値が大きくなり、それに伴いプリチャージが必要な階調数が増加することがある。この時に備え、１１５１の分岐命令は条件分岐の条件を外部コマンドなどにより変更できるようにしてもよい。また、プリチャージ電流源及び電圧源数が増えたときなどは同様に適宜フローチャートを作成し、回路実現することが可能である。
【０３５８】
このフローチャートを実現するプリチャージフラグ生成部１１６２は、通常コントローラ８５４内部にて、図１１６に示すように、映像信号１１６１及び１行前のデータを蓄積するラインメモリ１１６４の出力を入力とし、映像信号１１６１と同期して小振幅差動信号変換部１１６３に入力される。ここで、信号線数の削減及び電磁波ノイズ対策のため小振幅差動信号に変換され、更にブランキング期間にソースドライバの制御信号を挿入し、映像信号線８５６及びクロック８５８をソースドライバに対し出力する。なお、コントローラとソースドライバが１つのＩＣで構成される場合には小振幅差動信号変換部１１６３は不要でそのまま、この信号をシフトレジスタ及びラッチ部３８４に入力すればよい。
【０３５９】
また図１０９及び図１１２において、ゲートドライバ制御線９４１が出力されているがこの信号は、コントローラ出力信号線数削減のため用いられたものであり、コントローラの出力信号線数に制約がない場合には不要である。
【０３６０】
必要な電流プリチャージの電流量は、同一階調表示を行う場合でも、１行前の表示階調により異なることがわかった。例えば、階調１６を表示する場合には、１行前の階調が０のときには６４階調相当のプリチャージ電流が必要で、１行前階調が１のときには２６階調相当のプリチャージ電流、１行前階調が２のときには１６階調相当のプリチャージ電流（＝なくてもよい）となった。このため、プリチャージ電流を決める際には１行前のデータも参照し、１行前のデータと当該行データの値から最適なプリチャージ電流を設定する必要がある。
【０３６１】
１行前データと当該行データとプリチャージ電流値の関係をマトリクステーブルなど用意してプリチャージ電流を制御する方法もあるが、階調数が多くなるとテーブルが大きくなり、ＩＣ設計時回路規模が大きくなってしまうという問題がある。
【０３６２】
マトリクステーブルを用意してプリチャージ電流を決めなくてはならないのは、ソース信号線がはじめにどの状態となっているかで、変化時間に大きな差がでるためである。電流変化に要する時間は（ソース信号線の容量）×（１行前と当該行でのソース信号線電位差）／（ソース信号線電流）で表される。ソース信号線の電流と電圧の関係は図１０６に示すように、駆動トランジスタ６２の特性に従うため、非線形な曲線で表される。低階調表示ほど１階調あたりの電位差が大きくなっている。このため階調差が同じであっても所定電流にまで変化するのに大きく時間が異なる。例えば０階調から２階調に比べ２階調から４階調では電位差は１／２となっているため、ソース信号線電流が２倍になっていることとあわせると、書き込み時間が１／４となる。（階調差が２で同じの場合）単に階調差を検出するばかりでなく、階調差および表示階調からプリチャージを決める必要があり、少なくとも１行前のデータと、当該行のデータを参照する必要がでてくる。
【０３６３】
階調差がソース電位差と比例関係にあれば、階調差１に対するソース電位差が一義にきまり、階調差１あたりの必要電流分が決まる。これを元に任意の階調差に対し必要な電流量を計算により求めることができるため、階調差の計算結果から必要が電流値がきまるため、１行前データと、階調差１あたりの必要電流さえ記憶できる手段があれば、プリチャージ電流が決められる。
【０３６４】
しかしながら、本発明の表示装置においては、階調差とソース電位差は比例関係とならず、階調差が同じであってもソース電位差が異なる場合が発生するため、プリチャージ電流値は、１行前のデータと当該行データを参照し、そこからまずソース信号線電位差を計算する。ソース信号線電位差を元にプリチャージ電流を決めるという必要がでる。１行前のデータと当該行データとソース信号線電位差の関係を計算で求めることは不可能もしくは回路規模が非常に大きくなる計算が必要となるため実際には不可能であり、あらかじめテーブルを用意し、１行前データと当該行データから必要な電流値がわかるように、全ての階調の組み合わせにおいて、プリチャージ電流値を記録させておく必要がある。
【０３６５】
２５６階調の場合には６万５千通りあまりの全ての組み合わせについて記憶させる必要があり、この場合でも実際に回路を作成するのはかなり難しい（実際に作成する場合には、電流プリチャージが不要となる階調の組み合わせは記憶させないようにして回路規模を削減する。これにより１万通り程度の記憶量で実現できる）。
【０３６６】
そこで、本発明ではさらにプリチャージ電流値を判断する回路の回路規模を小さくするために、水平走査期間のはじめに電圧により階調０に相当する電圧を印加することとした。電圧によりソース信号線の状態を階調０に変化することは１〜３μ秒程度で実現可能である。水平走査期間の１０％以内の期間で変化させるため書き込みに必要な時間を大きく犠牲にする必要がなく、階調０の状態にソース信号線を変化させることができる。
【０３６７】
この階調０に相当する電圧を印加する期間（電圧リセット期間とする）を設けることで常にソース信号線の状態は階調０の状態から変化させることとなり、１行前の状態を記憶する必要がなくなる。（常に０であるため）表示階調に対応したプリチャージ電流を記憶するのみであるため、記憶量は激減し、多くても７０通り程度でよくなる。
【０３６８】
電圧リセット期間の後、所定電流に素早く変化させるためにプリチャージ電流出力期間を設け、所定階調付近にまで電流を変化させた後、所定階調に対応する電流を出力することで電流変化速度が遅い低階調領域でも素早く変化させることができる。
【０３６９】
表示階調に応じてプリチャージ電流を最適な値にして出力する方法では、最適プリチャージ電流値に応じた電流源を必要な電流値の種類だけ各出力に必要となる。階調表示用電流源２４１に加え、電流プリチャージ用電流源を配置するとソースドライバの回路が大きくなり、チップサイズが増大してしまう。また電流変化に要する時間はソース信号線の容量により変化することから、異なるサイズのパネルでは電流プリチャージの電流値が異なる可能性がある。回路形成されたドライバＩＣでプリチャージ電流を変化させることはできないため、例えば必要な電流源数よりも少ない電流値及び多い電流値を余分に作ることで、階調に対応する電流値の選択パターンを変化して対応させることも可能であるが、更に回路規模が大きくなる問題がある。
【０３７０】
そこで本発明では、外部からのコマンド操作などにて複数のパネルサイズに応じた最適な電流プリチャージが行えるように、電流値を階調に応じて変化させるのではなく、プリチャージ電流を印加する期間を階調に応じて変化させるようにした。
【０３７１】
具体的にはプリチャージ電流は、最大階調表示時の電流に対応する電流とし、このプリチャージ電流を印加する時間が変化すると、時間が短い場合にはプリチャージ電流による変化量が小さいため低階調程度の電流となるし、時間が長い場合にはプリチャージ電流による変化量が多くなるため高階調電流にできる。
【０３７２】
これを実現するソースドライバ構成を図１１７に示す。またプリチャージ電流及び階調に応じた電流を出力する電流出力部１１７１の回路構成例を図１１８に示す。
【０３７３】
図１１８において、階調表示用電流源２４１は階調データ線９８５により制御される切り替え手段１１８３に応じて出力１０４に接続されるかどうか決まる。なおこの電流源は階調データ線９８５のビットの重みに応じて電流量が異なるように設計されている。具体的には図２５のようにトランジスタで電流源を形成し、電流の重み付けは個数により決めると正確に電流を出力できる。
【０３７４】
プリチャージ電流を同一電流源から出力できるようにすることで電流源部の回路規模を小さくした。そのために、電流源２４１を出力１０４に接続するかどうかの切り替え手段１１８４を１１８３と並列に接続し、切り替え手段１１８４を電流プリチャージ制御線１１８１により制御するようにしたことで、電流源を共通とし回路規模を小さくした。このように１つの電流源２４１に対し、切り替え手段１１８３と１１８４を並列に配置するだけで実現できたのは、プリチャージ電流が最大電流（白表示電流）であることから実現できた。並列に切り替え手段が接続されているが、いずれか一方が導通状態となれば、接続された電流源の電流は出力される。従って、この２つのスイッチは論理和回路を実現していることとなり、電流プリチャージ出力期間は電流プリチャージ制御線１１８１はハイレベル、出力しないときはローレベルとすると、出力しないときには階調データ９８５により電流が出力され、出力する際には全ての２４１が電流プリチャージ制御線２４１により出力されることから階調データ９８５によらず、プリチャージ電流が出力できる。なお最大電流値を用いることで電流変化が早くなりプリチャージ電流出力期間１２０３をなるべく小さくすることができ、階調表示を正確に行うための階調電流出力期間１２０４を長く取れるという利点もある。
【０３７５】
２つの並列接続された切り替え部１１８３、１１８４を設けることで、論理演算用の素子が不要となるため、回路規模が小さくすることができる。
【０３７６】
プリチャージ電流出力期間を階調により制御するためには、この電流プリチャージ制御線１１８１のハイレベルの期間を階調により変化させれば良い。そこで本発明では、パルス選択部１１７５、複数の電流プリチャージパルスを設け、プリチャージ判定線９８４の値に応じて電流プリチャージパルス群１１７４のうちの１つを選択するようにすること、各電流プリチャージパルス１１７４はあらかじめコマンド設定によりハイレベルの期間を異ならせた信号とすることで、プリチャージ期間を変化させることができる。
【０３７７】
このパルス選択部１１７５の入出力関係を図１１９に示す。プリチャージ判定線９８４の値により、電流プリチャージ制御線１１８１及び電圧プリチャージ制御線１１８２の状態が変化する。同じ階調が連続した行表示される場合などソース信号線の状態が変化しない場合には電圧及び電流プリチャージが不要であるため、この例ではプリチャージ判定線９８４が０のときには階調に応じた電流出力のみを行うようにしている。また、階調０の時は電圧プリチャージにより階調０が表示されているため電流プリチャージのみが不要であるため、プリチャージ判定線９８４が７のときには電流プリチャージ制御線のみ常にローレベルとしたモードを設けている。他の判定値の場合には異なるパルス幅である複数の電流プリチャージパルスのうちの１つを選択できるようにしている。
【０３７８】
これにより図１２０に示すように、プリチャージ判定線９８４、電圧プリチャージパルス４５１、電流プリチャージパルス１１７４から出力１０４に出力される信号が決められる。図１１９の関係に従った場合、出力ははじめの水平走査期間では電圧プリチャージをした後、１１７４ｄの電流プリチャージパルスに応じた期間のプリチャージ電流出力期間１２０３を持ち、最後に階調電流出力期間１２０４となる。次の１水平走査期間では階調電流出力期間１２０４のみが存在する。このようにすることで、プリチャージ判定線９８４により電流プリチャージを行う期間を変化させることが可能となるし、各電流プリチャージパルス１１７４のハイレベルの期間を外部入力により変化させるように設計すれば、パネルサイズ、水平走査期間に応じて最適な電流プリチャージが行え、任意のパネルサイズ、画素数に対応したソースドライバを実現することが可能である。
【０３７９】
本発明では、図１１７に示すようにパルス発生部１１２２により電流プリチャージパルス群１１７４及び電圧プリチャージパルス４５１を発生させている。パルス発生部１１２２には電流プリチャージ期間設定線１０９６、電圧プリチャージ期間設定９３３が映像信号・コマンド分離部９３１を介して外部から入力されることにより、外部のコマンドにて任意のパルス幅を持つプリチャージパルスが実現できるようになっている。
【０３８０】
また、有機発光素子を用いた表示装置では、各表示色で発光効率が異なることから色ごとに１階調あたりの電流値が異なり、これによりプリチャージ電流値が変化してしまう問題がある。最も効率がよい表示色では白表示電流値が小さいため十分に所定階調まで電流が変化しきらない可能性がある。そこで本発明では電流プリチャージパルス群１１７４は１１７４ｇ、１１７４ｈ、１１７４ｉと色ごとに用意することで、電流を印加する期間を調整することにより上記問題点を解決した。具体的には最も効率が良い色では電流が少ない分、プリチャージパルスの幅を全体に長くしている。
【０３８１】
階調に応じてプリチャージパルス１１７４の長さを変化させることで所定電流となるようにできることを図１２４の電流変化の様子を用いて説明する（この場合ではドライバ出力は８ビット、２５６階調出力が行えるものとして説明を行う。階調数に関しては実際に使用するビット数に応じて置き換えて考えれば任意のビット数のドライバでも同様に説明が可能である）。
【０３８２】
電流プリチャージパルスの期間が例えば１１７４ａであるとすると、プリチャージ電流出力期間１２４２により電流が素早く変化した後、所定電流が出力されるためゆっくりと変化し、図１２４（ｂ）に示すような曲線で示される電流変化となる。
【０３８３】
一方、より長く電流プリチャージを出力した場合、例えば１１７４ｃの期間プリチャージ電流を出力した場合には１２４３の期間素早く変化し、その後階調３０にまで所定電流によりゆっくりと変化する（曲線図１２４（ｃ））。
【０３８４】
さらに電流プリチャージパルスを常に印加した場合では図１２４（ｄ）に示すような変化となる。
【０３８５】
図１２４（ｄ）の電流変化曲線に対し、所定階調値となる付近に近くなるまで電流プリチャージを行い、その後所定階調電流を出力すれば最も早く電流が変化できることがわかる。高階調ほど、プリチャージ電流出力期間を長くし、低階調になるにつれ短くすることでプリチャージ電流値そのものを変化しなくても印加期間のみで所定階調まで変化させることができる。
【０３８６】
図１２３に３．５型ＱＶＧＡパネルにおける、必要なプリチャージ電流期間と階調の関係を示す。階調が高くなるにつれ、プリチャージ電流期間は長く必要となっている。また３６階調以上ではプリチャージ電流期間は不要であることがわかっている。そこで、必要な電流期間と電流プリチャージパルスを図１２３のように対応づけて、それぞれの電流プリチャージパルスのハイレベルの期間を外部コマンドにより図１２３に示す期間に指定することで１つのプリチャージ電流源により、外部コマンド操作により、全ての階調変化に対して、次の行もきちんと所定階調が表示できるようになった。
【０３８７】
なお階調と電流プリチャージパルスの対応は、プリチャージ判定線９８４と電流プリチャージパルスの対応に置き換えられる。表示階調に対し、所望のプリチャージパルスが選択されるようコントロールＩＣなどにより階調データに対応するプリチャージ判定信号を生成し、供給することで階調と、電流プリチャージパルスの対応がとれる。
【０３８８】
これは、階調と電流プリチャージパルスの対応が変化したときにコントロールＩＣの制御により、階調に対する電流プリチャージパルスを変化させることができるという点で有利である。
【０３８９】
１階調あたりの電流値が大きい場合には、より低階調でも電流プリチャージなしで所定階調が表示できる。例えば図１２３の場合に比べ１階調あたり２倍の電流となった場合には、理論上１８階調以上は電流プリチャージなしで書き込みが可能である。この場合には、階調とプリチャージ判定線９８４の関係を制御しているコントロールＩＣでの処理を変更し、関係を書き換えることで対応することが可能となる。
【０３９０】
そのため、このようにプリチャージ判定線を階調信号とは別途用意し、このプリチャージ判定線により電流プリチャージパルスを選択することで、有機発光素子の発光効率が変化したときでも同一ソースドライバを用いて表示することが可能となった。
【０３９１】
複数のパルス幅を持つプリチャージパルス１１７４のうちの１つをプリチャージ判定線９８４の値に応じて選択する方法において、複数のプリチャージパルス１１７４のパルス幅を全て外部からコマンドで制御できるようにするには多数のパルス幅を規定する信号が必要となる。この信号をすべて直接ドライバＩＣ３６外部から入力するようにするとたくさんの入力ピンが必要となるため、実用的ではない。そこで本発明では映像信号のブランキング期間を利用して、ブランキング期間内に映像信号線８５６により、全ての設定値をシリアルに転送することで外部信号線数を増やさずにプリチャージパルス幅を設定できる。
【０３９２】
図１２１に映像信号線８５６を利用してコマンド入力するための信号入力方法を示す。映像信号が送信される間は図１２１（ａ）のように各表示色データ８６１（ここでは赤緑青を想定している。なお、この３色に限らず表示装置に応じて任意の色のデータであってもよい。例えばシアン、イエロー、マゼンダの３色など）と、各データ８６１に対しプリチャージを行うかどうかを判定するための  信号であるプリチャージフラグ８６２が対応して入力される。映像信号であることを判別するためのデータ／コマンドフラグ９５０が併せて送信される。例えばデータのときは１、コマンドの時な０とすれば、このビットを参照することで送られてくる信号が映像信号かコマンドかを識別できる。
【０３９３】
次に、ブランキング期間においてはコマンドを送信するようにする。データ／コマンドフラグ９５０を０として、コマンドであることを識別できるようにする。１回の転送で全てのコマンド設定が可能であれば不要であるが、本発明においてはコマンド数が多いことから、いくつかのビットをアドレスとして用いることとし、アドレスの値に応じてデータがどのコマンドに対応するかを判定するようにする。図１２１の例ではアドレスＡ１２１１において、電流プリチャージ設定信号か、それ以外の信号かを判定するようにしている。図１２１（ｂ）は電流プリチャージ期間の設定以外に必要な信号の設定を行っており、プリチャージ電圧値や電圧プリチャージ期間、１階調あたりの電流を規定する基準電流設定信号９１２を送信している。図１２１（ｃ）では、電流プリチャージ出力期間を色ごと、各色６つの設定を行う必要があることから、更にアドレスＢ１２１２を設け、アドレスＢ１２１２の値に応じて、どの電流プリチャージパルスのパルス幅を設定するかを決める。
【０３９４】
電流プリチャージパルスのパルス幅は図１２３からおよそ０．４μ秒刻みであることから、刻み幅としては０．２μ秒もしくは０．４μ秒で行い、可変範囲は６．４μ秒程度あれば任意のパネルに対し調整が可能である。３２もしくは１６段階の設定ができればよい。１１７４ａから１１７４ｆが同じパルス幅を持つ必要はないためそれぞれ異なる値に設定できるようにするべきであり、更に１１７４ａがパルス幅最小で、１１７４ｆがパルス幅最大となるように各パルスの役割を分担するようにすれば、例えば１１７４ａの調整範囲は０．２μ秒から６．６μ秒（３２段階調整）、１１７４ｆの範囲は２．０μ秒から８．４μ秒（３２段階調整）といったように、最小０．２μ秒から、最大８．４μ秒までのパルス幅を設定できるような構成にできる。このように、各パルスのパルス幅の可変範囲をパルス毎に少しずつずらして設定することで可変範囲を小さくすることが可能で設定用の信号線幅を少なくし、回路規模の小さいものが実現することができる。
【０３９５】
このように、外部入力コマンドにより様々な値を設定できるようにしたことで任意のパネルサイズ及び解像度における表示装置の階調に応じた電流出力が素早くできるソースドライバＩＣ３６を実現した。
【０３９６】
なお本発明による電流出力部１１７１は図１１８のように１つの電流源２４１に対し複数の切り替え部を並列に接続したものの他に、図１２２に示すように階調データ線９８５の各ビットと電流プリチャージ制御線１１８１の論理和を電流源２４１に接続された切り替え部１２２１の制御に用いる方法でも実現できる。切り替え部１１８３及び１１８４が小さく形成できるプロセスでは図１１８が回路規模が小さくなるが、小さくできない場合はロジック信号のルールで作成できる論理和回路を付加した方が小さくなる場合がある。
【０３９７】
この２つの回路のいずれをとるかはプロセスルールを考慮して小さくなる方を採用すればよい。
【０３９８】
電圧プリチャージパルス４５１はこの例では表示色によらず同一のパルスを入力しているがこれは、電圧でソース信号線の状態を変化させるのには出力のオペアンプの駆動能力により状態変化の速度が決まるのであって、１階調あたりの電流など表示色ごとに異なる信号による影響はないため、回路規模を小さくするために電圧プリチャージパルス４５１を１つとしている。回路規模が問題にならない場合には、各色個別指定ができるように３つのパルスを持ってもよい。
【０３９９】
図１１８または図１２２の出力段の構成を持ったソースドライバＩＣ３６において、図１２３に示すような階調とプリチャージパルスの関係でプリチャージ電流出力期間１２４３を持った出力が行えるが、単に階調に対し、図１２３の関係によりプリチャージ電流出力期間１２４３を決めてしまうと、例えばソース信号線が変化しない同一階調が連続して出力される場合でも、プリチャージが行われてしまう。
【０４００】
図１２５に示すように、水平走査期間のはじめにプリチャージ電圧印加期間１２５１において黒表示状態に信号線が変化した後にプリチャージ電流出力期間１２５２で所定電流値に近い値までソース信号線の状態が変化し、最後の階調電流出力期間１２５３において、所定電流値に変化することとなり、水平走査期間のはじめにソース信号線電流がいったん黒状態になるため、プリチャージ電流出力を行わない場合に比べ、かえって信号線の状態が変化し書き込み不足が生じる可能性を高めてしまっている。
【０４０１】
そこで本発明では、図１２６に示すように、同一階調電流出力が連続して出力される場合には、後の行ではプリチャージ電流出力期間１２５２を設けず、階調電流出力期間１２５３のみを設け、ソース信号線の状態変化を少なくすることで書き込み不足状態を発生させにくくした。
【０４０２】
図１２７に示す表示パターンの場合（１２７２、１２７４の領域が同じ輝度で、１２７３の領域が１２７２、１２７４の領域よりも低い輝度となるパターン）１２７３の領域となる最初の行と、１２７４の領域となる最初の行で、電流プリチャージを行うようにする。列１２７１に対応したソース信号線の出力電流波形は図１２８のようになる。領域１２７２に対応した期間では、出力電流が変化しないため、水平走査期間１２８１内では階調電流出力期間のみとする。
【０４０３】
領域１２７３に移った後のはじめの水平走査期間１２８１ｄでは、ソース信号線電流が変化するため、すばやく電流を変化させる目的から、プリチャージ電圧印加期間１２５１ｄとプリチャージ電流出力期間１２５２ｄを設け、従来のプリチャージ電流を出力しない場合（１２８２）に比べ短期間で領域１２７３に対応した電流を出力することができるようになった。領域１２７３表示が連続している場合でも同様に、プリチャージ電流、プリチャージ電圧を出力する期間を設けず、階調電流出力のみを行うことで、ソース信号線電流の変化を最小限としている。
【０４０４】
さらにソース信号線が領域１２７４表示に対応する出力を行う場合には、はじめの水平走査期間１２８１ｇのみで電圧及び電流プリチャージを行うようにする。なおプリチャージ電流出力期間１２５２ｇは、１２５２ｄに比べて長くなっている。これは図１２３の階調と電流プリチャージ出力期間の関係から、階調が高いほどつまり電流が多いほど、プリチャージ電流出力期間が長いことに対応している。仮に領域１２７４が階調０の場合には、プリチャージ電圧印加期間１２５１ｇのあと階調電流出力期間１２５３ｇとなりプリチャージ電流出力期間１２５１ｇがなくなる。（階調に応じてプリチャージ電流出力期間１２５１は存在するため、必ずしも存在するとは限らない）このプリチャージを行うことで、従来のプリチャージがなく階調電流出力のみで出力電流値を変化させた場合（１２８３）に比べ、短い時間で所定電流値にまでソース信号線の電流を変化させることができた。
【０４０５】
このようにソース信号線の状態が変化するときのみ、電圧プリチャージ及び電流プリチャージもしくは電圧プリチャージを行うようにするには、図１２３の階調との関係に加え、１行前階調との比較により、映像信号に変化があったときのみ図１２３の関係でプリチャージを行うようにする必要がある。
【０４０６】
プリチャージを行うかどうかを判定するための流れを図１２９に示す。映像信号１２９１から、現在の階調値を検出する。（１２９２）ここで階調が０の場合には、図１２３と同様に電圧プリチャージのみを行いその後階調に応じた電流を出力するようにする。（１２９３）
階調３６以上ではプリチャージを行わなくても所定階調まで電流が変化するため、階調に応じた電流出力のみを行う。（１２９６）
階調１以上３５以下では１行前の階調により処理が変わり（１２９４）、現在の階調と同一階調では階調に応じた電流出力のみを行う（１２９６）。これは、同一階調が連続して表示されるときに図１２６のように波形変化を小さくするために行っている。
【０４０７】
一方１２９４の処理で、１行前の階調と現在の階調が変わるときにはプリチャージ電圧出力後、階調に応じた期間電流プリチャージ、残りの期間で階調に応じた電流出力を行う（１２９５）ようにする。これは、図１２８で１２８１ｄ及び１２８１ｇの水平走査期間内での動作に相当している。
【０４０８】
プリチャージ判定線９８４の信号は、図１２９の判定結果で１２９４、１２９５の状態となった場合に図１２３の階調とプリチャージ電流出力期間の関係となるように信号を発生させれば、ソースドライバＩＣにおいて図１２６に示すような出力を行えるようになる。１２９６の状態となる場合には、図１２３の関係は用いず、常に階調電流が出力されるようにプリチャージ判定線９８４の値を決めればよい。
【０４０９】
これによりソース信号線の変化を最小限にしつつ、変化点では急速に電流を変化できるようにすることで図１２７のような表示でもきちんと領域の境界が表示できるようになった。
【０４１０】
階調０表示において、プリチャージ電圧がソース信号線を通じて画素回路内の駆動トランジスタ６２のゲート電極に印加され、黒表示に対応した電流（１．３ｎＡ以下の電流）を流すようにしている。しかしながらこの場合、駆動トランジスタ６２において電圧を電流に変換していることから、入力電圧に対するドレイン電流は温度の変化によって、変化する。例えば図１３０に示すように、低温ポリシリコンで駆動トランジスタ６２の作成した場合には温度が高い場合（図１３０（ａ））の方が、温度が低い場合（図１３０（ｂ））に比べ電流がよく流れる。そのため黒表示時の電流が増加し、黒浮きが発生するという問題がある（図６のような回路構成である場合には、駆動トランジスタ６２のドレイン電流がＥＬ素子に流れる電流である。そのためこのＥＬ素子に流れる電流が大きくなることでＥＬ素子が微点灯し、黒浮きが発生する）。
【０４１１】
例えば、温度が低い場合（ａ）でプリチャージ電圧をＶＢｋ２に調整した場合には、トランジスタ６２のドレイン電流はＩＢｋ流れる。この電流は黒浮きがわからないレベル（１．３ｎＡ）以下である。この状態で温度が上昇し、図１３０（ｂ）で示す曲線にトランジスタ６２の特性が変化した場合には、電流ＩＤが流れ、黒浮きがわかるレベルにまで電流が増加する。高温状態でも黒浮きをなくすためには、ゲート電圧をＶＢｋ１まで上昇させる必要がある。
【０４１２】
画素トランジスタのチャネルサイズを幅２５ミクロン、長さ１５ミクロンで設計した場合には、（ａ）が−２０℃、（ｂ）が＋５０℃とすると、ＶＢｋ２の電圧は、（６４の電圧値）−１［Ｖ］、ＶＢｋ１の電圧は（６４の電圧値）−３［Ｖ］である。画素トランジスタ６２のソースドレイン間の電圧がそれぞれ１Ｖ、３Ｖとなる値である。
【０４１３】
温度によって、必要なソースドレイン間電圧が異なるのであれば、トランジスタ６２に印加されるプリチャージ電圧を温度によって変化させればよい。プリチャージ電圧を発生する際に、基準となる電圧を抵抗分割により生成するとき、図１３１に示すように、抵抗素子１３１２のうちの１つに並列にサーミスタなどの温度補償素子１３１１をつければ温度によって、分割点１３１４の電圧が変化する。サーミスタであれば、温度上昇に伴い抵抗値が小さくなることから、２つの抵抗素子１３１２のうち、６４の電源側に接続された抵抗素子１３１２ａに並列に温度補償素子１３１１を接続する。各抵抗素子の値と、サーミスタの抵抗値及び温度係数を調整すれば、図１３２に示すように、温度が上昇するにつれ、プリチャージ電圧が上昇していくような設定を行うことができる。
【０４１４】
具体的な回路構成を図１３４に示す。ソースドライバ３６及び１画素分の画素回路で説明を行う。ソースドライバ３６の回路は電圧プリチャージを行うアナログ出力部に関してのみ記載している。全体の回路構成は例えば図１１７のようになっている。電圧プリチャージを行う際には、電圧プリチャージ制御線１１８２により電流出力線１０４にプリチャージ電圧発生部１３１３で発生した電圧が出力される。
【０４１５】
出力された電圧は、ソース信号線６０を伝い、ゲート信号線６１により選択された画素回路６７内部の、節点７２に印加される。
【０４１６】
画素選択期間が終了すると、スイッチ６６ａ、６６ｂが非導通状態、６６ｃが導通状態となり、トランジスタ６２のゲート電圧とドレイン電流の関係に基づいてＥＬ素子６３に電流が流れる。このときのゲート電圧とドレイン電流の関係が、図１３０となるため、プリチャージ電圧が温度によらず一定値を出力すると、節点７２（＝トランジスタ６２のゲート電圧）も一定であり、温度変化により図１３０の関係から、ＥＬ素子６３に流れる電流が変化する。
【０４１７】
そこで本発明では、プリチャージ電圧発生部１３１３において、オペアンプでバッファする前の電圧を、電子ボリューム１３４１で生成するのではなく、外部接続端子を経由し、抵抗素子１３１２と温度補償素子１３１１を用いて発生することにより、プリチャージ電圧つまりは節点７４の電圧を温度に応じて変化させ、温度によらずＥＬ素子６３に流れる電流を一定にするようにした。
【０４１８】
図１３３の波線１３１１にプリチャージ電圧が一定の場合でのトランジスタ６２のドレイン電流（＝ＥＬ素子６３に流れる電流）と温度の関係を示す。
【０４１９】
図１３３の実線１３３２にプリチャージ電圧を変化させたときの電流値の温度に対する変化を示す。１３３２の場合では、温度によらずトランジスタ６２のドレイン電流が一定であることがわかる。この電流値を１．３ｎＡ以下となるように、抵抗素子１３１２と温度補償素子１３１１を選定することで、黒浮きがない表示が実現可能となった。
【０４２０】
なお図１３４の構成では温度補償素子を用いて、温度特性により電流変化を補償したが、電子ボリューム１３４１がある場合には、電子ボリューム１３４１の値を温度によって変化させても良い。
【０４２１】
電子ボリューム１３４１を制御するのは一般的にはコントローラ１３５１にて行うため、コントローラ側で温度に応じて、電子ボリューム制御用コマンドを変化させるようにすればよい。そのためにコントローラ１３５１には、温度検知手段１３５０の信号が入力される。
【０４２２】
電子ボリュームの設定にはこの図では電子ボリューム制御信号１３５３を用いて、コントローラ１３５１からソースドライバ３６の制御を行っているが、図１１７に示すようなソースドライバではプリチャージ電圧発生部９８１の電圧値を映像信号線８５６から映像信号・コマンド分離部９３１を介して、受け取っている。このように、他の信号線を利用して、コントローラからソースドライバにシリアル転送後、信号分離する方法もあるため、必ずしも電子ボリューム制御信号１３５３は必要ではない。制御することが可能な信号線が、電子ボリューム制御用の単独、もしくは他の信号と共用でソースドライバとコントローラ間に接続されていればよい。
【０４２３】
なお、電子ボリューム１３４１で電圧値を制御する場合には、入力がデジタル信号であるため、温度に対して比例関係で電圧値を増やすことができず、図１３６の実線で示すように、階段状に電子ボリュームの出力電圧（つまりプリチャージ電圧）が変化する。
【０４２４】
この場合でも全ての温度範囲で、ＥＬ素子６３の流れる電流が１．３ｎＡ以下となるようにするため、温度補償素子で変化させた破線１３６２の電圧値を下回らないように、電子ボリュームの値を変化させた実線１３６１のように温度に対して電子ボリューム出力電圧を変化させるようにすればよい。
【０４２５】
このようにすると、トランジスタ６２のドレイン電流は図１３７の１３７１に示すように温度に対して電流が流れる。これにより温度によらず、ＥＬ素子６３に流れる電流を１．３ｎＡ以下にすることが可能となり、従来の温度によりプリチャージ電圧を変化させない１３３１に比べて、高温でも黒浮きがない表示を実現できた。
【０４２６】
サーミスタなどの温度補償素子１３１１を用いずにプリチャージ電圧値を温度によって変化させる方法を図１３８に示す。
【０４２７】
本発明の特徴として、プリチャージ電圧発生用回路１３８２を、画素回路６７が形成されているアレー１３８３と同一アレー面上に形成し、駆動トランジスタ６２と同一特性のトランジスタ１３８１を用いて電圧を出力することを特徴としている。
【０４２８】
プリチャージ電圧発生用回路１３８２は、トランジスタ１３８１と容量１３８６からなっており、画素回路６７と比較して、画素選択状態と同一回路となるような構成となっている。節点１３８７の電圧をソースドライバ３６のプリチャージ電圧発生部１３１３のオペアンプに入力することで、トランジスタ１３８１に電流が流れないときの電圧が、プリチャージ電圧発生部１３１３から出力されることにより、このプリチャージ電圧がこのアレーでの黒表示状態に対応した電圧を出力できることがわかる。（電子ボリューム１３４１の出力は用いないようにする）ここで、１３８１の電流が流れない状態にするには、オペアンプ１３８８の入力インピーダンスが十分高くなるようにオペアンプ１３８８を設計しておくことが必要である。
【０４２９】
トランジスタ１３８１と駆動トランジスタ６２は同一アレー面内にあり、ドレイン電流とゲート電圧の関係は２つのトランジスタ間では非常に少なくできる。これはロット間、シート間ばらつきに比べ、シート面内ばらつきの方が小さくなることからである。
【０４３０】
より黒表示時の輝度を下げる（電流を小さくする）には、節点７２の電位を上昇させるしかない。節点７２の電圧を上げるには、プリチャージ電圧発生用回路１３８２の、節点１３８７の電圧を上げるしかない。このためには、トランジスタ１３８１のドレイン電流を下げる方法があるが、その場合には、オペアンプ１３８８の入力インピーダンスを高めるしかなく、オペアンプ１３８８の特性ばらつきによる影響を受けやすくなる。
【０４３１】
そこで、本発明では、トランジスタ１３８１のチャネル幅を大きくすることで、ドレイン電流が同一であっても（ソースドライバの構成を変えなくても）トランジスタ１３８１の特性に従って節点１３８７の電圧を上昇させることとした。
【０４３２】
この場合には、プリチャージ電圧と、駆動トランジスタ６２が黒表示を行う際の電圧（節点７２の電圧）は、同一アレー面１３８３に形成された２つのトランジスタによってのみ決められるため、アレー面内のばらつきが抑えられれば、どのような外部回路を持ってきても常に一定の黒表示を実現することが可能となる。
【０４３３】
トランジスタ１３８１のチャネル幅を大きくするか、チャネル長を短くするとドレイン電流とゲート電圧の関係が変化し、図１３９に示す１３９１と１３９２の曲線が実現できる。
【０４３４】
図１３９のような関係となるように２つのトランジスタを形成すると、リーク電流などによりトランジスタ１３８１にＩｄ１の電流が流れた場合に、節点１３８７の電位はＶｇ１となり、プリチャージ電圧としてＶｇ１が出力される。この時、画素回路６７の節点７２にも同一のＶｇ１電圧が印加され、駆動トランジスタ６２にはＩｄ１より小さなＩｄ２の電流が流れる。これにより、リーク電流となるＩｄ１よりも小さなＩｄ２の電流が画素内に流れることから、より黒表示の輝度が低い表示が可能となった。Ｉｄ１とＩｄ２の関係はトランジスタ１３８１と６２の特性の関係つまりトランジスタのチャネル幅及び長さの比により決まるため、より黒表示時の電流を下げるために、トランジスタ１３８１のチャネル幅を大きくするという手法がとれる。同一サイズでも良いが、好ましくは３倍程度のチャネル幅にすることが好ましい。
【０４３５】
これは、トランジスタ６２にソース信号線６０を介して、０の電流を流した時にでも、ＥＬ素子６３には３．５ｎＡ程度の電流が流れるという問題があり対処のために、大きくしている。図１４４に示すドレイン電流とソースドレイン間電圧の関係のような駆動トランジスタ６２のアーリー効果により、ソース信号線６０から０の電流を書き込んだ場合のソースドレイン間電圧と、ＥＬ素子６３に電流を流すときの駆動トランジスタのソースドレイン間電圧が全く異なることで、Ｉｄ１で書き込んだ電流でもＩｄ３の電流まで増加してしまうという問題がある。Ｉｄ３の電流が３．５ｎＡであり、主観評価で黒表示が問題とならない１．３ｎＡ以下の電流に比べ３倍近くの電流が流れていることから、電流を１／３に削減するためにトランジスタ１３８１のチャネル幅を３倍にすることで対応することとした。１．３ｎＡ以下であるので、３倍以上でも構わないが、アレー上でのトランジスタ形成面積が増大することから３倍程度とした。
【０４３６】
更に、同一アレー面内であるため、温度依存性のばらつきも小さく、図１４３に示すように、常温時の特性が１３９１、１３９２であるとすると、高温時には１４３１、１４３２のように同じようにシフトされ、プリチャージ電圧として供給される電圧がＶｇ１からＶｇ２に変化するのみで、駆動トランジスタ６２のドレイン電流はＩｄ２で変化せずに表示が可能である。このことは温度特性を調整なしで補償できていることを示している。これにより、温度制御手段を用いずともアレー面内にプリチャージ発生用トランジスタを形成することで、温特補償が可能となった。
【０４３７】
図１４０にプリチャージ電圧発生用回路１３８２の配置場所の例を示す。表示エリア内には画素回路が形成されているため配置できない。そこで画素周辺に形成するようにする。ゲートドライバ３５周辺にスペースがある場合などはそこに入れることも可能である。
【０４３８】
更に図１４０の１３８２の回路を全て形成しておき、図１４１に示すように、接続変更部１４１１を介して、そのうちの１つをプリチャージ電圧発生部１３１３に入力するようにしても良い。この接続変更部の配線は外部から用意にレーザー加工などによって変更できるようにすることで、アレー製造工程時に仮に１３８１ａのトランジスタが不良となったとしても、レーザーリペアにより正常なトランジスタを用いて出力できるように結線を変更するようにすれば、歩留まり向上が期待できる。１３８１ｃのトランジスタが正常動作であるときの配線例を図１４１に示している。
【０４３９】
図１４２では更に、トランジスタ１３８１を全てソースドライバ入力端子１３８９に接続している。端子１３８９を流れる電流は一定であることからトランジスタ１３８１の１つあたりに流れる電流が約１／４となり、より黒表示が可能な回路を実現できる。
【０４４０】
また、図１４０のように四隅に配置したことでアレー面内の様々な特性のトランジスタを用いて黒表示用電圧を生成することで、トランジスタ１３８１の１つあたりのばらつきを吸収し、平均値に近い電圧を出力できるという利点がある。１つのトランジスタが異常に多く電流を流す場合には、そのトランジスタの特性に応じて電圧がきまる。端子１３８９を流れる電流値は同一であるため、もっともたくさん流すトランジスタの特性に応じて電圧がきまる。よって最も特性のよいトランジスタでも黒表示が可能な電圧を出力するため、最悪でも必ず黒浮きがないようにできる利点がある。
【０４４１】
トランジスタ１３８１に欠陥がある場合には、レーザーによりそのトランジスタと接続している配線をカットするだけでよいため、簡便にリペア可能である。
【０４４２】
なお接続変更部１４２１を含む節点１３８７の配線は高抵抗であるため、ノイズに弱い。ノイズによる変動を抑えるため、容量１３８６は画素回路での容量値に比べ大きくすることが好ましい。表示部と異なり開口率がなくてもよいため、十分に大きなコンデンサを形成することが可能である。これにより電圧変動が少ない電圧を供給できる。
【０４４３】
なお本発明では表示素子として、有機発光素子で説明を行ったが、無機エレクトロルミネッセンス素子、発光ダイオードなど電流と輝度が比例関係となる表示素子ならどのような素子を用いても実施可能である。
【産業上の利用可能性】
【０４４４】
本発明にかかる電流出力型半導体回路は、入力信号線数を減らし、有機電界発光素子など、電流量により階調表示を行う表示装置に有用である。
【図面の簡単な説明】
【０４４５】
【図１】本発明における電流出力型半導体回路の入力信号波形を示した図
【図２】１ドット分の映像信号ごとにプリチャージを行うかどうか外部から選択できるようにしたときのドライバＩＣのブロック図
【図３】複数のソースドライバＩＣを用いた表示パネルを示した図
【図４】有機発光素子の構造を示した図
【図５】有機発光素子の電流−電圧−輝度特性を示した図
【図６】カレントコピア構成の画素回路を用いたアクティブマトリクス型表示装置の回路を示した図
【図７】カレントコピア回路の動作を示した図
【図８】定電流源回路の例を示した図
【図９】基準電流源の各素子の配置構成を示した図
【図１０】電流出力型ドライバの各出力へ電流を出力するための回路を示した図
【図１１】図１０の階調表示用電流源１０３のトランジスタサイズと出力電流ばらつきの関係を示した図
【図１２】カレントコピア構成の画素回路において、画素にソース信号線電流が流れるときの等価回路を示した図
【図１３】１出力端子における電流出力とプリチャージ電圧印加部及び切り替えスイッチの関係を示した図
【図１４】発光色による輝度対電流特性の違いを示した図
【図１５】１水平走査期間内でのプリチャージ電圧を行う期間と階調データに基づく電流を出力する期間の関係を示した図
【図１６】表示色ごとに異なるプリチャージ電圧を出力することができる回路ブロックを示した図
【図１７】階調データとプリチャージ判定信号の関係を示した図
【図１８】入力シリアル電流を各信号に分配する回路を示した図
【図１９】基準電流を各出力に分配する実施の形態における、複数のドライバＩＣの接続関係を示した図
【図２０】ｎ型トランジスタを用いた場合のカレントコピアを用いた画素回路を示した図
【図２１】本発明の実施の形態を用いた表示装置として、テレビに適用した場合を示した図
【図２２】本発明の実施の形態を用いた表示装置として、デジタルカメラに適用した場合を示した図
【図２３】本発明の実施の形態を用いた表示装置として、携帯情報端末に適用した場合を示した図
【図２４】本発明の実施の形態を用いた半導体回路の電流出力部の概念を示した図
【図２５】図２４の構成において、電流源をトランジスタで構成した場合を示した図
【図２６】図２４もしくは図２５に示した電流出力部による入力信号の階調対出力電流の関係を示した図
【図２７】８ビットデータのうち下位１ビットをあるサイズのトランジスタ構成で出力し、残りの上位７ビット分を下位１ビットのトランジスタに比べてドレイン電流量の多くなるトランジスタを用意し、トランジスタの個数により階調表示を行う電流出力段を示した図
【図２８】低階調表示部に黒階調に対応する電圧を印加した場合の表示を示した図
【図２９】フレーム毎にプリチャージ電圧を印加するかどうか選択できるようにしたときの出力段及び出力段に必要な信号の構成を示した図
【図３０】３フレームに１回プリチャージを行う場合のプリチャージを印加する画素のパターンを示した図
【図３１】２フレームに１回プリチャージを行う場合のプリチャージを印加する画素のパターンを示した図
【図３２】入力階調とプリチャージを行うフレームの割合の関係の一例を示した図
【図３３】図２９の構成からプリチャージ用電源を複数個用意した場合の回路を示した図
【図３４】図３３の構成において２つのプリチャージ電圧とフレーム毎に出力電圧を変更できる
【図３５】図３３のプリチャージ用電源電圧印加に対するソース信号線電流の関係（画素トランジスタの電流電圧特性）を示した図
【図３６】複数のプリチャージ電圧とフレーム毎に出力電圧を変更できる出力段の構成を示した図
【図３７】図３６の複数のプリチャージ電圧の階調に対する印加パターンを示した図
【図３８】階調に応じた電流出力と階調に応じた電圧出力のいずれかを選択して出力可能な構成とした出力信号線の例を示した図
【図３９】点灯率の低い画面でプリチャージを行わない場合と行った場合の表示を示した図
【図４０】点灯率の高い画面でプリチャージを行わない場合と行った場合の表示を示した図
【図４１】本発明におけるプリチャージ電圧を出力するかどうかを判定するフローチャートを示した図
【図４２】本発明のプリチャージ印加方式を実現するためのプリチャージ判定信号生成部を示した図
【図４３】フレーム毎にプリチャージをするかどうかを判定するためのＦＲＣレジスタの動作を示した図
【図４４】カレントミラー形式の画素構成を用いた表示装置を示した図
【図４５】階調に応じた電流、階調に応じた電圧を１水平期間内でいずれか１つを選択し出力するか、時間的に順に出力するようにできるようにした場合の出力段の構成を示した図
【図４６】図４５のプリチャージ電圧印加判定部の回路例を示した図
【図４７】図４５の構成の出力段において一水平走査期間内で、電流のみ出力する場合、電圧のみ出力する場合、電圧出力後電流を出力する場合のプリチャージ判定信号及びプリチャージパルスの関係を示した図
【図４８】図６もしくは図４４におけるＥＬ電源線の配線を示した図
【図４９】３フレームに２回プリチャージを行う場合の各フレームでのプリチャージを行う画素のパターンを示した図
【図５０】階調とプリチャージを行うフレームの割合の関係を示した図
【図５１】点灯率設定信号、ＦＲＣプリチャージ設定信号による３つの異なる点灯率での階調に対するプリチャージするフレームの割合の違いを示した図
【図５２】上位３ビットの電流出力に対応するトランジスタ群のトランジスタサイズを半分にしたときの階調と出力電流ばらつきの関係を示した図
【図５３】電流出力部におけるトランジスタ群の並びを示した図
【図５４】各トランジスタ群を構成するトランジスタのチャネルサイズとばらつきの関係を示した図
【図５５】上位３ビットの電流出力に対応するトランジスタ群のトランジスタサイズをそれぞれ異ならせたときの階調と出力電流ばらつきの関係を示した図
【図５６】８ビット映像入力に対し、下位２ビットと上位６ビット間の電流の大小関係をトランジスタチャネル幅により調整し、各ビット内ではトランジスタの個数により電流を変化させた出力段の構成において、中間調で階調反転が起こった場合の階調対出力電流特性を示した図
【図５７】８ビット映像入力に対し、下位２ビットと上位６ビット間の電流の大小関係をトランジスタチャネル幅により調整し、各ビット内ではトランジスタの個数により電流を変化させた出力段の構成において、最上位ビットに対応する電流源にさらに電流源を追加できる構成を示した図
【図５８】階調１２７と階調１２８の電流差を示した図
【図５９】階調１２８の電流がばらつきにより減少したときの階調１２７電流との関係を示した図
【図６０】階調反転がなくなったときの階調―電流特性を示した図
【図６１】嵩上げ信号線を用いたときの最上位ビット電流源電流嵩上げ機能付きの電流出力段を示した図
【図６２】図６１の電流出力段を用いたときのドライバＩＣの機能ブロック図
【図６３】下位２ビット出力電流が２０％増加したときの階調１２７電流と、嵩上げ後の階調１２８電流の関係を示した図
【図６４】嵩上げ信号線を用いたときの最上位ビット電流源電流嵩上げ機能付きの電流出力段を示した図
【図６５】いくつかの階調間での輝度差と出力ばらつきから階調反転がおこるかどうかを示した図
【図６６】階調３と４での電流値及びばらつきの関係を示した図
【図６７】階調１３１と１３２での電流値及びばらつきの関係を示した図
【図６８】嵩上げ信号線及びレーザー加工による嵩上げ機能を用いたときの最上位ビット電流源電流嵩上げ機能付きの電流出力段を示した図
【図６９】出力毎に嵩上げを行うかどうかを嵩上げ信号により制御できるドライバＩＣの構成を示した図
【図７０】カレントコピア回路を出力段に用いる場合におけるドライバＩＣのブロック図を示した図
【図７１】デジタル−アナログ変換部を実現する回路例を示した図
【図７２】複数のドライバＩＣを接続したときの階調基準電流信号の配線を示した図
【図７３】電流保持手段の回路を示した図
【図７４】節点７４２及び駆動トランジスタ７３１のドレイン電流がゲート信号線７４１により変化することを示した図
【図７５】駆動トランジスタのドレイン電流−ゲート電圧特性を示した図
【図７６】移動度が異なるトランジスタが各出力の駆動トランジスタに用いられる場合において「突き抜け」によるドレイン電流の違いを示した図
【図７７】カレントコピア回路において「突き抜け」を減らすためにトランジスタを１つ挿入した場合の電流保持手段を示した図
【図７８】階調基準電流生成部の回路を示した図
【図７９】図７７において２つのゲート信号線の波形を示した図
【図８０】階調基準電流生成部の回路を示した図
【図８１】基準電流生成部を示した図
【図８２】イネーブル信号を含んだデジタルアナログ変換部の回路を示した図
【図８３】１水平走査期間におけるタイミングパルス、チップイネーブル信号、セレクト信号と階調電流信号の関係を示した図
【図８４】Ｗ／Ｌの異なるトランジスタの電流−電圧特性を示した図
【図８５】映像信号とプリチャージフラグを低振幅高速転送し、電子ボリューム設定及びプリチャージ期間設定用の１ビットコマンド線付きとなるソースドライバを用いた場合の表示パネルの構成例を示した図
【図８６】プリチャージフラグと映像信号線を同一信号線により高速伝送を行う場合の伝送パターン例を示した図
【図８７】コマンド線のタイミングチャートを示した図
【図８８】階調に応じたプリチャージ電圧を生成するプリチャージ電圧変換部の回路構成を示した図
【図８９】図８５に用いられるソースドライバの内部ブロック図
【図９０】階調データに対応した電流電圧出力の関係及び、階調データに同期して送られるプリチャージ判定信号の転送例を示した図
【図９１】映像信号線と同一信号線に基準電流設定及びプリチャージ印加期間設定信号を入力する場合におけるそれぞれの転送パターン例を示した図
【図９２】１水平走査期間内でデータを転送する期間とブランキング期間の関係を示した図
【図９３】映像信号線と基準電流及びプリチャージ期間設定信号線を共用した場合におけるソースドライバの内部構成を示した図
【図９４】ゲートドライバ制御線出力を持ったソースドライバを用いたときのドライバＩＣ間の配線を示した図
【図９５】本発明の実施の形態におけるデータ転送方法を示した図
【図９６】１水平走査期間内におけるデータの転送例を示した図
【図９７】ソースドライバ内部で映像信号線から、階調データ、プリチャージ反転信号、ゲートドライバ制御線を分離したのちの各信号線波形を示した図
【図９８】ゲートドライバ制御線出力機能を有したソースドライバの内部構成を示した図
【図９９】図９８のプリチャージ電圧発生部を示した図
【図１００】図９８のプリチャージ電圧選択及び印加判定部を示した図
【図１０１】図１００におけるデコード部１００１の入出力関係を示した図
【図１０２】図６の画素回路を用いたときのソース信号線電流とソース信号線電圧の関係を示した図
【図１０３】階調に応じた電流源の他に電流プリチャージ線により電流を供給するための電流源を電流出力段に設けた図
【図１０４】ソース信号線電流が１０ｎＡから０ｎＡに変化するときの変化の様子を示した図
【図１０５】ソース信号線電流が０ｎＡから１０ｎＡに変化するときの変化の様子を示した図
【図１０６】図１０４及び図１０５での変化をソース信号線の電流電圧特性上で示した図
【図１０７】電流プリチャージを行ったときのソース信号線電流の変化の様子を示した図
【図１０８】水平走査期間のはじめに所定電流の１０倍の電流を出力するときのソースドライバ出力の時間変化を示した図
【図１０９】図１０８のような電流出力を実現するためのソースドライバの構成を示した図
【図１１０】マルチカラー出力に対応したソースドライバの基準電流生成部と電流出力段の構成を示した図
【図１１１】マルチカラー出力に対応したソースドライバのプリチャージ電流出力構成（プリチャージ基準電流発生部、プリチャージ電流出力段）を示した図
【図１１２】プリチャージ電流及びプリチャージ電圧をソース信号線に出力可能としたソースドライバの構成を示した図
【図１１３】図１１２のプリチャージ電流電圧出力段の内部構成を示した図
【図１１４】図１１３の判定信号デコード部１１３１の入力とスイッチ１１３２から１１３５の状態の関係を示した図
【図１１５】ソースドライバに入力されるプリチャージフラグ８６２を出力するフローチャートを示した図
【図１１６】プリチャージフラグ生成部及びソースドライバへの送信部を示した図
【図１１７】電圧プリチャージと複数の異なる期間のうちの１つの期間を選択して電流プリチャージを行うことができるソースドライバの構成を示した図
【図１１８】電流プリチャージを行う機能を有する電流出力部１１７１の回路を示した図
【図１１９】パルス選択部１１７５の入出力信号の関係を示した図
【図１２０】図１１９に基づいてパルス選択部を動作させたときの、プリチャージパルス１１７４、４５１とプリチャージ判定線９８４と出力の時間変化を示した図
【図１２１】図１１７の構成をしたドライバＩＣの入力信号形式を示した図
【図１２２】電流プリチャージを行う機能を有する電流出力部１１７１の回路を示した図
【図１２３】表示階調と必要なプリチャージ電流出力期間の関係を示した図
【図１２４】電流プリチャージを用いたときの電流変化を示した図
【図１２５】各水平走査期間において、プリチャージ電圧及びプリチャージ電流が出力される場合におけるソース信号線電流の変化の様子を示した図
【図１２６】複数の水平走査期間にわたってソース信号線電流が変化しない場合には、プリチャージ電圧印加期間１２５１及びプリチャージ電流出力期間１２５２を設けないようにしたときのソース信号線電流の変化の様子を示した図
【図１２７】ソース信号線が連続して同じ電流を出力する場合と、変化することが場合がある表示パターンの例を示した図
【図１２８】図１２７における本発明を用いた場合のソース信号線電流の変化を示した図
【図１２９】ソース信号線の電流に変化がある場合にのみプリチャージ電圧もしくはプリチャージ電流が出力される期間が発生するようにするための、判定方法を示した図
【図１３０】温度により駆動トランジスタ６２のドレイン電流とゲート電圧の関係が変化することを示した図
【図１３１】ソースドライバ外部で抵抗素子と温度補償素子を用いて、温度により異なる電圧をプリチャージ電圧発生部に入力する構成を示した図
【図１３２】温度によりプリチャージ電圧を変化させるときのプリチャージ電圧の変化例を示した図
【図１３３】図１３２のようにプリチャージ電圧を出力したときの温度に対するトランジスタ６２のドレイン電流の変化を示した図
【図１３４】温度補償素子を外部に設けた場合での、プリチャージ電圧を画素回路に印加する回路ブロックを示した図
【図１３５】温度検知手段のデータを利用し、コントローラからのコマンド制御によりプリチャージ電圧発生用電子ボリュームの値を温度によって変更する回路ブロックを示した図。
【図１３６】図１３５の回路構成における温度に対する電子ボリューム出力電圧の関係を示した図
【図１３７】図１３６の温度対電子ボリュームの関係でプリチャージ電圧を制御した場合でのトランジスタ６２の温度による変化を示した図
【図１３８】画素回路を形成したアレーと同一アレー内に、プリチャージ電圧発生用トランジスタを形成した場合の回路構成を示した図
【図１３９】トランジスタ１３８１及び６２のゲート電圧とドレイン電流の関係を示した図
【図１４０】本発明のプリチャージ電圧発生用トランジスタの配置案を示した図
【図１４１】アレー内に形成されたプリチャージ電圧発生用回路のうちの１つをソースドライバ入力端子に選択して入れられるようにした回路を示した図
【図１４２】アレー内に形成されるプリチャージ電圧発生部を複数個に分配して配置した場合の回路構成を示した図
【図１４３】トランジスタ６２及び１３８１の高温時におけるゲート電圧とドレイン電流特性を示した図
【図１４４】駆動トランジスタ６２のアーリー効果によるＥＬ素子に流れる電流が増加することを示した図
【符号の説明】
【０４４６】
１１  映像データ
１２  データ線
１３  アドレス
１４  振り分け後データ
１５  クロック
１６  スタートパルス
【図１】
2006047693.tif 000003
【図２】
2006047693.tif 000004
【図３】
2006047693.tif 000005
【図４】
2006047693.tif 000006
【図５】
2006047693.tif 000007
【図６】
2006047693.tif 000008
【図７】
2006047693.tif 000009
【図８】
2006047693.tif 000010
【図９】
2006047693.tif 000011
【図１０】
2006047693.tif 000012
【図１１】
2006047693.tif 000013
【図１２】
2006047693.tif 000014
【図１３】
2006047693.tif 000015
【図１４】
2006047693.tif 000016
【図１５】
2006047693.tif 000017
【図１６】
2006047693.tif 000018
【図１７】
2006047693.tif 000019
【図１８】
2006047693.tif 000020
【図１９】
2006047693.tif 000021
【図２０】
2006047693.tif 000022
【図２１】
2006047693.tif 000023
【図２２】
2006047693.tif 000024
【図２３】
2006047693.tif 000025
【図２４】
2006047693.tif 000026
【図２５】
2006047693.tif 000027
【図２６】
2006047693.tif 000028
【図２７】
2006047693.tif 000029
【図２８】
2006047693.tif 000030
【図２９】
2006047693.tif 000031
【図３０】
2006047693.tif 000032
【図３１】
2006047693.tif 000033
【図３２】
2006047693.tif 000034
【図３３】
2006047693.tif 000035
【図３４】
2006047693.tif 000036
【図３５】
2006047693.tif 000037
【図３６】
2006047693.tif 000038
【図３７】
2006047693.tif 000039
【図３８】
2006047693.tif 000040
【図３９】
2006047693.tif 000041
【図４０】
2006047693.tif 000042
【図４１】
2006047693.tif 000043
【図４２】
2006047693.tif 000044
【図４３】
2006047693.tif 000045
【図４４】
2006047693.tif 000046
【図４５】
2006047693.tif 000047
【図４６】
2006047693.tif 000048
【図４７】
2006047693.tif 000049
【図４８】
2006047693.tif 000050
【図４９】
2006047693.tif 000051
【図５０】
2006047693.tif 000052
【図５１】
2006047693.tif 000053
【図５２】
2006047693.tif 000054
【図５３】
2006047693.tif 000055
【図５４】
2006047693.tif 000056
【図５５】
2006047693.tif 000057
【図５６】
2006047693.tif 000058
【図５７】
2006047693.tif 000059
【図５８】
2006047693.tif 000060
【図５９】
2006047693.tif 000061
【図６０】
2006047693.tif 000062
【図６１】
2006047693.tif 000063
【図６２】
2006047693.tif 000064
【図６３】
2006047693.tif 000065
【図６４】
2006047693.tif 000066
【図６５】
2006047693.tif 000067
【図６６】
2006047693.tif 000068
【図６７】
2006047693.tif 000069
【図６８】
2006047693.tif 000070
【図６９】
2006047693.tif 000071
【図７０】
2006047693.tif 000072
【図７１】
2006047693.tif 000073
【図７２】
2006047693.tif 000074
【図７３】
2006047693.tif 000075
【図７４】
2006047693.tif 000076
【図７５】
2006047693.tif 000077
【図７６】
2006047693.tif 000078
【図７７】
2006047693.tif 000079
【図７８】
2006047693.tif 000080
【図７９】
2006047693.tif 000081
【図８０】
2006047693.tif 000082
【図８１】
2006047693.tif 000083
【図８２】
2006047693.tif 000084
【図８３】
2006047693.tif 000085
【図８４】
2006047693.tif 000086
【図８５】
2006047693.tif 000087
【図８６】
2006047693.tif 000088
【図８７】
2006047693.tif 000089
【図８８】
2006047693.tif 000090
【図８９】
2006047693.tif 000091
【図９０】
2006047693.tif 000092
【図９１】
2006047693.tif 000093
【図９２】
2006047693.tif 000094
【図９３】
2006047693.tif 000095
【図９４】
2006047693.tif 000096
【図９５】
2006047693.tif 000097
【図９６】
2006047693.tif 000098
【図９７】
2006047693.tif 000099
【図９８】
2006047693.tif 000100
【図９９】
2006047693.tif 000101
【図１００】
2006047693.tif 000102
【図１０１】
2006047693.tif 000103
【図１０２】
2006047693.tif 000104
【図１０３】
2006047693.tif 000105
【図１０４】
2006047693.tif 000106
【図１０５】
2006047693.tif 000107
【図１０６】
2006047693.tif 000108
【図１０７】
2006047693.tif 000109
【図１０８】
2006047693.tif 000110
【図１０９】
2006047693.tif 000111
【図１１０】
2006047693.tif 000112
【図１１１】
2006047693.tif 000113
【図１１２】
2006047693.tif 000114
【図１１３】
2006047693.tif 000115
【図１１４】
2006047693.tif 000116
【図１１５】
2006047693.tif 000117
【図１１６】
2006047693.tif 000118
【図１１７】
2006047693.tif 000119
【図１１８】
2006047693.tif 000120
【図１１９】
2006047693.tif 000121
【図１２０】
2006047693.tif 000122
【図１２１】
2006047693.tif 000123
【図１２２】
2006047693.tif 000124
【図１２３】
2006047693.tif 000125
【図１２４】
2006047693.tif 000126
【図１２５】
2006047693.tif 000127
【図１２６】
2006047693.tif 000128
【図１２７】
2006047693.tif 000129
【図１２８】
2006047693.tif 000130
【図１２９】
2006047693.tif 000131
【図１３０】
2006047693.tif 000132
【図１３１】
2006047693.tif 000133
【図１３２】
2006047693.tif 000134
【図１３３】
2006047693.tif 000135
【図１３４】
2006047693.tif 000136
【図１３５】
2006047693.tif 000137
【図１３６】
2006047693.tif 000138
【図１３７】
2006047693.tif 000139
【図１３８】
2006047693.tif 000140
【図１３９】
2006047693.tif 000141
【図１４０】
2006047693.tif 000142
【図１４１】
2006047693.tif 000143
【図１４２】
2006047693.tif 000144
【図１４３】
2006047693.tif 000145
【図１４４】
2006047693.tif 000146